(57)【特許請求の範囲】
【請求項１】
複数の色の光を放射可能な第１および第２ＬＥＤ光源を有し、前記第１ＬＥＤ光源から放射される第１光の一部と前記第２ＬＥＤ光源から放射される第２光の一部とが放射角度領域で互いに重なるように前記第１および第２光を放射する光源部と、
互いに異なる色で前記第１および第２光を放射するように前記第１および第２ＬＥＤ光源を制御する制御部と、
発光色を入力する入力部とを備え、
前記制御部は、前記放射角度領域に照射される第１および第２光の最大彩度となる光の色度領域が、ＣＩＥ１９７６ｕ’ｖ’色度図において、（ｕ’，ｖ’）の座標点Ｒ＿４（０．４４０、０．５０６）、Ｒ−ＯＲ＿４（０．４１９、０．５２１）、ＯＲ＿４（０．３９８、０．５３７）、ＯＲ−Ｙ＿４（０．３０２、０．５４９）、Ｙ＿４（０．２３７，０．５５７）、Ｙ−Ｇ＿４（０．２０４、０．５５９）、Ｇ＿４（０．０８５、０．５６８）、Ｇ−ＢＧ＿４（０．０９８、０．４８３）、ＢＧ＿４（０．１１２、０．３９８）、ＢＧ−Ｂ＿４（０．１２２、０．３６１）、Ｂ＿４（０．１７３、０．１６９）、Ｂ−Ｐ＿４（０．２４５、０．２３０）、Ｐ＿４（０．３１７、０．２９１）、Ｐ−Ｒ＿４（０．３７９、０．３９８）の各点を結ぶことによって得られる上限境界閉ループ線と、（ｕ’，ｖ’）の座標点Ｒ＿１（０．２６８、０．４８２）、Ｒ−ＯＲ＿１（０．２６２、０．４８５）、ＯＲ＿１（０．２５７、０．４８９）、ＯＲ−Ｙ＿１（０．２３３、０．４９２）、Ｙ＿１（０．２１７、０．４９４）、Ｙ−Ｇ＿１（０．２０９、０．４９５）、Ｇ＿１（０．１７９、０．４９７）、Ｇ−ＢＧ＿１（０．１８２、０．４７６）、ＢＧ＿１（０．１８６、０．４５５）、ＢＧ−Ｂ＿１（０．１８８、０．４４５）、Ｂ＿１（０．２０１、０．３９７）、Ｂ−Ｐ＿１（０．２１９、０．４１３）、Ｐ＿１（０．２３７、０．４２８）、Ｐ−Ｒ＿１（０．２５２、０．４５５）の各点を結ぶことによって得られる下限境界閉ループ線との間の第１色度領域に、前記入力部で入力された発光色が含まれない場合に、前記入力部で入力された発光色が前記第１色度領域に含まれるように変換し、前記変換した色で発光するように、前記第１および第２ＬＥＤ光源を制御すること
を特徴とする照明装置。
【請求項２】
前記制御部は、前記放射角度領域の一部の第１領域に照射される第１光、および、前記第１領域と異なる前記放射角度領域の一部の第２領域に照射される第２光が、ＣＩＥ１９７６ｕ’ｖ’色度図において、前記第１色度領域に含まれる下記（２Ａ）ないし（２Ｍ）のいずれかの条件を満たすように、前記第１および第２ＬＥＤ光源を制御すること
を特徴とする請求項１に記載の照明装置。
条件（２Ａ）は、前記第１領域に照射される第１光が下記によって定義される白色領域に含まれ、かつ、前記第２領域に照射される第２光が下記によって定義される低彩度青領域、低彩度青緑領域、低彩度緑領域、低彩度黄領域、低彩度橙領域、低彩度赤領域、低彩度紫領域、高彩度青領域、高彩度青緑領域、高彩度緑領域、高彩度黄領域、高彩度橙領域、高彩度赤領域および高彩度紫領域の各領域のいずれかに含まれることであり、
条件（２Ｂ）は、前記第１領域に照射される第１光が下記によって定義される低彩度青領域に含まれ、かつ、前記第２領域に照射される第２光が下記によって定義される白色領域、低彩度青緑領域、低彩度緑領域、低彩度黄領域、低彩度橙領域、低彩度赤領域、低彩度紫領域、高彩度青領域、高彩度青緑領域、高彩度緑領域、高彩度黄領域、高彩度橙領域、高彩度赤領域および高彩度紫領域の各領域のいずれかに含まれることであり、
条件（２Ｃ）は、前記第１領域に照射される第１光が下記によって定義される低彩度青緑領域に含まれ、かつ、前記第２領域に照射される第２光が下記によって定義される白色領域、低彩度青領域、低彩度緑領域、低彩度黄領域、低彩度橙領域、低彩度赤領域、低彩度紫領域、高彩度青領域、高彩度青緑領域、高彩度緑領域、高彩度黄領域、高彩度橙領域、高彩度赤領域および高彩度紫領域の各領域のいずれかに含まれることであり、
条件（２Ｄ）は、前記第１領域に照射される第１光が下記によって定義される低彩度緑領域に含まれ、かつ、前記第２領域に照射される第２光が下記によって定義される白色領域、低彩度青領域、低彩度青緑領域、低彩度黄領域、低彩度橙領域、低彩度赤領域、低彩度紫領域、高彩度青領域、高彩度青緑領域、高彩度緑領域、高彩度黄領域、高彩度橙領域、高彩度赤領域および高彩度紫領域の各領域のいずれかに含まれることであり、
条件（２Ｅ）は、前記第１領域に照射される第１光が下記によって定義される低彩度黄領域に含まれ、かつ、前記第２領域に照射される第２光が下記によって定義される白色領域、低彩度青領域、低彩度青緑領域、低彩度緑領域、低彩度橙領域、低彩度赤領域、低彩度紫領域、高彩度青領域、高彩度青緑領域、高彩度緑領域、高彩度黄領域、高彩度橙領域、高彩度赤領域および高彩度紫領域の各領域のいずれかに含まれることであり、
条件（２Ｆ）は、前記第１領域に照射される第１光が下記によって定義される低彩度橙領域に含まれ、かつ、前記第２領域に照射される第２光が下記によって定義される白色領域、低彩度青領域、低彩度青緑領域、低彩度緑領域、低彩度黄領域、低彩度赤領域、低彩度紫領域、高彩度青領域、高彩度青緑領域、高彩度緑領域、高彩度黄領域、高彩度橙領域、高彩度赤領域および高彩度紫領域の各領域のいずれかに含まれることであり、
条件（２Ｇ）は、前記第１領域に照射される第１光が下記によって定義される低彩度赤領域に含まれ、かつ、前記第２領域に照射される第２光が下記によって定義される白色領域、低彩度青領域、低彩度青緑領域、低彩度緑領域、低彩度黄領域、低彩度橙領域、低彩度紫領域、高彩度青領域、高彩度青緑領域、高彩度緑領域、高彩度黄領域、高彩度橙領域、高彩度赤領域および高彩度紫領域の各領域のいずれかに含まれることであり、
条件（２Ｈ）は、前記第１領域に照射される第１光が下記によって定義される低彩度紫領域に含まれ、かつ、前記第２領域に照射される第２光が下記によって定義される白色領域、低彩度青領域、低彩度青緑領域、低彩度緑領域、低彩度黄領域、低彩度橙領域、低彩度赤領域、高彩度青領域、高彩度青緑領域、高彩度緑領域、高彩度黄領域、高彩度橙領域、高彩度赤領域および高彩度紫領域の各領域のいずれかに含まれることであり、
条件（２Ｉ）は、前記第１領域に照射される第１光が下記によって定義される高彩度青領域に含まれ、かつ、前記第２領域に照射される第２光が下記によって定義される白色領域、低彩度青領域、低彩度青緑領域、低彩度緑領域、低彩度黄領域、低彩度橙領域、低彩度赤領域、低彩度紫領域、高彩度青緑領域、高彩度緑領域、高彩度黄領域、高彩度橙領域、高彩度赤領域および高彩度紫領域の各領域のいずれかに含まれることであり、
条件（２Ｊ）は、前記第１領域に照射される第１光が下記によって定義される高彩度青緑領域に含まれ、かつ、前記第２領域に照射される第２光が下記によって定義される白色領域、低彩度青領域、低彩度青緑領域、低彩度緑領域、低彩度黄領域、低彩度橙領域、低彩度赤領域、低彩度紫領域、高彩度青領域、高彩度緑領域、高彩度黄領域、高彩度橙領域、高彩度赤領域および高彩度紫領域の各領域のいずれかに含まれることであり、
条件（２Ｋ）は、前記第１領域に照射される第１光が下記によって定義される高彩度緑領域に含まれ、かつ、前記第２領域に照射される第２光が下記によって定義される白色領域、低彩度青領域、低彩度青緑領域、低彩度緑領域、低彩度黄領域、低彩度橙領域、低彩度赤領域、低彩度紫領域、高彩度青領域、高彩度青緑領域、高彩度黄領域、高彩度橙領域、高彩度赤領域および高彩度紫領域の各領域のいずれかに含まれることであり、
条件（２Ｌ）は、前記第１領域に照射される第１光が下記によって定義される高彩度黄領域に含まれ、かつ、前記第２領域に照射される第２光が下記によって定義される白色領域、低彩度青領域、低彩度青緑領域、低彩度緑領域、低彩度黄領域、低彩度橙領域、低彩度赤領域、低彩度紫領域、高彩度青領域、高彩度青緑領域、高彩度緑領域、高彩度橙領域、高彩度赤領域および高彩度紫領域の各領域のいずれかに含まれることであり、
条件（２Ｍ）は、前記第１領域に照射される第１光が下記によって定義される高彩度橙領域に含まれ、かつ、前記第２領域に照射される第２光が下記によって定義される白色領域、低彩度青領域、低彩度青緑領域、低彩度緑領域、低彩度黄領域、低彩度橙領域、低彩度赤領域、低彩度紫領域、高彩度青領域、高彩度青緑領域、高彩度緑領域、高彩度黄領域、高彩度赤領域および高彩度紫領域の各領域のいずれかに含まれることであり、
白色領域は、（ｕ’，ｖ’）の座標点Ｒ＿１（０．２６８、０．４８２）、Ｒ−ＯＲ＿１（０．２６２、０．４８５）、ＯＲ＿１（０．２５７、０．４８９）、ＯＲ−Ｙ＿１（０．２３３、０．４９２）、Ｙ＿１（０．２１７、０．４９４）、Ｙ−Ｇ＿１（０．２０９、０．４９５）、Ｇ＿１（０．１７９、０．４９７）、Ｇ−ＢＧ＿１（０．１８２、０．４７６）、ＢＧ＿１（０．１８６、０．４５５）、ＢＧ−Ｂ＿１（０．１８８、０．４４５）、Ｂ＿１（０．２０１、０．３９７）、Ｂ−Ｐ＿１（０．２１９、０．４１３）、Ｐ＿１（０．２３７、０．４２８）、Ｐ−Ｒ＿１（０．２５２、０．４５５）の各点を結ぶ閉ループ線によって囲まれる内側領域であり、
低彩度赤領域は、（ｕ’，ｖ’）の座標点Ｒ−ＯＲ＿３（０．３６７、０．５０９）、Ｒ＿３（０．３８２、０．４９８）、Ｐ−Ｒ＿３（０．３３６、０．４１７）、Ｐ−Ｒ＿１（０．２５２、０．４５５）、Ｒ＿１（０．２６８、０．４８２）、Ｒ−ＯＲ＿１（０．２６２、０．４８５）の各点を結ぶ閉ループ線によって囲まれる内側領域であり、
低彩度橙領域は、（ｕ’，ｖ’）の座標点ＯＲ−Ｙ＿３（０．２７９、０．５３０）、ＯＲ＿３（０．３５１、０．５２１）、Ｒ−ＯＲ＿３（０．３６７、０．５０９）、Ｒ−ＯＲ＿１（０．２６２、０．４８５）、ＯＲ＿１（０．２５７、０．４８９）、ＯＲ−Ｙ＿１（０．２３３、０．４９２）の各点を結ぶ閉ループ線によって囲まれる内側領域であり、
低彩度黄領域は、（ｕ’，ｖ’）の座標点Ｙ−Ｇ＿３（０．２０６、０．５３８）、Ｙ＿３（０．２３１、０．５３６）、ＯＲ−Ｙ＿３（０．２７９、０．５３０）、ＯＲ−Ｙ＿１（０．２３３、０．４９２）、Ｙ＿１（０．２１７、０．４９４）、Ｙ−Ｇ＿１（０．２０９、０．４９５）の各点を結ぶ閉ループ線によって囲まれる内側領域であり、
低彩度緑領域は、（ｕ’，ｖ’）の座標点Ｇ−ＢＧ＿３（０．１２６、０．４８１）、Ｇ＿３（０．１１６、０．５４４）、Ｙ−Ｇ＿３（０．２０６、０．５３８）、Ｙ−Ｇ＿１（０．２０９、０．４９５）、Ｇ＿１（０．１７９、０．４９７）、Ｇ−ＢＧ＿１（０．１８２、０．４７６）の各点を結ぶ閉ループ線によって囲まれる内側領域であり、
低彩度青緑領域は、（ｕ’，ｖ’）の座標点ＢＧ−Ｂ＿３（０．１４４、０．３８９）、ＢＧ＿３（０．１３６、０．４１７）、Ｇ−ＢＧ＿３（０．１２６、０．４８１）、Ｇ−ＢＧ＿１（０．１８２、０．４７６）、ＢＧ＿１（０．１８６、０．４５５）、ＢＧ−Ｂ＿１（０．１８８、０．４４５）の各点を結ぶ閉ループ線によって囲まれる内側領域であり、
低彩度青領域は、（ｕ’，ｖ’）の座標点Ｂ−Ｐ＿３（０．２３６、０．２９１）、Ｂ＿３（０．１８２、０．２４５）、ＢＧ−Ｂ＿３（０．１４４、０．３８９）、ＢＧ−Ｂ＿１（０．１８８、０．４４５）、Ｂ＿１（０．２０１、０．３９７）、Ｂ−Ｐ＿１（０．２１９、０．４１３）の各点を結ぶ閉ループ線によって囲まれる内側領域であり、
低彩度紫領域は、（ｕ’，ｖ’）の座標点Ｐ−Ｒ＿３（０．３３６、０．４１７）、Ｐ＿３（０．２９１、０．３３６）、Ｂ−Ｐ＿３（０．２３６、０．２９１）、Ｂ−Ｐ＿１（０．２１９、０．４１３）、Ｐ＿１（０．２３７、０．４２８）、Ｐ−Ｒ＿１（０．２５２、０．４５５）の各点を結ぶ閉ループ線によって囲まれる内側領域であり、
高彩度赤領域は、（ｕ’，ｖ’）の座標点Ｒ−ＯＲ＿４（０．４１９、０．５２１）、Ｒ＿４（０．４４０、０．５０６）、Ｐ−Ｒ＿４（０．３７９、０．３９８）、Ｐ−Ｒ＿３（０．３３６、０．４１７）、Ｒ＿３（０．３８２、０．４９８）、Ｒ−ＯＲ＿３（０．３６７、０．５０９）の各点を結ぶ閉ループ線によって囲まれる内側領域であり、
高彩度橙領域は、（ｕ’，ｖ’）の座標点ＯＲ−Ｙ＿４（０．３０２、０．５４９）、ＯＲ＿４（０．３９８、０．５３７）、Ｒ−ＯＲ＿４（０．４１９、０．５２１）、Ｒ−ＯＲ＿３（０．３６７、０．５０９）、ＯＲ＿３（０．３５１、０．５２１）、ＯＲ−Ｙ＿３（０．２７９、０．５３０）の各点を結ぶ閉ループ線によって囲まれる内側領域であり、
高彩度黄領域は、（ｕ’，ｖ’）の座標点Ｙ−Ｇ＿４（０．２０４、０．５５９）、Ｙ＿４（０．２３７、０．５５７）、ＯＲ−Ｙ＿４（０．３０２、０．５４９）、ＯＲ−Ｙ＿３（０．２７９、０．５３０）、Ｙ＿３（０．２３１、０．５３６）、Ｙ−Ｇ＿３（０．２０６、０．５３８）の各点を結ぶ閉ループ線によって囲まれる内側領域であり、
高彩度緑領域は、（ｕ’，ｖ’）の座標点Ｇ−ＢＧ＿４（０．０９８、０．４８３）、Ｇ＿４（０．０８５、０．５６８）、Ｙ−Ｇ＿４（０．２０４、０．５５９）、Ｙ−Ｇ＿３（０．２０６、０．５３８）、Ｇ＿３（０．１１６、０．５４４）、Ｇ−ＢＧ＿３（０．１２６、０．４８１）の各点を結ぶ閉ループ線によって囲まれる内側領域であり、
高彩度青緑領域は、（ｕ’，ｖ’）の座標点ＢＧ−Ｂ＿４（０．１２２、０．３６１）、ＢＧ＿４（０．１１２、０．３９８）、Ｇ−ＢＧ＿４（０．０９８、０．４８３）、Ｇ−ＢＧ＿３（０．１２６、０．４８１）、ＢＧ＿３（０．１３６、０．４１７）、ＢＧ−Ｂ＿３（０．１４４、０．３８９）の各点を結ぶ閉ループ線によって囲まれる内側領域であり、
高彩度青領域は、（ｕ’，ｖ’）の座標点Ｂ−Ｐ＿４（０．２４５、０．２３０）、Ｂ＿４（０．１７３、０．１６９）、ＢＧ−Ｂ＿４（０．１２２、０．３６１）、ＢＧ−Ｂ＿３（０．１４４、０．３８９）、Ｂ＿３（０．１８２、０．２４５）、Ｂ−Ｐ＿３（０．２３６、０．２９１）の各点を結ぶ閉ループ線によって囲まれる内側領域であり、
高彩度紫領域は、（ｕ’，ｖ’）の座標点Ｐ−Ｒ＿４（０．３７９、０．３９８）、Ｐ＿４（０．３１７、０．２９１）、Ｂ−Ｐ＿４（０．２４５、０．２３０）、Ｂ−Ｐ＿３（０．２３６、０．２９１）、Ｐ＿３（０．２９１、０．３３６）、Ｐ−Ｒ＿３（０．３３６、０．４１７）の各点を結ぶ閉ループ線によって囲まれる内側領域である。
【請求項３】
前記制御部は、前記放射角度領域の一部の第１領域に照射される第１光、および、前記第１領域と異なる前記放射角度領域の一部の第２領域に照射される第２光が、ＣＩＥ１９７６ｕ’ｖ’色度図において、前記第１色度領域に含まれる下記（３Ａ）ないし（３Ｍ）のいずれかの条件を満たすように、前記第１および第２ＬＥＤ光源を制御すること
を特徴とする請求項２に記載の照明装置。
条件（３Ａ）は、前記放射角度領域の一部の第１領域に照射された第１光が下記によって定義される白色領域に含まれ、かつ、前記第１領域と異なる前記放射角度領域の一部の第２領域に照射された第２光が下記によって定義される低彩度青領域、低彩度青緑領域、低彩度緑領域、低彩度赤領域、低彩度紫領域、高彩度青領域、高彩度青緑領域、高彩度緑領域および高彩度黄領域の各領域のいずれかに含まれることであり、
条件（３Ｂ）は、前記放射角度領域の一部の第１領域に照射された第１光が下記によって定義される低彩度青領域に含まれ、かつ、前記第１領域と異なる前記放射角度領域の一部の第２領域に照射された第２光が下記によって定義される低彩度青緑領域、低彩度橙領域、低彩度赤領域、高彩度青領域、高彩度緑領域および高彩度黄領域の各領域のいずれかに含まれることであり、
条件（３Ｃ）は、前記放射角度領域の一部の第１領域に照射された第１光が下記によって定義される低彩度青緑領域に含まれ、かつ、前記第１領域と異なる前記放射角度領域の一部の第２領域に照射された第２光が下記によって定義される白色領域、低彩度青領域、低彩度緑領域、低彩度黄領域、低彩度橙領域、低彩度赤領域、低彩度紫領域、高彩度青領域、高彩度青緑領域、高彩度緑領域、高彩度黄領域および高彩度橙領域の各領域のいずれかに含まれることであり、
条件（３Ｄ）は、前記放射角度領域の一部の第１領域に照射された第１光が下記によって定義される低彩度緑領域に含まれ、かつ、前記第１領域と異なる前記放射角度領域の一部の第２領域に照射された第２光が下記によって定義される白色領域、低彩度青領域、低彩度青緑領域、低彩度黄領域、低彩度橙領域、低彩度赤領域、高彩度青領域、高彩度青緑領域および高彩度黄領域の各領域のいずれかに含まれることであり、
条件（３Ｅ）は、前記放射角度領域の一部の第１領域に照射された第１光が下記によって定義される低彩度黄領域に含まれ、かつ、前記第１領域と異なる前記放射角度領域の一部の第２領域に照射された第２光が下記によって定義される白色領域、低彩度青領域、低彩度青緑領域、低彩度緑領域、低彩度橙領域、低彩度紫領域、高彩度青領域、高彩度青緑領域、高彩度緑領域、高彩度橙領域および高彩度紫領域の各領域のいずれかに含まれることであり、
条件（３Ｆ）は、前記放射角度領域の一部の第１領域に照射された第１光が下記によって定義される低彩度橙領域に含まれ、かつ、前記第１領域と異なる前記放射角度領域の一部の第２領域に照射された第２光が下記によって定義される白色領域、低彩度青領域、低彩度青緑領域、低彩度赤領域、低彩度紫領域、高彩度青領域、高彩度青緑領域および高彩度緑領域の各領域のいずれかに含まれることであり、
条件（３Ｇ）は、前記放射角度領域の一部の第１領域に照射された第１光が下記によって定義される低彩度赤領域に含まれ、かつ、前記第１領域と異なる前記放射角度領域の一部の第２領域に照射された第２光が下記によって定義される白色領域、低彩度青領域、低彩度青緑領域、低彩度黄領域、低彩度橙領域、高彩度青緑領域、高彩度緑領域および高彩度黄領域の各領域のいずれかに含まれることであり、
条件（３Ｈ）は、前記放射角度領域の一部の第１領域に照射された第１光が下記によって定義される低彩度紫領域に含まれ、かつ、前記第１領域と異なる前記放射角度領域の一部の第２領域に照射された第２光が下記によって定義される低彩度青領域、低彩度青緑領域、低彩度赤領域および高彩度黄領域の各領域のいずれかに含まれることであり、
条件（３Ｉ）は、前記放射角度領域の一部の第１領域に照射された第１光が下記によって定義される高彩度青領域に含まれ、かつ、前記第１領域と異なる前記放射角度領域の一部の第２領域に照射された第２光が下記によって定義される白色領域および高彩度緑領域の各領域のいずれかに含まれることであり、
条件（３Ｊ）は、前記放射角度領域の一部の第１領域に照射された第１光が下記によって定義される高彩度青緑領域に含まれ、かつ、前記第１領域と異なる前記放射角度領域の一部の第２領域に照射された第２光が下記によって定義される白色領域、低彩度青領域、低彩度緑領域、低彩度黄領域、低彩度橙領域、低彩度赤領域、低彩度紫領域、高彩度青領域、高彩度緑領域および高彩度黄領域の各領域のいずれかに含まれることであり、
条件（３Ｋ）は、前記放射角度領域の一部の第１領域に照射された第１光が下記によって定義される高彩度緑領域に含まれ、かつ、前記第１領域と異なる前記放射角度領域の一部の第２領域に照射された第２光が下記によって定義される低彩度青領域および高彩度青領域の各領域のいずれかに含まれることであり、
条件（３Ｌ）は、前記放射角度領域の一部の第１領域に照射された第１光が下記によって定義される高彩度黄領域に含まれ、かつ、前記第１領域と異なる前記放射角度領域の一部の第２領域に照射された第２光が下記によって定義される低彩度青領域、低彩度青緑領域、高彩度青領域および高彩度橙領域の各領域のいずれかに含まれることであり、
条件（３Ｍ）は、前記放射角度領域の一部の第１領域に照射された第１光が下記によって定義される高彩度橙領域に含まれ、かつ、前記第１領域と異なる前記放射角度領域の一部の第２領域に照射された第２光が下記によって定義される低彩度青領域に含まれることである。
【請求項４】
前記制御部は、前記放射角度領域の一部の第１領域に照射される第１光、および、前記第１領域と異なる前記放射角度領域の一部の第２領域に照射される第２光が、ＣＩＥ１９７６ｕ’ｖ’色度図において、前記第１色度領域に含まれる下記（４Ａ）ないし（４Ｊ）のいずれかの条件を満たすように、前記第１および第２ＬＥＤ光源を制御すること
を特徴とする請求項２に記載の照明装置。
条件（４Ａ）は、前記放射角度領域の一部の第１領域に照射された第１光が前記定義された白色領域に含まれ、かつ、前記第１領域と異なる前記放射角度領域の一部の第２領域に照射された第２光が前記定義された低彩度青領域、高彩度青領域、高彩度青緑領域、高彩度緑領域および高彩度紫領域の各領域のいずれかに含まれることであり、
条件（４Ｂ）は、前記放射角度領域の一部の第１領域に照射された第１光が前記定義された低彩度青領域に含まれ、かつ、前記第１領域と異なる前記放射角度領域の一部の第２領域に照射された第２光が前記定義された低彩度青緑領域、高彩度青領域、高彩度青緑領域および高彩度黄領域の各領域のいずれかに含まれることであり、
条件（４Ｃ）は、前記放射角度領域の一部の第１領域に照射された第１光が前記定義された低彩度青緑領域に含まれ、かつ、前記第１領域と異なる前記放射角度領域の一部の第２領域に照射された第２光が前記定義された白色領域、低彩度青領域、低彩度緑領域、低彩度黄領域、低彩度紫領域、高彩度青領域、高彩度青緑領域、高彩度緑領域および高彩度黄領域の各領域のいずれかに含まれることであり、
条件（４Ｄ）は、前記放射角度領域の一部の第１領域に照射された第１光が前記定義された低彩度緑領域に含まれ、かつ、前記第１領域と異なる前記放射角度領域の一部の第２領域に照射された第２光が前記定義された白色領域、低彩度青領域、高彩度青領域、高彩度青緑領域および高彩度紫領域の各領域のいずれかに含まれることであり、
条件（４Ｅ）は、前記放射角度領域の一部の第１領域に照射された第１光が前記定義された低彩度黄領域に含まれ、かつ、前記第１領域と異なる前記放射角度領域の一部の第２領域に照射された第２光が前記定義された低彩度青領域、低彩度青緑領域、低彩度緑領域、低彩度紫領域、高彩度青領域、高彩度青緑領域および高彩度緑領域の各領域のいずれかに含まれることであり、
条件（４Ｆ）は、前記放射角度領域の一部の第１領域に照射された第１光が前記定義された低彩度紫領域に含まれ、かつ、前記第１領域と異なる前記放射角度領域の一部の第２領域に照射された第２光が前記定義された低彩度青領域、および低彩度青緑領域の各領域のいずれかに含まれることであり、
条件（４Ｇ）は、前記放射角度領域の一部の第１領域に照射された第１光が前記定義された高彩度青領域に含まれ、かつ、前記第１領域と異なる前記放射角度領域の一部の第２領域に照射された第２光が前記定義された低彩度緑領域および高彩度緑領域の各領域のいずれかに含まれることであり、
条件（４Ｈ）は、前記放射角度領域の一部の第１領域に照射された第１光が前記定義された高彩度青緑領域に含まれ、かつ、前記第１領域と異なる前記放射角度領域の一部の第２領域に照射された第２光が前記定義された白色領域、低彩度青領域、低彩度青緑領域、低彩度緑領域、低彩度黄領域、低彩度橙領域、低彩度赤領域、低彩度紫領域、高彩度緑領域、高彩度橙領域および高彩度赤領域の各領域のいずれかに含まれることであり、
条件（４Ｉ）は、前記放射角度領域の一部の第１領域に照射された第１光が前記定義された高彩度緑領域に含まれ、かつ、前記第１領域と異なる前記放射角度領域の一部の第２領域に照射された第２光が前記定義された低彩度青領域、高彩度青領域、高彩度青緑領域および高彩度紫領域の各領域のいずれかに含まれることであり、
条件（４Ｊ）は、前記放射角度領域の一部の第１領域に照射された第１光が前記定義された高彩度黄領域に含まれ、かつ、前記第１領域と異なる前記放射角度領域の一部の第２領域に照射された第２光が前記定義された白色領域、低彩度青領域、低彩度青緑領域、低彩度緑領域、高彩度青領域、高彩度青緑領域および高彩度橙領域の各領域のいずれかに含まれることである。
【請求項５】
前記制御部は、前記放射角度領域の一部の第１領域に照射される第１光、および、前記第１領域と異なる前記放射角度領域の一部の第２領域に照射される第２光が、ＣＩＥ１９７６ｕ’ｖ’色度図において、前記第１色度領域に含まれる下記（５Ａ）ないし（５Ｌ）のいずれかの条件を満たすように、前記第１および第２ＬＥＤ光源を制御すること
を特徴とする請求項２に記載の照明装置。
条件（５Ａ）は、前記放射角度領域の一部の第１領域に照射された第１光が前記定義された白色領域に含まれ、かつ、前記第１領域と異なる前記放射角度領域の一部の第２領域に照射された第２光が前記定義された低彩度青領域、低彩度青緑領域、低彩度緑領域、低彩度黄領域、高彩度青領域、高彩度青緑領域、高彩度緑領域および高彩度黄領域の各領域のいずれかに含まれることであり、
条件（５Ｂ）は、前記放射角度領域の一部の第１領域に照射された第１光が前記定義された低彩度青領域に含まれ、かつ、前記第１領域と異なる前記放射角度領域の一部の第２領域に照射された第２光が前記定義された白色領域、低彩度青緑領域、低彩度緑領域、低彩度黄領域、低彩度橙領域、低彩度赤領域、高彩度青領域、高彩度青緑領域、高彩度緑領域および高彩度黄領域の各領域のいずれかに含まれることであり、
条件（５Ｃ）は、前記放射角度領域の一部の第１領域に照射された第１光が前記定義された低彩度青緑領域に含まれ、かつ、前記第１領域と異なる前記放射角度領域の一部の第２領域に照射された第２光が前記定義された白色領域、低彩度青領域、低彩度緑領域、低彩度黄領域、低彩度紫領域、高彩度青領域、高彩度青緑領域、高彩度緑領域、高彩度黄領域および高彩度紫領域の各領域のいずれかに含まれることであり、
条件（５Ｄ）は、前記放射角度領域の一部の第１領域に照射された第１光が前記定義された低彩度緑領域に含まれ、かつ、前記第１領域と異なる前記放射角度領域の一部の第２領域に照射された第２光が前記定義された白色領域、低彩度青領域、高彩度青領域および高彩度青緑領域の各領域のいずれかに含まれることであり、
条件（５Ｅ）は、前記放射角度領域の一部の第１領域に照射された第１光が前記定義された低彩度黄領域に含まれ、かつ、前記第１領域と異なる前記放射角度領域の一部の第２領域に照射された第２光が前記定義された白色領域、低彩度青領域、低彩度青緑領域、低彩度赤領域、高彩度青領域、高彩度青緑領域、高彩度緑領域および高彩度赤領域の各領域のいずれかに含まれることであり、
条件（５Ｆ）は、前記放射角度領域の一部の第１領域に照射された第１光が前記定義された低彩度橙領域に含まれ、かつ、前記第１領域と異なる前記放射角度領域の一部の第２領域に照射された第２光が前記定義された低彩度青領域、高彩度青領域、高彩度青緑領域および高彩度黄領域の各領域のいずれかに含まれることであり、
条件（５Ｇ）は、前記放射角度領域の一部の第１領域に照射された第１光が前記定義された低彩度赤領域に含まれ、かつ、前記第１領域と異なる前記放射角度領域の一部の第２領域に照射された第２光が前記定義された白色領域および高彩度黄領域の各領域のいずれかに含まれることであり、
条件（５Ｈ）は、前記放射角度領域の一部の第１領域に照射された第１光が前記定義された低彩度紫領域に含まれ、かつ、前記第１領域と異なる前記放射角度領域の一部の第２領域に照射された第２光が前記定義された高彩度青領域に含まれることであり、
条件（５Ｉ）は、前記放射角度領域の一部の第１領域に照射された第１光が前記定義された高彩度青領域に含まれ、かつ、前記第１領域と異なる前記放射角度領域の一部の第２領域に照射された第２光が前記定義された白色領域、低彩度緑領域、低彩度黄領域、低彩度橙領域および高彩度黄領域の各領域のいずれかに含まれることであり、
条件（５Ｊ）は、前記放射角度領域の一部の第１領域に照射された第１光が前記定義された高彩度青緑領域に含まれ、かつ、前記第１領域と異なる前記放射角度領域の一部の第２領域に照射された第２光が前記定義された白色領域、低彩度青領域、低彩度緑領域、低彩度緑領域、低彩度黄領域、低彩度橙領域、低彩度紫領域、高彩度青領域および高彩度黄領域の各領域のいずれかに含まれることであり、
条件（５Ｋ）は、前記放射角度領域の一部の第１領域に照射された第１光が前記定義された高彩度緑領域に含まれ、かつ、前記第１領域と異なる前記放射角度領域の一部の第２領域に照射された第２光が前記定義された高彩度青領域に含まれることであり、
条件（５Ｌ）は、前記放射角度領域の一部の第１領域に照射された第１光が前記定義された高彩度黄領域に含まれ、かつ、前記第１領域と異なる前記放射角度領域の一部の第２領域に照射された第２光が前記定義された低彩度青領域、高彩度青領域および高彩度青緑領域の各領域のいずれかに含まれることである。
【請求項６】
前記制御部は、前記放射角度領域の一部の第１領域に照射される第１光、および、前記第１領域と異なる前記放射角度領域の一部の第２領域に照射される第２光が、ＣＩＥ１９７６ｕ’ｖ’色度図において、前記第１色度領域に含まれる下記（６Ａ）ないし（６Ｎ）のいずれかの条件を満たすように、前記第１および第２ＬＥＤ光源を制御すること
を特徴とする請求項１に記載の照明装置。
条件（６Ａ）は、前記放射角度領域の一部の第１領域に照射された第１光が下記によって定義される白色領域に含まれ、かつ、前記第１領域と異なる前記放射角度領域の一部の第２領域に照射された第２光が下記によって定義される低彩度緑領域、低彩度黄領域、低彩度橙領域、低彩度赤領域、低彩度紫領域、高彩度青緑領域および高彩度黄領域の各領域のいずれかに含まれることであり、
条件（６Ｂ）は、前記放射角度領域の一部の第１領域に照射された第１光が下記によって定義される低彩度青領域に含まれ、かつ、前記第１領域と異なる前記放射角度領域の一部の第２領域に照射された第２光が下記によって定義される白色領域、低彩度青緑領域、低彩度緑領域、低彩度黄領域、低彩度赤領域、低彩度紫領域、高彩度青緑領域、高彩度緑領域、高彩度黄領域、高彩度橙領域および高彩度赤領域の各領域のいずれかに含まれることであり、
条件（６Ｃ）は、前記放射角度領域の一部の第１領域に照射された第１光が下記によって定義される低彩度青緑領域に含まれ、かつ、前記第１領域と異なる前記放射角度領域の一部の第２領域に照射された第２光が下記によって定義される低彩度黄領域、低彩度橙領域、低彩度紫領域、高彩度橙領域、高彩度赤領域および高彩度紫領域の各領域のいずれかに含まれることであり、
条件（６Ｄ）は、前記放射角度領域の一部の第１領域に照射された第１光が下記によって定義される低彩度緑領域に含まれ、かつ、前記第１領域と異なる前記放射角度領域の一部の第２領域に照射された第２光が下記によって定義される低彩度青緑領域、低彩度橙領域、高彩度青緑領域および高彩度赤領域の各領域のいずれかに含まれることであり、
条件（６Ｅ）は、前記放射角度領域の一部の第１領域に照射された第１光が下記によって定義される低彩度黄領域に含まれ、かつ、前記第１領域と異なる前記放射角度領域の一部の第２領域に照射された第２光が下記によって定義される低彩度緑領域、低彩度橙領域、低彩度赤領域、高彩度青領域、高彩度黄領域および高彩度橙領域の各領域のいずれかに含まれることであり、
条件（６Ｆ）は、前記放射角度領域の一部の第１領域に照射された第１光が下記によって定義される低彩度橙領域に含まれ、かつ、前記第１領域と異なる前記放射角度領域の一部の第２領域に照射された第２光が下記によって定義される低彩度青領域、低彩度青緑領域、低彩度緑領域、低彩度黄領域、低彩度赤領域、低彩度紫領域、高彩度青領域および高彩度黄領域の各領域のいずれかに含まれることであり、
条件（６Ｇ）は、前記放射角度領域の一部の第１領域に照射された第１光が下記によって定義される低彩度赤領域に含まれ、かつ、前記第１領域と異なる前記放射角度領域の一部の第２領域に照射された第２光が下記によって定義される白色領域、低彩度青領域、低彩度青緑領域、低彩度緑領域、低彩度黄領域、低彩度橙領域および高彩度青緑領域の各領域のいずれかに含まれることであり、
条件（６Ｈ）は、前記放射角度領域の一部の第１領域に照射された第１光が下記によって定義される低彩度紫領域に含まれ、かつ、前記第１領域と異なる前記放射角度領域の一部の第２領域に照射された第２光が下記によって定義される低彩度青緑領域、低彩度黄領域、低彩度橙領域、低彩度赤領域、高彩度青領域、高彩度黄領域および高彩度赤領域の各領域のいずれかに含まれることであり、
条件（６Ｉ）は、前記放射角度領域の一部の第１領域に照射された第１光が下記によって定義される高彩度青領域に含まれ、かつ、前記第１領域と異なる前記放射角度領域の一部の第２領域に照射された第２光が下記によって定義される白色領域、低彩度緑領域、低彩度橙領域および高彩度橙領域の各領域のいずれかに含まれることであり、
条件（６Ｊ）は、前記放射角度領域の一部の第１領域に照射された第１光が下記によって定義される高彩度青緑領域に含まれ、かつ、前記第１領域と異なる前記放射角度領域の一部の第２領域に照射された第２光が下記によって定義される低彩度緑域に含まれることであり、
条件（６Ｋ）は、前記放射角度領域の一部の第１領域に照射された第１光が下記によって定義される高彩度緑領域に含まれ、かつ、前記第１領域と異なる前記放射角度領域の一部の第２領域に照射された第２光が下記によって定義される高彩度赤領域に含まれることであり、
条件（６Ｌ）は、前記放射角度領域の一部の第１領域に照射された第１光が下記によって定義される高彩度黄領域に含まれ、かつ、前記第１領域と異なる前記放射角度領域の一部の第２領域に照射された第２光が下記によって定義される白色領域、低彩度紫領域および高彩度橙領域の各領域のいずれかに含まれることであり、
条件（６Ｍ）は、前記放射角度領域の一部の第１領域に照射された第１光が下記によって定義される高彩度橙領域に含まれ、かつ、前記第１領域と異なる前記放射角度領域の一部の第２領域に照射された第２光が下記によって定義される低彩度青領域、低彩度青緑領域、低彩度黄領域および高彩度青領域の各領域のいずれかに含まれることであり、
条件（６Ｎ）は、前記放射角度領域の一部の第１領域に照射された第１光が下記によって定義される高彩度紫領域に含まれ、かつ、前記第１領域と異なる前記放射角度領域の一部の第２領域に照射された第２光が下記によって定義される低彩度緑領域に含まれることであり、
白色領域は、（ｕ’，ｖ’）の座標点Ｒ＿１（０．２６８、０．４８２）、Ｒ−ＯＲ＿１（０．２６２、０．４８５）、ＯＲ＿１（０．２５７、０．４８９）、ＯＲ−Ｙ＿１（０．２３３、０．４９２）、Ｙ＿１（０．２１７、０．４９４）、Ｙ−Ｇ＿１（０．２０９、０．４９５）、Ｇ＿１（０．１７９、０．４９７）、Ｇ−ＢＧ＿１（０．１８２、０．４７６）、ＢＧ＿１（０．１８６、０．４５５）、ＢＧ−Ｂ＿１（０．１８８、０．４４５）、Ｂ＿１（０．２０１、０．３９７）、Ｂ−Ｐ＿１（０．２１９、０．４１３）、Ｐ＿１（０．２３７、０．４２８）、Ｐ−Ｒ＿１（０．２５２、０．４５５）の各点を結ぶ閉ループ線によって囲まれる内側領域であり、
低彩度赤領域は、（ｕ’，ｖ’）の座標点Ｒ−ＯＲ＿３（０．３６７、０．５０９）、Ｒ＿３（０．３８２、０．４９８）、Ｐ−Ｒ＿３（０．３３６、０．４１７）、Ｐ−Ｒ＿１（０．２５２、０．４５５）、Ｒ＿１（０．２６８、０．４８２）、Ｒ−ＯＲ＿１（０．２６２、０．４８５）の各点を結ぶ閉ループ線によって囲まれる内側領域であり、
低彩度橙領域は、（ｕ’，ｖ’）の座標点ＯＲ−Ｙ＿３（０．２７９、０．５３０）、ＯＲ＿３（０．３５１、０．５２１）、Ｒ−ＯＲ＿３（０．３６７、０．５０９）、Ｒ−ＯＲ＿１（０．２６２、０．４８５）、ＯＲ＿１（０．２５７、０．４８９）、ＯＲ−Ｙ＿１（０．２３３、０．４９２）の各点を結ぶ閉ループ線によって囲まれる内側領域であり、
低彩度黄領域は、（ｕ’，ｖ’）の座標点Ｙ−Ｇ＿３（０．２０６、０．５３８）、Ｙ＿３（０．２３１、０．５３６）、ＯＲ−Ｙ＿３（０．２７９、０．５３０）、ＯＲ−Ｙ＿１（０．２３３、０．４９２）、Ｙ＿１（０．２１７、０．４９４）、Ｙ−Ｇ＿１（０．２０９、０．４９５）の各点を結ぶ閉ループ線によって囲まれる内側領域であり、
低彩度緑領域は、（ｕ’，ｖ’）の座標点Ｇ−ＢＧ＿３（０．１２６、０．４８１）、Ｇ＿３（０．１１６、０．５４４）、Ｙ−Ｇ＿３（０．２０６、０．５３８）、Ｙ−Ｇ＿１（０．２０９、０．４９５）、Ｇ＿１（０．１７９、０．４９７）、Ｇ−ＢＧ＿１（０．１８２、０．４７６）の各点を結ぶ閉ループ線によって囲まれる内側領域であり、
低彩度青緑領域は、（ｕ’，ｖ’）の座標点ＢＧ−Ｂ＿３（０．１４４、０．３８９）、ＢＧ＿３（０．１３６、０．４１７）、Ｇ−ＢＧ＿３（０．１２６、０．４８１）、Ｇ−ＢＧ＿１（０．１８２、０．４７６）、ＢＧ＿１（０．１８６、０．４５５）、ＢＧ−Ｂ＿１（０．１８８、０．４４５）の各点を結ぶ閉ループ線によって囲まれる内側領域であり、
低彩度青領域は、（ｕ’，ｖ’）の座標点Ｂ−Ｐ＿３（０．２３６、０．２９１）、Ｂ＿３（０．１８２、０．２４５）、ＢＧ−Ｂ＿３（０．１４４、０．３８９）、ＢＧ−Ｂ＿１（０．１８８、０．４４５）、Ｂ＿１（０．２０１、０．３９７）、Ｂ−Ｐ＿１（０．２１９、０．４１３）の各点を結ぶ閉ループ線によって囲まれる内側領域であり、
低彩度紫領域は、（ｕ’，ｖ’）の座標点Ｐ−Ｒ＿３（０．３３６、０．４１７）、Ｐ＿３（０．２９１、０．３３６）、Ｂ−Ｐ＿３（０．２３６、０．２９１）、Ｂ−Ｐ＿１（０．２１９、０．４１３）、Ｐ＿１（０．２３７、０．４２８）、Ｐ−Ｒ＿１（０．２５２、０．４５５）の各点を結ぶ閉ループ線によって囲まれる内側領域であり、
高彩度赤領域は、（ｕ’，ｖ’）の座標点Ｒ−ＯＲ＿４（０．４１９、０．５２１）、Ｒ＿４（０．４４０、０．５０６）、Ｐ−Ｒ＿４（０．３７９、０．３９８）、Ｐ−Ｒ＿３（０．３３６、０．４１７）、Ｒ＿３（０．３８２、０．４９８）、Ｒ−ＯＲ＿３（０．３６７、０．５０９）の各点を結ぶ閉ループ線によって囲まれる内側領域であり、
高彩度橙領域は、（ｕ’，ｖ’）の座標点ＯＲ−Ｙ＿４（０．３０２、０．５４９）、ＯＲ＿４（０．３９８、０．５３７）、Ｒ−ＯＲ＿４（０．４１９、０．５２１）、Ｒ−ＯＲ＿３（０．３６７、０．５０９）、ＯＲ＿３（０．３５１、０．５２１）、ＯＲ−Ｙ＿３（０．２７９、０．５３０）の各点を結ぶ閉ループ線によって囲まれる内側領域であり、
高彩度黄領域は、（ｕ’，ｖ’）の座標点Ｙ−Ｇ＿４（０．２０４、０．５５９）、Ｙ＿４（０．２３７、０．５５７）、ＯＲ−Ｙ＿４（０．３０２、０．５４９）、ＯＲ−Ｙ＿３（０．２７９、０．５３０）、Ｙ＿３（０．２３１、０．５３６）、Ｙ−Ｇ＿３（０．２０６、０．５３８）の各点を結ぶ閉ループ線によって囲まれる内側領域であり、
高彩度緑領域は、（ｕ’，ｖ’）の座標点Ｇ−ＢＧ＿４（０．０９８、０．４８３）、Ｇ＿４（０．０８５、０．５６８）、Ｙ−Ｇ＿４（０．２０４、０．５５９）、Ｙ−Ｇ＿３（０．２０６、０．５３８）、Ｇ＿３（０．１１６、０．５４４）、Ｇ−ＢＧ＿３（０．１２６、０．４８１）の各点を結ぶ閉ループ線によって囲まれる内側領域であり、
高彩度青緑領域は、（ｕ’，ｖ’）の座標点ＢＧ−Ｂ＿４（０．１２２、０．３６１）、ＢＧ＿４（０．１１２、０．３９８）、Ｇ−ＢＧ＿４（０．０９８、０．４８３）、Ｇ−ＢＧ＿３（０．１２６、０．４８１）、ＢＧ＿３（０．１３６、０．４１７）、ＢＧ−Ｂ＿３（０．１４４、０．３８９）の各点を結ぶ閉ループ線によって囲まれる内側領域であり、
高彩度青領域は、（ｕ’，ｖ’）の座標点Ｂ−Ｐ＿４（０．２４５、０．２３０）、Ｂ＿４（０．１７３、０．１６９）、ＢＧ−Ｂ＿４（０．１２２、０．３６１）、ＢＧ−Ｂ＿３（０．１４４、０．３８９）、Ｂ＿３（０．１８２、０．２４５）、Ｂ−Ｐ＿３（０．２３６、０．２９１）の各点を結ぶ閉ループ線によって囲まれる内側領域であり、
高彩度紫領域は、（ｕ’，ｖ’）の座標点Ｐ−Ｒ＿４（０．３７９、０．３９８）、Ｐ＿４（０．３１７、０．２９１）、Ｂ−Ｐ＿４（０．２４５、０．２３０）、Ｂ−Ｐ＿３（０．２３６、０．２９１）、Ｐ＿３（０．２９１、０．３３６）、Ｐ−Ｒ＿３（０．３３６、０．４１７）の各点を結ぶ閉ループ線によって囲まれる内側領域である。
【請求項７】
前記制御部は、前記放射角度領域の一部の第１領域に照射される第１光、および、前記第１領域と異なる前記放射角度領域の一部の第２領域に照射される第２光が、ＣＩＥ１９７６ｕ’ｖ’色度図において、前記第１色度領域に含まれる下記（７Ａ）ないし（７Ｉ）のいずれかの条件を満たすように、前記第１および第２ＬＥＤ光源を制御すること
を特徴とする請求項１に記載の照明装置。
条件（７Ａ）は、前記放射角度領域の一部の第１領域に照射された第１光が下記によって定義される白色領域に含まれ、かつ、前記第１領域と異なる前記放射角度領域の一部の第２領域に照射された第２光が下記によって定義される高彩度紫領域に含まれることであり、
条件（７Ｂ）は、前記放射角度領域の一部の第１領域に照射された第１光が下記によって定義される低彩度青緑領域に含まれ、かつ、前記第１領域と異なる前記放射角度領域の一部の第２領域に照射された第２光が下記によって定義される高彩度黄領域に含まれることであり、
条件（７Ｃ）は、前記放射角度領域の一部の第１領域に照射された第１光が下記によって定義される低彩度赤領域に含まれ、かつ、前記第１領域と異なる前記放射角度領域の一部の第２領域に照射された第２光が下記によって定義される高彩度橙領域に含まれることであり、
条件（７Ｄ）は、前記放射角度領域の一部の第１領域に照射された第１光が下記によって定義される低彩度紫領域に含まれ、かつ、前記第１領域と異なる前記放射角度領域の一部の第２領域に照射された第２光が下記によって定義される高彩度紫領域に含まれることであり、
条件（７Ｅ）は、前記放射角度領域の一部の第１領域に照射された第１光が下記によって定義される高彩度緑領域に含まれ、かつ、前記第１領域と異なる前記放射角度領域の一部の第２領域に照射された第２光が下記によって定義される低彩度黄領域、低彩度赤領域、高彩度黄領域および高彩度橙領域の各領域のいずれかに含まれることであり、
条件（７Ｆ）は、前記放射角度領域の一部の第１領域に照射された第１光が下記によって定義される高彩度黄領域に含まれ、かつ、前記第１領域と異なる前記放射角度領域の一部の第２領域に照射された第２光が下記によって定義される高彩度緑領域および高彩度赤領域の各領域のいずれかに含まれることであり、
条件（７Ｇ）は、前記放射角度領域の一部の第１領域に照射された第１光が下記によって定義される高彩度橙領域に含まれ、かつ、前記第１領域と異なる前記放射角度領域の一部の第２領域に照射された第２光が下記によって定義される低彩度紫領域、高彩度赤および高彩度紫領域の各領域のいずれかに含まれることであり、
条件（７Ｈ）は、前記放射角度領域の一部の第１領域に照射された第１光が下記によって定義される高彩度赤領域に含まれ、かつ、前記第１領域と異なる前記放射角度領域の一部の第２領域に照射された第２光が下記によって定義される低彩度橙領域、高彩度青領域、高彩度緑領域、高彩度黄領域および高彩度橙領域の各領域のいずれかに含まれることであり、
条件（７Ｉ）は、前記放射角度領域の一部の第１領域に照射された第１光が下記によって定義される高彩度紫領域に含まれ、かつ、前記第１領域と異なる前記放射角度領域の一部の第２領域に照射された第２光が下記によって定義される低彩度青領域、低彩度青緑領域、低彩度黄領域、低彩度紫領域、高彩度青領域、高彩度黄領域、高彩度橙領域および高彩度赤領域の各領域のいずれかに含まれることであり、
白色領域は、（ｕ’，ｖ’）の座標点Ｒ＿１（０．２６８、０．４８２）、Ｒ−ＯＲ＿１（０．２６２、０．４８５）、ＯＲ＿１（０．２５７、０．４８９）、ＯＲ−Ｙ＿１（０．２３３、０．４９２）、Ｙ＿１（０．２１７、０．４９４）、Ｙ−Ｇ＿１（０．２０９、０．４９５）、Ｇ＿１（０．１７９、０．４９７）、Ｇ−ＢＧ＿１（０．１８２、０．４７６）、ＢＧ＿１（０．１８６、０．４５５）、ＢＧ−Ｂ＿１（０．１８８、０．４４５）、Ｂ＿１（０．２０１、０．３９７）、Ｂ−Ｐ＿１（０．２１９、０．４１３）、Ｐ＿１（０．２３７、０．４２８）、Ｐ−Ｒ＿１（０．２５２、０．４５５）の各点を結ぶ閉ループ線によって囲まれる内側領域であり、
低彩度赤領域は、（ｕ’，ｖ’）の座標点Ｒ−ＯＲ＿３（０．３６７、０．５０９）、Ｒ＿３（０．３８２、０．４９８）、Ｐ−Ｒ＿３（０．３３６、０．４１７）、Ｐ−Ｒ＿１（０．２５２、０．４５５）、Ｒ＿１（０．２６８、０．４８２）、Ｒ−ＯＲ＿１（０．２６２、０．４８５）の各点を結ぶ閉ループ線によって囲まれる内側領域であり、
低彩度橙領域は、（ｕ’，ｖ’）の座標点ＯＲ−Ｙ＿３（０．２７９、０．５３０）、ＯＲ＿３（０．３５１、０．５２１）、Ｒ−ＯＲ＿３（０．３６７、０．５０９）、Ｒ−ＯＲ＿１（０．２６２、０．４８５）、ＯＲ＿１（０．２５７、０．４８９）、ＯＲ−Ｙ＿１（０．２３３、０．４９２）の各点を結ぶ閉ループ線によって囲まれる内側領域であり、
低彩度黄領域は、（ｕ’，ｖ’）の座標点Ｙ−Ｇ＿３（０．２０６、０．５３８）、Ｙ＿３（０．２３１、０．５３６）、ＯＲ−Ｙ＿３（０．２７９、０．５３０）、ＯＲ−Ｙ＿１（０．２３３、０．４９２）、Ｙ＿１（０．２１７、０．４９４）、Ｙ−Ｇ＿１（０．２０９、０．４９５）の各点を結ぶ閉ループ線によって囲まれる内側領域であり、
低彩度緑領域は、（ｕ’，ｖ’）の座標点Ｇ−ＢＧ＿３（０．１２６、０．４８１）、Ｇ＿３（０．１１６、０．５４４）、Ｙ−Ｇ＿３（０．２０６、０．５３８）、Ｙ−Ｇ＿１（０．２０９、０．４９５）、Ｇ＿１（０．１７９、０．４９７）、Ｇ−ＢＧ＿１（０．１８２、０．４７６）の各点を結ぶ閉ループ線によって囲まれる内側領域であり、
低彩度青緑領域は、（ｕ’，ｖ’）の座標点ＢＧ−Ｂ＿３（０．１４４、０．３８９）、ＢＧ＿３（０．１３６、０．４１７）、Ｇ−ＢＧ＿３（０．１２６、０．４８１）、Ｇ−ＢＧ＿１（０．１８２、０．４７６）、ＢＧ＿１（０．１８６、０．４５５）、ＢＧ−Ｂ＿１（０．１８８、０．４４５）の各点を結ぶ閉ループ線によって囲まれる内側領域であり、
低彩度青領域は、（ｕ’，ｖ’）の座標点Ｂ−Ｐ＿３（０．２３６、０．２９１）、Ｂ＿３（０．１８２、０．２４５）、ＢＧ−Ｂ＿３（０．１４４、０．３８９）、ＢＧ−Ｂ＿１（０．１８８、０．４４５）、Ｂ＿１（０．２０１、０．３９７）、Ｂ−Ｐ＿１（０．２１９、０．４１３）の各点を結ぶ閉ループ線によって囲まれる内側領域であり、
低彩度紫領域は、（ｕ’，ｖ’）の座標点Ｐ−Ｒ＿３（０．３３６、０．４１７）、Ｐ＿３（０．２９１、０．３３６）、Ｂ−Ｐ＿３（０．２３６、０．２９１）、Ｂ−Ｐ＿１（０．２１９、０．４１３）、Ｐ＿１（０．２３７、０．４２８）、Ｐ−Ｒ＿１（０．２５２、０．４５５）の各点を結ぶ閉ループ線によって囲まれる内側領域であり、
高彩度赤領域は、（ｕ’，ｖ’）の座標点Ｒ−ＯＲ＿４（０．４１９、０．５２１）、Ｒ＿４（０．４４０、０．５０６）、Ｐ−Ｒ＿４（０．３７９、０．３９８）、Ｐ−Ｒ＿３（０．３３６、０．４１７）、Ｒ＿３（０．３８２、０．４９８）、Ｒ−ＯＲ＿３（０．３６７、０．５０９）の各点を結ぶ閉ループ線によって囲まれる内側領域であり、
高彩度橙領域は、（ｕ’，ｖ’）の座標点ＯＲ−Ｙ＿４（０．３０２、０．５４９）、ＯＲ＿４（０．３９８、０．５３７）、Ｒ−ＯＲ＿４（０．４１９、０．５２１）、Ｒ−ＯＲ＿３（０．３６７、０．５０９）、ＯＲ＿３（０．３５１、０．５２１）、ＯＲ−Ｙ＿３（０．２７９、０．５３０）の各点を結ぶ閉ループ線によって囲まれる内側領域であり、
高彩度黄領域は、（ｕ’，ｖ’）の座標点Ｙ−Ｇ＿４（０．２０４、０．５５９）、Ｙ＿４（０．２３７、０．５５７）、ＯＲ−Ｙ＿４（０．３０２、０．５４９）、ＯＲ−Ｙ＿３（０．２７９、０．５３０）、Ｙ＿３（０．２３１、０．５３６）、Ｙ−Ｇ＿３（０．２０６、０．５３８）の各点を結ぶ閉ループ線によって囲まれる内側領域であり、
高彩度緑領域は、（ｕ’，ｖ’）の座標点Ｇ−ＢＧ＿４（０．０９８、０．４８３）、Ｇ＿４（０．０８５、０．５６８）、Ｙ−Ｇ＿４（０．２０４、０．５５９）、Ｙ−Ｇ＿３（０．２０６、０．５３８）、Ｇ＿３（０．１１６、０．５４４）、Ｇ−ＢＧ＿３（０．１２６、０．４８１）の各点を結ぶ閉ループ線によって囲まれる内側領域であり、
高彩度青緑領域は、（ｕ’，ｖ’）の座標点ＢＧ−Ｂ＿４（０．１２２、０．３６１）、ＢＧ＿４（０．１１２、０．３９８）、Ｇ−ＢＧ＿４（０．０９８、０．４８３）、Ｇ−ＢＧ＿３（０．１２６、０．４８１）、ＢＧ＿３（０．１３６、０．４１７）、ＢＧ−Ｂ＿３（０．１４４、０．３８９）の各点を結ぶ閉ループ線によって囲まれる内側領域であり、
高彩度青領域は、（ｕ’，ｖ’）の座標点Ｂ−Ｐ＿４（０．２４５、０．２３０）、Ｂ＿４（０．１７３、０．１６９）、ＢＧ−Ｂ＿４（０．１２２、０．３６１）、ＢＧ−Ｂ＿３（０．１４４、０．３８９）、Ｂ＿３（０．１８２、０．２４５）、Ｂ−Ｐ＿３（０．２３６、０．２９１）の各点を結ぶ閉ループ線によって囲まれる内側領域であり、
高彩度紫領域は、（ｕ’，ｖ’）の座標点Ｐ−Ｒ＿４（０．３７９、０．３９８）、Ｐ＿４（０．３１７、０．２９１）、Ｂ−Ｐ＿４（０．２４５、０．２３０）、Ｂ−Ｐ＿３（０．２３６、０．２９１）、Ｐ＿３（０．２９１、０．３３６）、Ｐ−Ｒ＿３（０．３３６、０．４１７）の各点を結ぶ閉ループ線によって囲まれる内側領域である。
【請求項８】
複数の色の光を放射可能な第１および第２ＬＥＤ光源それぞれを、互いに異なる色の第１光および第２光であって前記第１光の一部と前記第２光の一部とを放射角度領域で互いに重なるように放射させる照明方法であって、
発光色が入力され、前記入力された発光色が、ＣＩＥ１９７６ｕ’ｖ’色度図において、（ｕ’，ｖ’）の座標点Ｒ＿４（０．４４０、０．５０６）、Ｒ−ＯＲ＿４（０．４１９、０．５２１）、ＯＲ＿４（０．３９８、０．５３７）、ＯＲ−Ｙ＿４（０．３０２、０．５４９）、Ｙ＿４（０．２３７，０．５５７）、Ｙ−Ｇ＿４（０．２０４、０．５５９）、Ｇ＿４（０．０８５、０．５６８）、Ｇ−ＢＧ＿４（０．０９８、０．４８３）、ＢＧ＿４（０．１１２、０．３９８）、ＢＧ−Ｂ＿４（０．１２２、０．３６１）、Ｂ＿４（０．１７３、０．１６９）、Ｂ−Ｐ＿４（０．２４５、０．２３０）、Ｐ＿４（０．３１７、０．２９１）、Ｐ−Ｒ＿４（０．３７９、０．３９８）の各点を結ぶことによって得られる上限境界閉ループ線と、（ｕ’，ｖ’）の座標点Ｒ＿１（０．２６８、０．４８２）、Ｒ−ＯＲ＿１（０．２６２、０．４８５）、ＯＲ＿１（０．２５７、０．４８９）、ＯＲ−Ｙ＿１（０．２３３、０．４９２）、Ｙ＿１（０．２１７、０．４９４）、Ｙ−Ｇ＿１（０．２０９、０．４９５）、Ｇ＿１（０．１７９、０．４９７）、Ｇ−ＢＧ＿１（０．１８２、０．４７６）、ＢＧ＿１（０．１８６、０．４５５）、ＢＧ−Ｂ＿１（０．１８８、０．４４５）、Ｂ＿１（０．２０１、０．３９７）、Ｂ−Ｐ＿１（０．２１９、０．４１３）、Ｐ＿１（０．２３７、０．４２８）、Ｐ−Ｒ＿１（０．２５２、０．４５５）の各点を結ぶことによって得られる下限境界閉ループ線との間の第１色度領域に含まれない場合に、前記入力された発光色を前記第１色度領域に含まれるように変換し、前記変換した色で発光するように、前記第１および第２ＬＥＤ光源を放射させること
を特徴とする照明方法。
【請求項９】
複数の色の光を放射可能な第１および第２ＬＥＤ光源それぞれを、互いに異なる色の第１および第２光を放射するように制御する制御工程と、
前記第１ＬＥＤ光源から放射された第１光の一部と前記第２ＬＥＤ光源から放射された第２光の一部とを放射角度領域で互いに重ねるオーバラップ工程と、
発光色を入力する入力工程とを備え、
前記制御工程は、前記放射角度領域に照射される第１および第２光の最大彩度となる光の色度領域が、ＣＩＥ１９７６ｕ’ｖ’色度図において、（ｕ’，ｖ’）の座標点Ｒ＿４（０．４４０、０．５０６）、Ｒ−ＯＲ＿４（０．４１９、０．５２１）、ＯＲ＿４（０．３９８、０．５３７）、ＯＲ−Ｙ＿４（０．３０２、０．５４９）、Ｙ＿４（０．２３７，０．５５７）、Ｙ−Ｇ＿４（０．２０４、０．５５９）、Ｇ＿４（０．０８５、０．５６８）、Ｇ−ＢＧ＿４（０．０９８、０．４８３）、ＢＧ＿４（０．１１２、０．３９８）、ＢＧ−Ｂ＿４（０．１２２、０．３６１）、Ｂ＿４（０．１７３、０．１６９）、Ｂ−Ｐ＿４（０．２４５、０．２３０）、Ｐ＿４（０．３１７、０．２９１）、Ｐ−Ｒ＿４（０．３７９、０．３９８）の各点を結ぶことによって得られる上限境界閉ループ線と、（ｕ’，ｖ’）の座標点Ｒ＿１（０．２６８、０．４８２）、Ｒ−ＯＲ＿１（０．２６２、０．４８５）、ＯＲ＿１（０．２５７、０．４８９）、ＯＲ−Ｙ＿１（０．２３３、０．４９２）、Ｙ＿１（０．２１７、０．４９４）、Ｙ−Ｇ＿１（０．２０９、０．４９５）、Ｇ＿１（０．１７９、０．４９７）、Ｇ−ＢＧ＿１（０．１８２、０．４７６）、ＢＧ＿１（０．１８６、０．４５５）、ＢＧ−Ｂ＿１（０．１８８、０．４４５）、Ｂ＿１（０．２０１、０．３９７）、Ｂ−Ｐ＿１（０．２１９、０．４１３）、Ｐ＿１（０．２３７、０．４２８）、Ｐ−Ｒ＿１（０．２５２、０．４５５）の各点を結ぶことによって得られる下限境界閉ループ線との間の第１色度領域に、前記入力工程で入力された発光色が含まれない場合に、前記入力工程で入力された発光色が前記第１色度領域に含まれるように変換し、前記変換した色で発光するように、前記第１および第２ＬＥＤ光源を制御すること
を特徴とする照明方法。
【発明の詳細な説明】
【技術分野】
【０００１】
本発明は、いわゆるグラデーション照明に好適に利用される照明装置および照明方法に関する。
【背景技術】
【０００２】
近年、明るさや色彩を連続的に変化させて放射角度領域を照明するグラデーション照明が注目されている。このグラデーション照明は、例えば、特許文献１に開示された照明装置によって実現できる。【０００３】
この特許文献１に開示された照明装置は、発光ダイオード等からなる光源を備えた照明装置であって、該光源から出射した光を、視角範囲内にて、自然光環境を再現するために複数の照射領域を形成し、該複数の照射領域の少なくともいずれか一方の大きさを可変する可変手段を備え、上記複数の照射領域は、一部が重なり合った中間領域を備え、該中間領域は、該中間領域を形成する上記各照射領域の光が混合し、混合色を有してなるものである。【０００４】
ところで、前記特許文献１に開示された照明装置は、自然光環境の再現を目的に照明光を生成し、リラックス効果を向上させるものである。したがって、前記特許文献１に開示された照明装置は、自然光しか生成できず、人にリラックス効果しか与えることができない。このため、前記特許文献１に開示された照明装置は、その照明光の環境下に居る人に様々な心理効果を与えることができるように構成されていない。
【先行技術文献】
【特許文献】
【０００５】
【特許文献１】特開２０１０−１５７４１８号公報
【発明の概要】
【０００６】
本発明は、上述の事情に鑑みて為された発明であり、その目的は、照明光の環境下に居る人に所定の心理効果を好適に与えることができる照明装置および照明方法を提供することである。
【０００７】
本発明の照明装置は、複数の色の光を放射可能な第１および第２ＬＥＤ光源を有し、第１ＬＥＤ光源から放射された第１光の一部と第２ＬＥＤ光源から放射された第２光の一部とが放射角度領域で互いに重なるように第１および第２光を放射する光源部と、互いに異なる色で第１および第２光を放射するように第１および第２ＬＥＤ光源を制御する制御部２とを備え、制御部は、放射角度領域に照射された第１および第２光の最大彩度となる光の色度域が、予め設定された所定の心理効果を与える色度領域に含まれるように、第１および第２ＬＥＤ光源を制御する。したがって、本発明にかかる照明装置および照明方法は、照明光の環境下に居る人に所定の心理効果を好適に与えることができる。
【０００８】
上記並びにその他の本発明の目的、特徴及び利点は、以下の詳細な記載と添付図面から明らかになるであろう。
【図面の簡単な説明】
【０００９】
【図１】実施形態における第１態様の照明装置の電気的な構成を示すブロック図である。
【図２】前記第１態様の照明装置における光源部の電気的な構成を示す回路図である。
【図３】前記第１態様の照明装置の外観を示す斜視図である。
【図４】前記第１態様の照明装置における光源部の構造的な構成を示す断面図である。
【図５】前記光源部のＬＥＤ光源の構成を示す平面図である。
【図６】前記第１態様の照明装置を居室に適用した場合の一例を説明するための図である。
【図７】前記第１態様の照明装置における動作を示すフローチャートである。
【図８】範囲外の指定色を範囲内へ変換する手法を説明するための図である。
【図９】実験室内の様子を説明するための図である。
【図１０】ＣＩＥ１９７６ｕ’ｖ’色度図上における実験に用いた照明装置ＬＤの色光の範囲および実験に用いられた色光条件を示す図である。
【図１１】受け入れられる、という心理効果に関する実験結果を示す図である。
【図１２】快適感、という心理効果に関する実験結果を示す図である。
【図１３】くつろぎ感、という心理効果に関する実験結果を示す図である。
【図１４】すっきり感、という心理効果に関する実験結果を示す図である。
【図１５】集中できる、という心理効果に関する実験結果を示す図である。
【図１６】眠気、という心理効果に関する実験結果を示す図である。
【図１７】眠気を覚ます、という心理効果に関する実験結果を示す図である。
【図１８】ｕ’ｖ’色度図において、白色領域、低彩度青領域ないし高彩度紫領域の各領域を示すための図である。
【図１９】実施形態における第２態様の照明装置の外観を示す斜視図である。
【図２０】前記第２態様の照明装置の構成を示す断面斜視図である。
【図２１】前記第２態様の照明装置の構成を示す一部断面図である。
【図２２】前記第２態様の照明装置を居室に適用した場合の一例を説明するための図である。
【図２３】実施形態における第３態様の照明装置の外観を示す斜視図である。
【図２４】前記第３態様の照明装置の構成を示す側面図である。
【発明を実施するための形態】
【００１０】
以下、本発明にかかる実施の一形態を図面に基づいて説明する。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１１】
（実施形態）
図１は、実施形態における第１態様の照明装置の電気的な構成を示すブロック図である。図２は、前記第１態様の照明装置における光源部の電気的な構成を示す回路図である。図３は、前記第１態様の照明装置の外観を示す斜視図である。図４は、前記第１態様の照明装置における光源部の構造的な構成を示す断面図である。図５は、前記光源部のＬＥＤ光源の構成を示す平面図である。図６は、前記第１態様の照明装置を居室に適用した場合の一例を説明するための図である。
【００１２】
実施形態における照明装置ＬＤは、照明光環境下に居る人に所望の心理効果を与えるグラデーション照明を行うための装置である。実施形態における照明装置ＬＤの一例として、以下に、第１ないし第３態様の照明装置ＬＤａ〜ＬＤｃについて説明する。
【００１３】
まず、第１態様の照明装置ＬＤａは、図１ないし図６に示すように、光源部１と、制御部２とを備え、これら図１ないし図６に示す例では、入力部３と、電源部４とをさらに備える。
【００１４】
電源部４は、外部電源５、光源部１、制御部２および入力部３それぞれに接続され、商用電源等の外部電源５から電力の供給を受け、前記電力から光源部１、制御部２および入力部３を稼働するための所定の電力を生成する回路である。例えば、電源部４は、外部電源から給電された商用交流電力を直流電力に整流する整流回路と、前記整流回路の出力を平滑する平滑回路とを備え、また必要に応じて、光源部１、制御部２および入力部の各稼働電圧に応じた電圧値に変換する電圧変換回路（コンバータ）を備える。電源部４で生成された直流電力は、光源部１、制御部２および入力部３に供給される。
【００１５】
入力部３は、制御部２に接続され、照明装置ＬＤａの制御部２に所定の指示等を入力するための回路である。入力部３は、例えば、複数のスイッチ素子を備えて構成され、各スイッチ素子には、照明装置ＬＤａのオンオフを行うための電源スイッチ素子や、所定の心理効果を与えるグラデーション照明を行うための１または複数の選択スイッチ素子等が含まれる。この選択スイッチ素子の一つには、例えば、快適感を与えるグラデーション照明を照明装置ＬＤａに実行させる指示が割り付けられ、また他の一つには、例えば、すっきり感を与えるグラデーション照明を照明装置ＬＤａに実行させる指示が割り付けられる。
【００１６】
また例えば、入力部３は、電源スイッチ素子およびタッチパネルを備え、前記タッチパネルを用いて所定の入力内容が入力されるように構成されても良い。タッチパネルは、例えばＬＣＤ（液晶ディスプレイ）および有機ＥＬディスプレイ等の表示装置と、前記表示装置の表示面に貼付された例えば抵抗膜方式や静電容量方式等の操作位置を検出して入力する位置入力装置とを備え、表示装置に入力可能な１または複数の入力内容の候補が表示され、ユーザが、入力したい入力内容を表示した表示位置を触れると、位置入力装置によってその位置が検出され、検出された位置に表示された表示内容がユーザの操作入力内容として照明装置ＬＤａに入力される。このようなタッチパネルでは、ユーザは、入力操作を直感的に理解し易いので、ユーザにとって取り扱い易い照明装置ＬＤａが提供される。
【００１７】
また例えば、入力部３は、電源スイッチ素子と、いわゆるスマートフォンやタブレット型コンピュータ等と通信する通信回路とを備え、前記スマートフォンやタブレット型コンピュータ等にインストールされた所定のアプリケーションソフトウェアを用いて所定の入力内容が前記スマートフォンやタブレット型コンピュータ等を介して入力されるように構成されても良い。
【００１８】
このようなタッチパネルや通信回路を備える場合では、色を選択して入力できる。色の選択方法として、例えば、ＣＩＥ（国際照明委員会）のＲＧＢ表色系におけるＲＧＢ値をそれぞれ指定して色の混合比率を指定する第１色選択方法や、また例えば、色相、彩度および明度等を指定して、色の混合比率と明るさとを同時に指定する第２色選択方法や、また例えば、サンプルとしての色テーブルや画像等から選択することで色を指定する第３色選択方法等が用いることができる。色は、表示装置に表示されたカラーバーを用いて指定し、入力できる。なお、色の選択方法は、サンプルとしての色テーブルや画像等が表示され、その中から自動的に選択されて色が指定される第４色選択方法であってもよい。
【００１９】
光源部１は、複数の色の光を放射可能な第１および第２ＬＥＤ光源１０−１、１０−２を有し、第１ＬＥＤ光源１０−１から放射された第１光の一部と第２ＬＥＤ光源１０−２から放射された第２光の一部とが放射角度領域で互いに重なるように前記第１および第２光を放射するものである。このような光源部１は、第１光の一部と第２光の一部とを放射角度領域で互いに重ねるので、第１光による色相Ａの領域から、色相Ａと色相Ｂとの中間色の中間領域を経て、第２光による色相Ｂの領域に至る、明るさや色彩を連続的に変化させて照明するグラデーション照明で被照明面を照明できる。
【００２０】
これら第１および第２ＬＥＤ光源ＬＥＤ１０−１、１０−２それぞれは、互いに同一の構成であるため、添え字を省略し、纏めて説明する。ＬＥＤ光源１０は、昼白光を放射する昼白色ＬＥＤ１１と、電球色光を放射する電球色ＬＥＤ１２と、ＲＧＢＬＥＤ１３とを備える。ＬＥＤ光源１０は、これら昼白色ＬＥＤ１１、電球色ＬＥＤ１２およびＲＧＢＬＥＤ１３を１つずつ備えて構成されても良いが、より広い放射角度領域をグラデーション照明するために、本実施形態では、複数の昼白色ＬＥＤ１１、複数の電球色ＬＥＤ１２および複数のＲＧＢＬＥＤ１３を備えている。これら複数の昼白色ＬＥＤ１１、複数の電球色ＬＥＤ１２および複数のＲＧＢＬＥＤ１３は、図５に示すように、配線パターンを持つ一方向に長尺な板状のＬＥＤ基板１４上に、前記一方向に沿って並設される。これら複数の昼白色ＬＥＤ１１、複数の電球色ＬＥＤ１２および複数のＲＧＢＬＥＤ１３は、例えば、昼白色ＬＥＤ１１、ＲＧＢＬＥＤ１３、電球色ＬＥＤ１２およびＲＧＢＬＥＤ１３を一組として複数組がＬＥＤ基板１４上に並設されている。
【００２１】
昼白色ＬＥＤ１１は、例えば、Ｂ光ＬＥＤ素子と、前記Ｂ光ＬＥＤから放射されたＢ光の一部で励起され補色の黄色を放射する黄色蛍光体とを備え、これらを調整して色温度を約５０００Ｋに調整することで昼白色光を放射するものである。また例えば、昼白色ＬＥＤ１１は、近紫外光または紫光を発光する紫光ＬＥＤ素子と、前記紫光ＬＥＤから放射された光の一部で励起され赤色、緑色および青色をそれぞれ放射する赤色蛍光体、緑色蛍光体および青色蛍光体の各蛍光体とを備え、これらを調整して色温度を約５０００Ｋに調整することで昼白色光を放射するものである。昼白色ＬＥＤ１１には、電源部４から直流電力が供給され、制御部２の後述の第１電流制御回路２３−１による電流値の制御によって昼白色光の光量が調整される。
【００２２】
電球色ＬＥＤ１２も、昼白色ＬＥＤ１１と同様に、例えば、Ｂ光ＬＥＤ素子と、黄色蛍光体とを備え、これらを調整して色温度を約３０００Ｋに調整することで電球色光を放射するものである。また例えば、電球色ＬＥＤ１２は、紫光ＬＥＤ素子と、赤色蛍光体、緑色蛍光体および青色蛍光体の各蛍光体とを備え、これらを調整して色温度を約３０００Ｋに調整することで電球色光を放射するものである。電球色ＬＥＤ１２には、電源部４から直流電力が供給され、制御部２の後述の第２電流制御回路２３−２による電流値の制御によって電球色光の光量が調整される。
【００２３】
ＲＧＢＬＥＤ１３は、例えば、Ｒ光ＬＥＤ素子と、Ｇ光ＬＥＤ素子と、Ｂ光ＬＥＤ素子とを備え、これらを調整して各色光を放射するものである。すなわち、ＲＧＢＬＥＤ１３は、複数の色の光を放射可能なＬＥＤ光源である。ＲＧＢＬＥＤ１３のＲ光ＬＥＤ素子、Ｇ光ＬＥＤ素子およびＢ光ＬＥＤ素子には、電源部４から個別に直流電力がそれぞれ供給され、制御部２の後述の第３電流制御回路２３−３による各電流値の個別の制御によって各色光の光量が調整される。
【００２４】
このような光源部１の一構造例について、より具体的に説明すると、図４に示すように、光源部１は、一方向に長尺な略角柱形状の例えばアルミニウム製の本体１７ａを備える。本体１７ａには、一稜線から内部に向けて形成された、前記一方向に沿って長尺な凹所１７１ａが形成されている。凹所１７１ａは、前記一稜線から内部に向かう方向の途中で２つに分岐しており、２個の第１および第２凹所１７１ａ−１、１７１ａ−２を備える。第１凹所１７１ａ−１の両側面は、それぞれ、第１凹所１７１ａ−１の中央から外側に向けて膨らむ曲面形状であり、所望のグラデーション照明を阻害しない範囲で、若干、光散乱性を有していても良く、その第１底面には、例えばアルミニウム製の放熱板１５−１を介して第１ＬＥＤ基板１４−１が配設されている。第１ＬＥＤ基板１４−１上には、上述した複数の昼白色ＬＥＤ１１−１、複数の電球色ＬＥＤ１２−１および複数のＲＧＢＬＥＤ１３−１が前記一方向に沿って並設されている。すなわち、第１凹所１７１ａ−１の第１底面には、第１ＬＥＤ光源１０−１が配設されている。同様に、第２凹所１７１ａ−２の両側面は、それぞれ、第２凹所１７１ａ−２の中央から外側に向けて膨らむ曲面形状であり、所望のグラデーション照明を阻害しない範囲で、若干、光散乱性を有していても良く、その第２底面には、例えばアルミニウム製の放熱板１５−２を介して第２ＬＥＤ基板１４−２が配設されている。第２ＬＥＤ基板１４−２上には、上述した複数の昼白色ＬＥＤ１１−２、複数の電球色ＬＥＤ１２−２および複数のＲＧＢＬＥＤ１３−２が前記一方向に沿って並設されている。すなわち、第２凹所１７１ａ−２の第２底面には、第２ＬＥＤ光源１０−２が配設されている。これら第１ＬＥＤ光源１０−１と第２ＬＥＤ光源１０−２とは、第１ＬＥＤ光源１０−１の第１光軸ＡＸ１と第２ＬＥＤ光源１０−２の第２光軸ＡＸ２とが互いに交差するように、第１および第２凹所１７１ａ−１、１７１ａ−２それぞれに配置されている。例えば、第１凹所１７１ａ−１の第１底面と第２凹所１７１ａ−２の第２底面とは、それらの各延長面で互いに交差するように、形成されている。第１ＬＥＤ光源１０−１の第１光軸ＡＸ１は、前記一方向に沿って並設された複数の昼白色ＬＥＤ１１−１、複数の電球色ＬＥＤ１２−１および複数のＲＧＢＬＥＤ１３−１の各放射面（発光面）によって形成された第１平面の第１法線方向である。第２ＬＥＤ光源１０−２の第２光軸ＡＸ１は、前記一方向に沿って並設された複数の昼白色ＬＥＤ１１−２、複数の電球色ＬＥＤ１２−２および複数のＲＧＢＬＥＤ１３−２の各放射面（発光面）によって形成された第２平面の第２法線方向である。このように第１光軸ＡＸ１と第２光軸ＡＸ２とを互いに交差させることで、照明装置の発光窓であるカバー部材１６ａの位置で、第１ＬＥＤ光源１０−１からの光束と第２ＬＥＤ光源１０−２からの光束とを重ねることができる発光窓を小面積化できる。すなわち、照明装置全体をコンパクトに構成できる。そして、光源部１から所定の距離だけ離れた放射角度領域では、第１光の一部と第２光の一部とが互いに重なり、被照射面でグラデーション照明が実現される。なお、被照射面上の各点は、光源部１から等距離であっても良く、また光源部１から必ずしも等距離である必要はなく光源部１から距離が変化しても良い。そして、本体１７ａにおける凹所１７１ａの開口近傍には、前記一方向に沿って一対の溝が形成されており、これら一対の溝それぞれに、前記一方向に沿って長尺な湾曲した板状のカバー部材１６ａの両端部が嵌め込まれ、凹所１７１ａの開口がカバー部材１６ａによって閉塞されている。カバー部材１６ａは、第１ＬＥＤ光源１０−１から放射される第１光および第２ＬＥＤ光源１０−２から放射される第２光に対し、透光性を有する材料で形成されている。なお、カバー部材１６ａは、所望のグラデーション照明を阻害しない範囲で、若干、光散乱性を有していても良い。
【００２５】
なお、光源部１は、ＲＧＢＬＥＤ１３のみを備えて構成されても良いが、本実施形態のように、昼白色ＬＥＤ１１や電球色ＬＥＤ１２をさらに備えることで、ＲＧＢＬＥＤ１３のみを備えて構成される場合に較べて、演色性を向上できる。照明装置ＬＤａによって放射させたいグラデーション照明に、昼白色ＬＥＤ１１の昼白色の成分を多く含む場合や、電球色ＬＥＤ１２の電球色の成分を多く含む場合に、本実施形態の照明装置ＬＤａは、より効率よく色と明るさを得ることができる。
【００２６】
制御部２は、互いに異なる色で第１および第２光を放射するように第１および第２ＬＥＤ光源１０−１、１０−２を制御するものである。そして、制御部２は、放射角度領域に照射される第１および第２光が、所定の条件内に含まれるように、第１および第２ＬＥＤ光源１０−１、１０−２を制御する。前記所定の条件については、後述する。制御部２は、例えば、ＣＰＵ（Ｃｅｎｔｒａｌ  Ｐｒｏｃｅｓｓｉｎｇ  Ｕｎｉｔ）２１と、メモリ回路２２と、電流制御回路２３とを備える。
【００２７】
電流制御回路２３は、ＣＰＵ２１の制御に従って第１および第２ＬＥＤ光源１０−１、１０−２における昼白色ＬＥＤ１１−１、１１−２、電球色ＬＥＤ１２−１、１２−２およびＲＧＢＬＥＤ１３−１、１３−２それぞれに流れる各電流を制御する回路である。電流制御回路２３は、例えば、昼白色ＬＥＤ１１−１、１１−２それぞれに流れる各電流を制御する第１電流制御回路２３−１と、電球色ＬＥＤ１２−１、１２−２それぞれに流れる各電流を制御する第２電流制御回路２３−２と、ＲＧＢＬＥＤ１３−１、１３−２それぞれに流れる各電流を制御する第３電流制御回路２３−３とを備える。これら第１ないし第３電流制御回路２３−１〜２３−３それぞれは、例えば、ＣＰＵ２１によって制御される可変電流源等を備えて構成される。電流制御回路２３は、ＰＷＭ（Ｐｕｌｓｅ  Ｗｉｄｔｈ  Ｍｏｄｕｌａｔｉｏｎ）制御によって電流を可変しても良い。
【００２８】
メモリ回路２２は、各種の所定のプログラムおよび各種の所定のデータを記憶する回路である。前記各種の所定のプログラムには、例えば、所定の心理効果を与えるようにグラデーション照明するための照明制御プログラム等が含まれる。前記各種の所定のデータには、心理効果ごとに前記心理効果を与える色の領域をＣＩＥ１９７６ｕ’ｖ’色度図に準拠した座標値で表すデータ等の、前記所定のプログラムの実行に必要なデータ等が含まれる。このようなメモリ回路２２は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。そして、メモリ回路２２は、前記所定のプログラムの実行中に生じるデータ等を記憶するいわゆる前記ＣＰＵのワーキングメモリとなるＲＡＭ（Ｒａｎｄｏｍ  Ａｃｃｅｓｓ  Ｍｅｍｏｒｙ）等を含む。
【００２９】
ＣＰＵ２１は、前記所定のプログラムを読み出して実行することによって、後述のように、所定の心理効果を与えるようにグラデーション照明するための照明制御を行う回路である。
【００３０】
このような構成の第１態様の照明装置ＬＤａは、例えば天井面、壁面および床面等の室内面を被照射面としてグラデーション照明する水平投影型（バー方式）の装置である。例えば、天井面を被照射面としてグラデーション照明する場合には、図６に示すように、床面から所定の高さで壁に設けられた一方向に長尺な板状の長押上に、第１態様の照明装置ＬＤａが配置されて使用される。
【００３１】
次に、本実施形態の動作について説明する。図７は、前記第１態様の照明装置における動作を示すフローチャートである。図８は、範囲外の指定色を範囲内へ変換する手法を説明するための図である。
【００３２】
図７において、まず、ユーザは、照明装置ＬＤａの電源スイッチ素子をオンし、照明装置ＬＤａを稼働させる。そして、ユーザは、グラデーション照明するべく、入力部３から発光色を入力する。この発光色の入力には、例えば、上述の第１ないし第３色選択方法のいずれかが用いられる。このように発光色が入力部３を介して入力される（Ｓ１）。
【００３３】
ユーザから入力部３を介して発光色の入力を受け付けると、ＣＰＵ２１は、入力された発光色をＣＩＥ１９７６ｕ’ｖ’色度図におけるｕ’ｖ’座標値に変換する（Ｓ２）。例えば、発光色がＣＩＥのＲＧＢ表色系のＲ値、Ｇ値およびＢ値で入力された場合には、ＲＧＢ表色系のＲ値、Ｇ値およびＢ値が公知の変換式によってｕ’ｖ’座標系のｕ’値およびｖ’値に変換される。また例えば、発光色がＣＩＥのＸＹＺ表色系のＸ値、Ｙ値およびＺ値で入力された場合には、ＸＹＺ表色系のＸ値、Ｙ値およびＺ値が公知の変換式によってｕ’ｖ’座標系のｕ’値およびｖ’値に変換される。
【００３４】
次に、ＣＰＵ２１は、この座標変換されたｕ’値およびｖ’値の色（処理Ｓ２による色、ユーザによって入力された発光色）が所定の心理効果を与える色の範囲（条件）内であるか否かを、メモリ回路２２に記憶された前記所定の心理効果を与える色の範囲（条件）を表すデータに基づいて判定する（Ｓ３）。
【００３５】
例えば、ユーザが任意に所望の色相組合せを選択した場合も、心理的に受け入れられる好適な照明を提供する場合には、後述するように、前記範囲（条件）は、前記第１および第２光の最大彩度となる光の色度域が、ＣＩＥ１９７６ｕ’ｖ’色度図において、（ｕ’，ｖ’）の座標点Ｒ＿４（０．４４０、０．５０６）、Ｒ−ＯＲ＿４（０．４１９、０．５２１）、ＯＲ＿４（０．３９８、０．５３７）、ＯＲ−Ｙ＿４（０．３０２、０．５４９）、Ｙ＿４（０．２３７，０．５５７）、Ｙ−Ｇ＿４（０．２０４、０．５５９）、Ｇ＿４（０．０８５、０．５６８）、Ｇ−ＢＧ＿４（０．０９８、０．４８３）、ＢＧ＿４（０．１１２、０．３９８）、ＢＧ−Ｂ＿４（０．１２２、０．３６１）、Ｂ＿４（０．１７３、０．１６９）、Ｂ−Ｐ＿４（０．２４５、０．２３０）、Ｐ＿４（０．３１７、０．２９１）、Ｐ−Ｒ＿４（０．３７９、０．３９８）の各点を結ぶことによって得られる上限境界閉ループ線と、（ｕ’，ｖ’）の座標点Ｒ＿１（０．２６８、０．４８２）、Ｒ−ＯＲ＿１（０．２６２、０．４８５）、ＯＲ＿１（０．２５７、０．４８９）、ＯＲ−Ｙ＿１（０．２３３、０．４９２）、Ｙ＿１（０．２１７、０．４９４）、Ｙ−Ｇ＿１（０．２０９、０．４９５）、Ｇ＿１（０．１７９、０．４９７）、Ｇ−ＢＧ＿１（０．１８２、０．４７６）、ＢＧ＿１（０．１８６、０．４５５）、ＢＧ−Ｂ＿１（０．１８８、０．４４５）、Ｂ＿１（０．２０１、０．３９７）、Ｂ−Ｐ＿１（０．２１９、０．４１３）、Ｐ＿１（０．２３７、０．４２８）、Ｐ−Ｒ＿１（０．２５２、０．４５５）の各点を結ぶことによって得られる下限境界閉ループ線との間の第１色度領域に含まれることである。
【００３６】
この処理Ｓ３の判定の結果、前記処理Ｓ２による色が前記所定の心理効果を与える色の範囲（条件）内である場合（Ｙｅｓ）には、ＣＰＵ２１は、処理Ｓ６を実行し、一方、前記判定の結果、前記処理Ｓ２による色が前記所定の心理効果を与える色の範囲（条件）内ではない場合（Ｎｏ）には、すなわち、前記処理Ｓ２による色が前記所定の心理効果を与える色の範囲を外れる場合（Ｎｏ）には、ＣＰＵ２１は、処理Ｓ４を実行する。
【００３７】
処理Ｓ４において、ＣＰＵ２１は、前記処理Ｓ２による色（ユーザによって入力された発光色）を前記所定の心理効果を与える色の範囲内へ変換するか否かを判定する。例えば、変換するか否かをユーザに問い合わせる表示を行う表示部（入力部３が通信回路を含む場合には前記スマートフォンやタブレット型コンピュータの表示部であってもよい）がさらに照明装置ＬＤａに備えられ、入力部３を介してユーザによって変換の許否が入力され、この入力に応じて前記判定が実行されてもよい。なお、処理Ｓ４が省略され、処理Ｓ３で前記処理Ｓ２による色が前記所定の心理効果を与える色の範囲（条件）内ではない場合と判定されると、次の処理Ｓ５が実行され、前記処理Ｓ２による色（ユーザによって入力された発光色）を前記所定の心理効果を与える色の範囲内へ自動的に変換するように、照明装置ＬＤａが構成されてもよい。また例えば、表示部がさらに照明装置ＬＤａに備えられ、前記処理Ｓ２による色（ユーザによって入力された発光色）が前記所定の心理効果を与える色の範囲（条件）を外れている旨の警告が前記表示部に表示されてもよい。
【００３８】
処理Ｓ５において、ＣＰＵ２１は、前記処理Ｓ２による色（ユーザによって入力された発光色）を前記所定の心理効果を与える色の範囲（条件）内となるように変換する。この変換では、例えば、図８に示すように、前記処理Ｓ２による色（ユーザによって入力された発光色）は、前記処理Ｓ２による色のｕ’ｖ’座標値で表される点（ユーザの指定色点）と前記所定の心理効果を与える色の範囲の中心点（白色点）とを結ぶ線分が、前記所定の心理効果を与える色の範囲の境界と交差する点（変換色点）の色に変換される。そして、処理Ｓ５に続いて処理Ｓ６が実行される。
【００３９】
処理Ｓ６において、ＣＰＵ２１は、処理Ｓ３でＹｅｓと判定された場合には、前記処理Ｓ２による色（ユーザによって入力された発光色）で第１および第２ＬＥＤ光源１０−１、１０−２が発光するように、電流制御回路２３を介して第１および第２ＬＥＤ光源１０−１、１０−２を電流制御する。ＣＰＵ２１は、処理Ｓ３でＮｏと判定された場合には、処理Ｓ５で変換されたｕ’値およびｖ’値の色で第１および第２ＬＥＤ光源１０−１、１０−２が発光するように、電流制御回路２３を介して第１および第２ＬＥＤ光源１０−１、１０−２を電流制御する。例えば、ＲＧＢＬＥＤ１３によって発光色を放射する場合では、例えば８ビット分解能で表されるＲ値、Ｇ値およびＢ値の３色の混合比率を前記発光色に応じて設定することで、前記発光色を放射できる。なお、昼白色ＬＥＤ１１や電球色ＬＥＤ１２を用いる場合には、昼白色光や電球色光の比率に応じてＲ値、Ｇ値およびＢ値の３色の混合比率が適宜に調整される。これによって第１および第２ＬＥＤ光源１０−１、１０−２は、第１および第２光それぞれを放射し、例えば、図６に示すように、第１および第２光で被照明面の天井面をグラデーション照明する。
【００４０】
このような本実施形態における照明装置ＬＤａおよびこれに実装された照明方法では、互いに異なる色で第１および第２ＬＥＤ光源１０−１、１０−２から放射された第１および第２光は、それら各一部が放射角度領域で互いに重なるように放射されるので、本実施形態における照明装置ＬＤａおよびこれに実装された照明方法は、グラデーション照明できる。そして、本実施形態における照明装置ＬＤａおよびこれに実装された照明方法は、前記第１および第２光が後述の所定の心理効果を与える色度領域に含まれるので、人に所定の心理効果を与える光でグラデーション照明できる。したがって、本実施形態における照明装置ＬＤａおよびこれに実装された照明方法は、照明光の環境下に居る人に、所定の心理効果を好適に与えることができる。
【００４１】
（実験；実施例、比較例）
図９は、実験室内の様子を説明するための図である。図９Ａは、平面図であり、図９Ｂは、側面図である。図１０は、ＣＩＥ１９７６ｕ’ｖ’色度図上における実験に用いた照明装置ＬＤの色光の範囲および実験に用いられた色光条件を示す図である。図１０には、実験に用いた照明装置ＬＤの色光の範囲の境界が破線で示され、実験に用いられた色光条件が実線で示されている。図１１は、受け入れられる、という心理効果に関する実験結果を示す図である。図１２は、快適感、という心理効果に関する実験結果を示す図である。図１３は、くつろぎ感、という心理効果に関する実験結果を示す図である。図１４は、すっきり感、という心理効果に関する実験結果を示す図である。図１５は、集中できる、という心理効果に関する実験結果を示す図である。図１６は、眠気、という心理効果に関する実験結果を示す図である。図１７は、眠気を覚ます、という心理効果に関する実験結果を示す図である。図１８は、ｕ’ｖ’色度図において、白色領域、低彩度青領域ないし高彩度紫領域の各領域を示すための図である。
【００４２】
上述の照明装置ＬＤａによって人に所定の心理効果を与えるグラデーション照明を実現するために、以下の実験が行われた。
【００４３】
本実験は、２色の間接照明光によって部屋の壁面（放射角度領域）を照明された室内空間の印象を、心理物理学実験で行われた。変数は、間接照明光の色相および彩度である。
【００４４】
実験環境は、図９に示す実験ブース内である。この実験ブースの大きさは、幅３０００ｍｍ×奥行３０００ｍｍ×高さ２４００ｍｍであり、一般的な住宅個室が想定されている。ブース内中央には、ローテーブルＬＴ（株式会社ニトリ製／色：ホワイト：幅９００ｍｍ×奥行き５５０ｍｍ×高さ４２０ｍｍ／素材：ＭＤＦ、ＭＥＬＡＭＩＮＥ）が配置され、その上に、照明装置ＬＤが設置されている。この照明装置ＬＤは、白色スチレンボード製の目隠し部材（幅３００ｍｍ×奥行き２００ｍｍ×高さ３００ｍｍ)によって被験者ＳＰの目に触れないようにされた。被験者ＳＰは、実験ブース内の後方の壁付近に置かれたオフィスチェアＯＣに座り、実験ブース内全体を観察する。実験中は、実験ブース内の照明の影響を避けるため、消灯し、０ルクスとされた。
【００４５】
照明装置ＬＤは、上述した第１態様の照明装置ＬＤａと略同構造であり、前方方向と上方方向に異なる色で第１および第２光それぞれを放射できる装置である。この照明装置ＬＤは、コンピュータ上でＲ値、Ｇ値、Ｂ値をそれぞれ０〜２５５の間で指定でき、前方方向と上方方向それぞれに任意の色で第１および第２光それぞれを放射可能である。なお、実験の際における照明装置ＬＤの操作は、実験ブース外に配置されたコンピュータによって行われた。
【００４６】
実験条件の色相条件として、基本色である赤、青、緑、黄と、その中間色の橙、紫、青緑および白の合計８色が採用された。彩度条件は、有彩色７色それぞれに対して高彩度条件と低彩度条件の２条件が用意された。前記高彩度条件は、各色相に対して照明装置ＬＤが呈示できる最も純度の高い色とした。ただし、色相によっては飽和度が高く、明らかに実験ブース室内空間に投影することは、不適切と思われる光色が何種類かあったため、被験者６名によって予備実験が行われ、許容可能な純度まで落とされた。その結果、赤は、純度７０％まで許容できると結論づけられ、青と緑とは、純度９０％まで許容できると結論付けられた。このため、これら３色は、純度が落とされた。他の色は、純度１００％である。低彩度条件は、各色相の高彩度条件から白色への純度５０％の位置とした。
【００４７】
図１０には、実験に用いられた照明装置ＬＤから放射できる光色の範囲と、実験に採用した全１５色とがｕ’ｖ’色度座標上で示されている。表１には、各色のｕ’ｖ’色度値が示されている。すなわち、高彩度条件において、紫（高紫）は、（０．３１７４、０．２９０６）であり、赤（高赤）は、（０．４３９６、０．５０５５）であり、橙（高橙）は、（０．３９７５、０．５３７０）であり、黄（高黄）は、（０．２３７２、０．５５７２）であり、緑（高緑）は、（０．０８４５、０．５６８１）であり、青緑（高青緑）は、（０．１１１６、０．３９８１）であり、そして、青（高青）は、（０．１７２６、０．１６９０）である。低彩度条件において、紫（低紫）は、（０．２６４０、０．３８２１）であり、赤（低赤）は、（０．３２５１、０．４８９６）であり、橙（低橙）は、（０．３０４０、０．５０５３）であり、黄（低黄）は、（０．２２３９、０．５１５４）であり、緑（低緑）は、（０．１４７５、０．５２０９）であり、青緑（低青緑）は、（０．１６１１、０．４３５９）であり、そして、青（低青）は、（０．１９１５、０．３２１４）である。無彩色の白（白）は、（０．２１０４、０．４７３５）である。なお、これらは、ＣＩＥ１９７６ｕ’ｖ’色度図に準拠している。
【００４８】
以上より、{７色（有彩色）×２（彩度条件）＋１色（白色）}＝１５色の、前方方向（放射角度領域の壁面における床側）と上方方向（放射角度領域の壁面における天井側）との入れ替えを含む順列、すなわち全２１０条件が条件数とされた。なお、これには、互いに異なる２色での間接照明を目的としているため、上方方向と前方方向が同じ色光となる条件は、含まれていない。前記白色は、後述の白色領域の代表であり、前記低青は、後述の低彩度青領域の代表であり、前記低青緑は、後述の低彩度青緑領域の代表であり、前記低緑は、後述の低彩度緑領域の代表であり、前記低黄は、後述の低彩度黄領域の代表であり、前記低橙は、後述の低彩度橙領域の代表であり、前記低赤は、後述の低彩度赤領域の代表であり、前記低紫は、後述の低彩度紫領域の代表であり、前記高青は、後述の高彩度青領域の代表であり、前記高青緑は、後述の高彩度青緑領域の代表であり、前記高緑は、後述の高彩度緑領域の代表であり、前記高黄は、後述の高彩度黄領域の代表であり、前記高橙は、後述の高彩度橙領域の代表であり、前記高赤は、後述の高彩度赤領域の代表であり、前記高紫は、後述の高彩度紫領域の代表である。
【００４９】
表１に示すように、各色の最大出力時の照度は、色により最大照度Ｅｖが大きく異なるため、高紫の１６００ルクスが基準とされ、各色の照度は、１６００ルクスに調節された。なお、照度は、発光面からの垂直距離１０ｃｍで測定された。ただし、高青は、最大でも５００ルクス程度しか出力できないため、高青のみ、その最大出力とされた。
【００５０】
【表１】
0006466404.tif 000002
【００５１】
評価項目は、次の１９組の形容詞対および１つの任意回答である。これら形容詞対には、既往研究で使用されている一般的な形容詞対に加え、実際の用途やシーンに直接結び付くような形容詞対も含められた。１〜１９番の各項目の評価方法は、セマンディックディファレンシャル法（ＳＤ法）が使用され、被験者は、評価値０を“どちらでもない”とした評価値−３〜＋３の７段階で評価した。２０番目の項目では、呈示された照明空間を見て、何かイメージしたものや言葉等がある場合に、記入された。
１番；受け入れられる  −  受け入れられない
２番；好き  −  嫌い
３番；賑やかな  −  静かな
４番；軽い  −  重い
５番；暗い  −  明るい
６番；くつろいだ  −  緊張した
７番；目が覚める  −  眠くなる
８番；活動を終えたくなる  −  活動を始めたくなる
９番；すっきり  −  どんより
１０番；集中できる  −  気が散る
１１番；不安  −  安心
１２番；わくわくする  −  つまらない
１３番；懐かしい  −  近未来な
１４番；自然的な  −  人工的な
１５番；快適  −  不快
１６番；温かい  −  冷たい
１７番；斬新な  −  ありきたりな
１８番；狭い  −  広い
１９番；けばけばしい  −  けばけばしくない
２０番；何かイメージできるもの（任意回答）
【００５２】
被験者ＳＰは、２０代の日本人男性３名および女性３名の計６名である。
【００５３】
実験手順は、次の通りである。被験者ＳＰには、次の実験手順を説明する実験手順欄と各項目の評価値を記入する記入欄とを備えたインストラクションシートが配られ、実験が説明される。その後、被験者ＳＰは、非照明の実験ブース内に入り、１分間の閉眼状態で待機する。実験者の合図の後に、被験者ＳＰは、実験ブース内に呈示された照明空間を３０秒観察し、実験者の合図の後、各項目の評価を評価用紙に記入する。記入が終わり次第、被験者ＳＰは、実験者にその返事を行い、実験者は、照明光を消す。その後、被験者ＳＰは、目を閉じて閉眼状態で待機し、１０秒後に、次の照明条件で実験ブース内に呈示された照明空間を観察する。以下、同様の手順が全照明条件に対して繰り返される。実験は、上述したように２１０の照明条件を３セットに分けて行われ、１セット当たりの所要時間は、約２時間であった。１回の実験につき最大３人まで同時に実験が行われた。
【００５４】
この実験結果が図１１ないし図１７にバブルチャートで示されている。これらバブルチャートにおいて、横方向には、前方方向（放射角度領域の壁面における床側）に放射される第１光の色相が示され、縦方向には、上方方向（放射角度領域の壁面における天井側）に放射される第２光の色相が示され、交点には、その横方向の色相の第１光および縦方向の色相の第２光を実験ブース内に放射した場合の評価値が○の大きさで示されている。○は、プラス値（＋１〜＋３）を表し、●は、マイナス値（−１〜−３）を表す。例えば、最も大きな○は、＋３であり、最も大きな●は、−３である。評価値は、被験者６人の平均値である。
【００５５】
図１１には、１番目の評価項目「受け入れられる  −  受け入れられない」に関する実験結果が示されている。図１１では、受け入れられる場合には、プラスの評価値となって、評価値が○で表され、受け入れられない場合には、マイナスの評価値となって、評価値が●で表される。図１２には、１５番目の評価項目「１５番；快適  −  不快」に関する実験結果が示されている。図１２では、快適である場合には、プラスの評価値となって、評価値が○で表され、不快である場合には、マイナスの評価値となって、評価値が●で表される。図１３には、６番目の評価項目「くつろいだ  −  緊張した」に関する実験結果が示されている。図１３では、くつろいだ場合には、プラスの評価値となって、評価値が○で表され、緊張した場合には、マイナスの評価値となって、評価値が●で表される。図１４には、９番目の評価項目「すっきり  −  どんより」に関する実験結果が示されている。図１４では、すっきりした場合には、プラスの評価値となって、評価値が○で表され、どんよりした場合には、マイナスの評価値となって、評価値が●で表される。図１５には、１０番目の評価項目「集中できる  −  気が散る」に関する実験結果が示されている。図１５では、集中できる場合には、プラスの評価値となって、評価値が○で表され、気が散る場合には、マイナスの評価値となって、評価値が●で表される。図１６および図１７には、７番目の評価項目「目が覚める  −  眠くなる」に関する実験結果が示されている。図１６および図１７では、眠気が覚める場合には、プラスの評価値となって、評価値が○で表され、眠くなる場合には、マイナスの評価値となって、評価値が●で表される。
【００５６】
そして、これらを基に、同じ照明条件に対し、各心理効果を対比するために、実施例１ないし実施例６および比較例が選定され、その結果が表２に示されている。
【００５７】
【表２】
0006466404.tif 000003
【００５８】
実施例１は、前方方向（放射角度領域の壁面における床側）に放射される第１光の色相が低青緑であり、上方方向（放射角度領域の壁面における天井側）に放射される第２光の色相が高青であり、評価項目「受け入れられる」、評価項目「快適感」、評価項目「くつろぎ感」、評価項目「すっきり感」、評価項目「集中できる」、評価項目「入眠」および評価項目「眠気を覚ます」の各評価値は、それぞれ、１．６、１．６、２、１．６、１．１、−０．５７および０．５７である。
【００５９】
したがって、実施例１のグラデーション照明は、人に最もくつろぎ感を与えることができ、評価値１以上で心理効果があると認定すると、実施例１のグラデーション照明は、人に、受け入れられる、快適感、くつろぎ感、すっきり感および集中できる、という各心理効果を与えることができる。
【００６０】
実施例２は、前方方向に放射される第１光の色相が低黄であり、上方方向に放射される第２光の色相が低青であり、評価項目「受け入れられる」、評価項目「快適感」、評価項目「くつろぎ感」、評価項目「すっきり感」、評価項目「集中できる」、評価項目「入眠」および評価項目「眠気を覚ます」の各評価値は、それぞれ、１．４３、１．１、１．１、１、１、−０．２９および０．２９である。
【００６１】
したがって、実施例２のグラデーション照明は、人に最も受け入れられ感を与えることができ、評価値１以上で心理効果があると認定すると、実施例２のグラデーション照明は、人に、受け入れられる、快適感、くつろぎ感、すっきり感および集中できる、という各心理効果を与えることができる。
【００６２】
実施例３は、前方方向に放射される第１光の色相が高黄であり、上方方向に放射される第２光の色相が低青であり、評価項目「受け入れられる」、評価項目「快適感」、評価項目「くつろぎ感」、評価項目「すっきり感」、評価項目「集中できる」、評価項目「入眠」および評価項目「眠気を覚ます」の各評価値は、それぞれ、１．１、１．１、１．６、１、０．５７、−０．１４および０．１４である。
【００６３】
したがって、実施例３のグラデーション照明は、人に最もくつろぎ感を与えることができ、評価値１以上で心理効果があると認定すると、実施例３のグラデーション照明は、人に、受け入れられる、快適感、くつろぎ感およびすっきり感、という各心理効果を与えることができる。
【００６４】
実施例４は、前方方向に放射される第１光の色相が低青であり、上方方向に放射される第２光の色相が高黄であり、評価項目「受け入れられる」、評価項目「快適感」、評価項目「くつろぎ感」、評価項目「すっきり感」、評価項目「集中できる」、評価項目「入眠」および評価項目「眠気を覚ます」の各評価値は、それぞれ、１．７、１．１、１．１、０．５７、０．８５、−０．４２および０．４２である。
【００６５】
したがって、実施例４のグラデーション照明は、人に最も受け入れられ感を与えることができ、評価値１以上で心理効果があると認定すると、実施例４のグラデーション照明は、人に、受け入れられる、快適感およびくつろぎ感、という各心理効果を与えることができる。
【００６６】
実施例５は、前方方向に放射される第１光の色相が高紫であり、上方方向に放射される第２光の色相が高赤であり、評価項目「受け入れられる」、評価項目「快適感」、評価項目「くつろぎ感」、評価項目「すっきり感」、評価項目「集中できる」、評価項目「入眠」および評価項目「眠気を覚ます」の各評価値は、それぞれ、−２、−１．９、−１．９、−０．２９、−２、−２および２である。
【００６７】
したがって、実施例５のグラデーション照明は、評価値１以上で心理効果があると認定すると、人に、眠気を覚ます、という各心理効果を与えることができる。
【００６８】
実施例６は、前方方向に放射される第１光の色相が低赤であり、上方方向に放射される第２光の色相が高青緑であり、評価項目「受け入れられる」、評価項目「快適感」、評価項目「くつろぎ感」、評価項目「すっきり感」、評価項目「集中できる」、評価項目「入眠」および評価項目「眠気を覚ます」の各評価値は、それぞれ、１、１、０．８６、０．１４、０．２９、１．２９および−１．２９である。
【００６９】
したがって、実施例６のグラデーション照明は、評価値１以上で心理効果があると認定すると、人に、受け入れられる、快適感および入眠、という各心理効果を与えることができる。
【００７０】
これに対し、比較例１は、前方方向に放射される第１光の色相が高紫であり、上方方向に放射される第２光の色相が低緑であり、評価項目「受け入れられる」、評価項目「快適感」、評価項目「くつろぎ感」、評価項目「すっきり感」、評価項目「集中できる」および評価項目「眠気を覚ます」の各評価値は、それぞれ、−０．８５、−１．４、−０．８６、−１．１、−０．７１および−０．７１である。
【００７１】
したがって、比較例１のグラデーション照明は、評価値１以上で心理効果があると認定すると、人に、いずれの心理効果も与えることができない。
【００７２】
なお、これら実施例１ないし実施例６および比較例１において、視野中心は、前方方向（放射角度領域の一部の第１領域の一例）とされ、視野周辺は、上方方向（前記第１領域と異なる前記放射角度領域の一部の第２領域の一例）とされた。
【００７３】
上述の結果から、人に受け入れられる光で放射角度領域をグラデーション照明するためには、照明装置ＬＤａの制御部２は、前記放射角度領域に照射される第１および第２光の最大彩度となる光の色度域が、ＣＩＥ１９７６ｕ’ｖ’色度図において、（ｕ’，ｖ’）の座標点Ｒ＿４（０．４４０、０．５０６）、Ｒ−ＯＲ＿４（０．４１９、０．５２１）、ＯＲ＿４（０．３９８、０．５３７）、ＯＲ−Ｙ＿４（０．３０２、０．５４９）、Ｙ＿４（０．２３７，０．５５７）、Ｙ−Ｇ＿４（０．２０４、０．５５９）、Ｇ＿４（０．０８５、０．５６８）、Ｇ−ＢＧ＿４（０．０９８、０．４８３）、ＢＧ＿４（０．１１２、０．３９８）、ＢＧ−Ｂ＿４（０．１２２、０．３６１）、Ｂ＿４（０．１７３、０．１６９）、Ｂ−Ｐ＿４（０．２４５、０．２３０）、Ｐ＿４（０．３１７、０．２９１）、Ｐ−Ｒ＿４（０．３７９、０．３９８）の各点を結ぶことによって得られる上限境界閉ループ線と、（ｕ’，ｖ’）の座標点Ｒ＿１（０．２６８、０．４８２）、Ｒ−ＯＲ＿１（０．２６２、０．４８５）、ＯＲ＿１（０．２５７、０．４８９）、ＯＲ−Ｙ＿１（０．２３３、０．４９２）、Ｙ＿１（０．２１７、０．４９４）、Ｙ−Ｇ＿１（０．２０９、０．４９５）、Ｇ＿１（０．１７９、０．４９７）、Ｇ−ＢＧ＿１（０．１８２、０．４７６）、ＢＧ＿１（０．１８６、０．４５５）、ＢＧ−Ｂ＿１（０．１８８、０．４４５）、Ｂ＿１（０．２０１、０．３９７）、Ｂ−Ｐ＿１（０．２１９、０．４１３）、Ｐ＿１（０．２３７、０．４２８）、Ｐ−Ｒ＿１（０．２５２、０．４５５）の各点を結ぶことによって得られる下限境界閉ループ線との間の第１色度領域に含まれるように、第１および第２ＬＥＤ光源１０−１、１０−２を制御すればよい。このような照明装置ＬＤａは、照明光の環境下に居る人に、照明光の環境下に居る人に、任意に所望の色相組合せを選択した場合も、心理的に受け入れられる好適な照明を提供できる。
【００７４】
また、人に快適感を与える光で放射角度領域をグラデーション照明するためには、照明装置ＬＤａの制御部２は、前記放射角度領域の一部の第１領域に照射される第１光、および、前記第１領域と異なる前記放射角度領域の一部の第２領域に照射される第２光が、ＣＩＥ１９７６ｕ’ｖ’色度図において、前記第１色度領域に含まれる下記（２Ａ）ないし（２Ｍ）のいずれかの条件を満たすように、第１および第２ＬＥＤ光源１０−１、１０−２を制御すればよい。このような照明装置ＬＤａは、照明光の環境下に居る人に、快適感という心理効果を好適に与えることができる。
【００７５】
条件（２Ａ）は、前記第１領域に照射される第１光が下記によって定義される白色領域に含まれ、かつ、前記第２領域に照射される第２光が下記によって定義される低彩度青領域、低彩度青緑領域、低彩度緑領域、低彩度黄領域、低彩度橙領域、低彩度赤領域、低彩度紫領域、高彩度青領域、高彩度青緑領域、高彩度緑領域、高彩度黄領域、高彩度橙領域、高彩度赤領域および高彩度紫領域の各領域のいずれかに含まれることである。条件（２Ｂ）は、前記第１領域に照射される第１光が下記によって定義される低彩度青領域に含まれ、かつ、前記第２領域に照射される第２光が下記によって定義される白色領域、低彩度青緑領域、低彩度緑領域、低彩度黄領域、低彩度橙領域、低彩度赤領域、低彩度紫領域、高彩度青領域、高彩度青緑領域、高彩度緑領域、高彩度黄領域、高彩度橙領域、高彩度赤領域および高彩度紫領域の各領域のいずれかに含まれることである。条件（２Ｃ）は、前記第１領域に照射される第１光が下記によって定義される低彩度青緑領域に含まれ、かつ、前記第２領域に照射される第２光が下記によって定義される白色領域、低彩度青領域、低彩度緑領域、低彩度黄領域、低彩度橙領域、低彩度赤領域、低彩度紫領域、高彩度青領域、高彩度青緑領域、高彩度緑領域、高彩度黄領域、高彩度橙領域、高彩度赤領域および高彩度紫領域の各領域のいずれかに含まれることである。条件（２Ｄ）は、前記第１領域に照射される第１光が下記によって定義される低彩度緑領域に含まれ、かつ、前記第２領域に照射される第２光が下記によって定義される白色領域、低彩度青領域、低彩度青緑領域、低彩度黄領域、低彩度橙領域、低彩度赤領域、低彩度紫領域、高彩度青領域、高彩度青緑領域、高彩度緑領域、高彩度黄領域、高彩度橙領域、高彩度赤領域および高彩度紫領域の各領域のいずれかに含まれることである。条件（２Ｅ）は、前記第１領域に照射される第１光が下記によって定義される低彩度黄領域に含まれ、かつ、前記第２領域に照射される第２光が下記によって定義される白色領域、低彩度青領域、低彩度青緑領域、低彩度緑領域、低彩度橙領域、低彩度赤領域、低彩度紫領域、高彩度青領域、高彩度青緑領域、高彩度緑領域、高彩度黄領域、高彩度橙領域、高彩度赤領域および高彩度紫領域の各領域のいずれかに含まれることである。条件（２Ｆ）は、前記第１領域に照射される第１光が下記によって定義される低彩度橙領域に含まれ、かつ、前記第２領域に照射される第２光が下記によって定義される白色領域、低彩度青領域、低彩度青緑領域、低彩度緑領域、低彩度黄領域、低彩度赤領域、低彩度紫領域、高彩度青領域、高彩度青緑領域、高彩度緑領域、高彩度黄領域、高彩度橙領域、高彩度赤領域および高彩度紫領域の各領域のいずれかに含まれることである。条件（２Ｇ）は、前記第１領域に照射される第１光が下記によって定義される低彩度赤領域に含まれ、かつ、前記第２領域に照射される第２光が下記によって定義される白色領域、低彩度青領域、低彩度青緑領域、低彩度緑領域、低彩度黄領域、低彩度橙領域、低彩度紫領域、高彩度青領域、高彩度青緑領域、高彩度緑領域、高彩度黄領域、高彩度橙領域、高彩度赤領域および高彩度紫領域の各領域のいずれかに含まれることである。条件（２Ｈ）は、前記第１領域に照射される第１光が下記によって定義される低彩度紫領域に含まれ、かつ、前記第２領域に照射される第２光が下記によって定義される白色領域、低彩度青領域、低彩度青緑領域、低彩度緑領域、低彩度黄領域、低彩度橙領域、低彩度赤領域、高彩度青領域、高彩度青緑領域、高彩度緑領域、高彩度黄領域、高彩度橙領域、高彩度赤領域および高彩度紫領域の各領域のいずれかに含まれることである。条件（２Ｉ）は、前記第１領域に照射される第１光が下記によって定義される高彩度青領域に含まれ、かつ、前記第２領域に照射される第２光が下記によって定義される白色領域、低彩度青領域、低彩度青緑領域、低彩度緑領域、低彩度黄領域、低彩度橙領域、低彩度赤領域、低彩度紫領域、高彩度青緑領域、高彩度緑領域、高彩度黄領域、高彩度橙領域、高彩度赤領域および高彩度紫領域の各領域のいずれかに含まれることである。条件（２Ｊ）は、前記第１領域に照射される第１光が下記によって定義される高彩度青緑領域に含まれ、かつ、前記第２領域に照射される第２光が下記によって定義される白色領域、低彩度青領域、低彩度青緑領域、低彩度緑領域、低彩度黄領域、低彩度橙領域、低彩度赤領域、低彩度紫領域、高彩度青領域、高彩度緑領域、高彩度黄領域、高彩度橙領域、高彩度赤領域および高彩度紫領域の各領域のいずれかに含まれることである。条件（２Ｋ）は、前記第１領域に照射される第１光が下記によって定義される高彩度緑領域に含まれ、かつ、前記第２領域に照射される第２光が下記によって定義される白色領域、低彩度青領域、低彩度青緑領域、低彩度緑領域、低彩度黄領域、低彩度橙領域、低彩度赤領域、低彩度紫領域、高彩度青領域、高彩度青緑領域、高彩度黄領域、高彩度橙領域、高彩度赤領域および高彩度紫領域の各領域のいずれかに含まれることである。条件（２Ｌ）は、前記第１領域に照射される第１光が下記によって定義される高彩度黄領域に含まれ、かつ、前記第２領域に照射される第２光が下記によって定義される白色領域、低彩度青領域、低彩度青緑領域、低彩度緑領域、低彩度黄領域、低彩度橙領域、低彩度赤領域、低彩度紫領域、高彩度青領域、高彩度青緑領域、高彩度緑領域、高彩度橙領域、高彩度赤領域および高彩度紫領域の各領域のいずれかに含まれることである。条件（２Ｍ）は、前記第１領域に照射される第１光が下記によって定義される高彩度橙領域に含まれ、かつ、前記第２領域に照射される第２光が下記によって定義される白色領域、低彩度青領域、低彩度青緑領域、低彩度緑領域、低彩度黄領域、低彩度橙領域、低彩度赤領域、低彩度紫領域、高彩度青領域、高彩度青緑領域、高彩度緑領域、高彩度黄領域、高彩度赤領域および高彩度紫領域の各領域のいずれかに含まれることである。
【００７６】
すなわち、視野中心となる、前方方向（放射角度領域の一部の第１領域の一例）では、不快な高彩度青領域、高彩度赤領域の照明光は、避けるべきである。しかし、視野周辺となる、上方方向（前記第１領域と異なる前記放射角度領域の一部の第２領域の一例）では、グラデーション照明の演出効果、心理効果を高めるために、高彩度青領域、高彩度赤領域の照明光を使用することが効果的な場合がある。
【００７７】
また、人にくつろぎ感を与える光で放射角度領域をグラデーション照明するためには、照明装置ＬＤａの制御部２は、前記放射角度領域の一部の第１領域に照射される第１光、および、前記第１領域と異なる前記放射角度領域の一部の第２領域に照射される第２光が、ＣＩＥ１９７６ｕ’ｖ’色度図において、前記第１色度領域に含まれる下記（３Ａ）ないし（３Ｍ）のいずれかの条件を満たすように、第１および第２ＬＥＤ光源１０−１、１０−２を制御すればよい。このような照明装置ＬＤａは、照明光の環境下に居る人に、くつろぎ感という心理効果を好適に与えることができる。
【００７８】
条件（３Ａ）は、前記放射角度領域の一部の第１領域に照射された第１光が下記によって定義される白色領域に含まれ、かつ、前記第１領域と異なる前記放射角度領域の一部の第２領域に照射された第２光が下記によって定義される低彩度青領域、低彩度青緑領域、低彩度緑領域、低彩度赤領域、低彩度紫領域、高彩度青領域、高彩度青緑領域、高彩度緑領域および高彩度黄領域の各領域のいずれかに含まれることであり、条件（３Ｂ）は、前記放射角度領域の一部の第１領域に照射された第１光が下記によって定義される低彩度青領域に含まれ、かつ、前記第１領域と異なる前記放射角度領域の一部の第２領域に照射された第２光が下記によって定義される低彩度青緑領域、低彩度橙領域、低彩度赤領域、高彩度青領域、高彩度緑領域および高彩度黄領域の各領域のいずれかに含まれることであり、条件（３Ｃ）は、前記放射角度領域の一部の第１領域に照射された第１光が下記によって定義される低彩度青緑領域に含まれ、かつ、前記第１領域と異なる前記放射角度領域の一部の第２領域に照射された第２光が下記によって定義される白色領域、低彩度青領域、低彩度緑領域、低彩度黄領域、低彩度橙領域、低彩度赤領域、低彩度紫領域、高彩度青領域、高彩度青緑領域、高彩度緑領域、高彩度黄領域および高彩度橙領域の各領域のいずれかに含まれることであり、条件（３Ｄ）は、前記放射角度領域の一部の第１領域に照射された第１光が下記によって定義される低彩度緑領域に含まれ、かつ、前記第１領域と異なる前記放射角度領域の一部の第２領域に照射された第２光が下記によって定義される白色領域、低彩度青領域、低彩度青緑領域、低彩度黄領域、低彩度橙領域、低彩度赤領域、高彩度青領域、高彩度青緑領域および高彩度黄領域の各領域のいずれかに含まれることであり、条件（３Ｅ）は、前記放射角度領域の一部の第１領域に照射された第１光が下記によって定義される低彩度黄領域に含まれ、かつ、前記第１領域と異なる前記放射角度領域の一部の第２領域に照射された第２光が下記によって定義される白色領域、低彩度青領域、低彩度青緑領域、低彩度緑領域、低彩度橙領域、低彩度紫領域、高彩度青領域、高彩度青緑領域、高彩度緑領域、高彩度橙領域および高彩度紫領域の各領域のいずれかに含まれることであり、条件（３Ｆ）は、前記放射角度領域の一部の第１領域に照射された第１光が下記によって定義される低彩度橙領域に含まれ、かつ、前記第１領域と異なる前記放射角度領域の一部の第２領域に照射された第２光が下記によって定義される白色領域、低彩度青領域、低彩度青緑領域、低彩度赤領域、低彩度紫領域、高彩度青領域、高彩度青緑領域および高彩度緑領域の各領域のいずれかに含まれることであり、条件（３Ｇ）は、前記放射角度領域の一部の第１領域に照射された第１光が下記によって定義される低彩度赤領域に含まれ、かつ、前記第１領域と異なる前記放射角度領域の一部の第２領域に照射された第２光が下記によって定義される白色領域、低彩度青領域、低彩度青緑領域、低彩度黄領域、低彩度橙領域、高彩度青緑領域、高彩度緑領域および高彩度黄領域の各領域のいずれかに含まれることであり、条件（３Ｈ）は、前記放射角度領域の一部の第１領域に照射された第１光が下記によって定義される低彩度紫領域に含まれ、かつ、前記第１領域と異なる前記放射角度領域の一部の第２領域に照射された第２光が下記によって定義される低彩度青領域、低彩度青緑領域、低彩度赤領域および高彩度黄領域の各領域のいずれかに含まれることであり、条件（３Ｉ）は、前記放射角度領域の一部の第１領域に照射された第１光が下記によって定義される高彩度青領域に含まれ、かつ、前記第１領域と異なる前記放射角度領域の一部の第２領域に照射された第２光が下記によって定義される白色領域および高彩度緑領域の各領域のいずれかに含まれることであり、条件（３Ｊ）は、前記放射角度領域の一部の第１領域に照射された第１光が下記によって定義される高彩度青緑領域に含まれ、かつ、前記第１領域と異なる前記放射角度領域の一部の第２領域に照射された第２光が下記によって定義される白色領域、低彩度青領域、低彩度緑領域、低彩度黄領域、低彩度橙領域、低彩度赤領域、低彩度紫領域、高彩度青領域、高彩度緑領域および高彩度黄領域の各領域のいずれかに含まれることであり、条件（３Ｋ）は、前記放射角度領域の一部の第１領域に照射された第１光が下記によって定義される高彩度緑領域に含まれ、かつ、前記第１領域と異なる前記放射角度領域の一部の第２領域に照射された第２光が下記によって定義される低彩度青領域および高彩度青領域の各領域のいずれかに含まれることであり、条件（３Ｌ）は、前記放射角度領域の一部の第１領域に照射された第１光が下記によって定義される高彩度黄領域に含まれ、かつ、前記第１領域と異なる前記放射角度領域の一部の第２領域に照射された第２光が下記によって定義される低彩度青領域、低彩度青緑領域、高彩度青領域および高彩度橙領域の各領域のいずれかに含まれることであり、条件（３Ｍ）は、前記放射角度領域の一部の第１領域に照射された第１光が下記によって定義される高彩度橙領域に含まれ、かつ、前記第１領域と異なる前記放射角度領域の一部の第２領域に照射された第２光が下記によって定義される低彩度青領域に含まれることである。
【００７９】
また、人にすっきり感を与える光で放射角度領域をグラデーション照明するためには、照明装置ＬＤａの制御部２は、前記放射角度領域の一部の第１領域に照射される第１光、および、前記第１領域と異なる前記放射角度領域の一部の第２領域に照射される第２光が、ＣＩＥ１９７６ｕ’ｖ’色度図において、前記第１色度領域に含まれる下記（４Ａ）ないし（４Ｊ）のいずれかの条件を満たすように、第１および第２ＬＥＤ光源１０−１、１０−２を制御すればよい。このような照明装置ＬＤａは、照明光の環境下に居る人に、すっきり感という心理効果を好適に与えることができる。
【００８０】
条件（４Ａ）は、前記放射角度領域の一部の第１領域に照射された第１光が前記定義された白色領域に含まれ、かつ、前記第１領域と異なる前記放射角度領域の一部の第２領域に照射された第２光が前記定義された低彩度青領域、高彩度青領域、高彩度青緑領域、高彩度緑領域および高彩度紫領域の各領域のいずれかに含まれることであり、条件（４Ｂ）は、前記放射角度領域の一部の第１領域に照射された第１光が前記定義された低彩度青領域に含まれ、かつ、前記第１領域と異なる前記放射角度領域の一部の第２領域に照射された第２光が前記定義された低彩度青緑領域、高彩度青領域、高彩度青緑領域および高彩度黄領域の各領域のいずれかに含まれることであり、条件（４Ｃ）は、前記放射角度領域の一部の第１領域に照射された第１光が前記定義された低彩度青緑領域に含まれ、かつ、前記第１領域と異なる前記放射角度領域の一部の第２領域に照射された第２光が前記定義された白色領域、低彩度青領域、低彩度緑領域、低彩度黄領域、低彩度紫領域、高彩度青領域、高彩度青緑領域、高彩度緑領域および高彩度黄領域の各領域のいずれかに含まれることであり、条件（４Ｄ）は、前記放射角度領域の一部の第１領域に照射された第１光が前記定義された低彩度緑領域に含まれ、かつ、前記第１領域と異なる前記放射角度領域の一部の第２領域に照射された第２光が前記定義された白色領域、低彩度青領域、高彩度青領域、高彩度青緑領域および高彩度紫領域の各領域のいずれかに含まれることであり、条件（４Ｅ）は、前記放射角度領域の一部の第１領域に照射された第１光が前記定義された低彩度黄領域に含まれ、かつ、前記第１領域と異なる前記放射角度領域の一部の第２領域に照射された第２光が前記定義された低彩度青領域、低彩度青緑領域、低彩度緑領域、低彩度紫領域、高彩度青領域、高彩度青緑領域および高彩度緑領域の各領域のいずれかに含まれることであり、条件（４Ｆ）は、前記放射角度領域の一部の第１領域に照射された第１光が前記定義された低彩度紫領域に含まれ、かつ、前記第１領域と異なる前記放射角度領域の一部の第２領域に照射された第２光が前記定義された低彩度青領域、および低彩度青緑領域の各領域のいずれかに含まれることであり、条件（４Ｇ）は、前記放射角度領域の一部の第１領域に照射された第１光が前記定義された高彩度青領域に含まれ、かつ、前記第１領域と異なる前記放射角度領域の一部の第２領域に照射された第２光が前記定義された低彩度緑領域および高彩度緑領域の各領域のいずれかに含まれることであり、条件（４Ｈ）は、前記放射角度領域の一部の第１領域に照射された第１光が前記定義された高彩度青緑領域に含まれ、かつ、前記第１領域と異なる前記放射角度領域の一部の第２領域に照射された第２光が前記定義された白色領域、低彩度青領域、低彩度青緑領域、低彩度緑領域、低彩度黄領域、低彩度橙領域、低彩度赤領域、低彩度紫領域、高彩度緑領域、高彩度橙領域および高彩度赤領域の各領域のいずれかに含まれることであり、条件（４Ｉ）は、前記放射角度領域の一部の第１領域に照射された第１光が前記定義された高彩度緑領域に含まれ、かつ、前記第１領域と異なる前記放射角度領域の一部の第２領域に照射された第２光が前記定義された低彩度青領域、高彩度青領域、高彩度青緑領域および高彩度紫領域の各領域のいずれかに含まれることであり、条件（４Ｊ）は、前記放射角度領域の一部の第１領域に照射された第１光が前記定義された高彩度黄領域に含まれ、かつ、前記第１領域と異なる前記放射角度領域の一部の第２領域に照射された第２光が前記定義された白色領域、低彩度青領域、低彩度青緑領域、低彩度緑領域、高彩度青領域、高彩度青緑領域および高彩度橙領域の各領域のいずれかに含まれることである。
【００８１】
また、人に集中できる光で放射角度領域をグラデーション照明するためには、照明装置ＬＤａの制御部２は、前記放射角度領域の一部の第１領域に照射される第１光、および、前記第１領域と異なる前記放射角度領域の一部の第２領域に照射される第２光が、ＣＩＥ１９７６ｕ’ｖ’色度図において、前記第１色度領域に含まれる下記（５Ａ）ないし（５Ｌ）のいずれかの条件を満たすように、第１および第２ＬＥＤ光源１０−１、１０−２を制御すればよい。このような照明装置ＬＤａは、照明光の環境下に居る人に、気の散らない、集中できるという心理効果を好適に与えることができる。
【００８２】
条件（５Ａ）は、前記放射角度領域の一部の第１領域に照射された第１光が前記定義された白色領域に含まれ、かつ、前記第１領域と異なる前記放射角度領域の一部の第２領域に照射された第２光が前記定義された低彩度青領域、低彩度青緑領域、低彩度緑領域、低彩度黄領域、高彩度青領域、高彩度青緑領域、高彩度緑領域および高彩度黄領域の各領域のいずれかに含まれることであり、条件（５Ｂ）は、前記放射角度領域の一部の第１領域に照射された第１光が前記定義された低彩度青領域に含まれ、かつ、前記第１領域と異なる前記放射角度領域の一部の第２領域に照射された第２光が前記定義された白色領域、低彩度青緑領域、低彩度緑領域、低彩度黄領域、低彩度橙領域、低彩度赤領域、高彩度青領域、高彩度青緑領域、高彩度緑領域および高彩度黄領域の各領域のいずれかに含まれることであり、条件（５Ｃ）は、前記放射角度領域の一部の第１領域に照射された第１光が前記定義された低彩度青緑領域に含まれ、かつ、前記第１領域と異なる前記放射角度領域の一部の第２領域に照射された第２光が前記定義された白色領域、低彩度青領域、低彩度緑領域、低彩度黄領域、低彩度紫領域、高彩度青領域、高彩度青緑領域、高彩度緑領域、高彩度黄領域および高彩度紫領域の各領域のいずれかに含まれることであり、条件（５Ｄ）は、前記放射角度領域の一部の第１領域に照射された第１光が前記定義された低彩度緑領域に含まれ、かつ、前記第１領域と異なる前記放射角度領域の一部の第２領域に照射された第２光が前記定義された白色領域、低彩度青領域、高彩度青領域および高彩度青緑領域の各領域のいずれかに含まれることであり、条件（５Ｅ）は、前記放射角度領域の一部の第１領域に照射された第１光が前記定義された低彩度黄領域に含まれ、かつ、前記第１領域と異なる前記放射角度領域の一部の第２領域に照射された第２光が前記定義された白色領域、低彩度青領域、低彩度青緑領域、低彩度赤領域、高彩度青領域、高彩度青緑領域、高彩度緑領域および高彩度赤領域の各領域のいずれかに含まれることであり、条件（５Ｆ）は、前記放射角度領域の一部の第１領域に照射された第１光が前記定義された低彩度橙領域に含まれ、かつ、前記第１領域と異なる前記放射角度領域の一部の第２領域に照射された第２光が前記定義された低彩度青領域、高彩度青領域、高彩度青緑領域および高彩度黄領域の各領域のいずれかに含まれることであり、条件（５Ｇ）は、前記放射角度領域の一部の第１領域に照射された第１光が前記定義された低彩度赤領域に含まれ、かつ、前記第１領域と異なる前記放射角度領域の一部の第２領域に照射された第２光が前記定義された白色領域および高彩度黄領域の各領域のいずれかに含まれることであり、条件（５Ｈ）は、前記放射角度領域の一部の第１領域に照射された第１光が前記定義された低彩度紫領域に含まれ、かつ、前記第１領域と異なる前記放射角度領域の一部の第２領域に照射された第２光が前記定義された高彩度青領域に含まれることであり、条件（５Ｉ）は、前記放射角度領域の一部の第１領域に照射された第１光が前記定義された高彩度青領域に含まれ、かつ、前記第１領域と異なる前記放射角度領域の一部の第２領域に照射された第２光が前記定義された白色領域、低彩度緑領域、低彩度黄領域、低彩度橙領域および高彩度黄領域の各領域のいずれかに含まれることであり、条件（５Ｊ）は、前記放射角度領域の一部の第１領域に照射された第１光が前記定義された高彩度青緑領域に含まれ、かつ、前記第１領域と異なる前記放射角度領域の一部の第２領域に照射された第２光が前記定義された白色領域、低彩度青領域、低彩度緑領域、低彩度緑領域、低彩度黄領域、低彩度橙領域、低彩度紫領域、高彩度青領域および高彩度黄領域の各領域のいずれかに含まれることであり、条件（５Ｋ）は、前記放射角度領域の一部の第１領域に照射された第１光が前記定義された高彩度緑領域に含まれ、かつ、前記第１領域と異なる前記放射角度領域の一部の第２領域に照射された第２光が前記定義された高彩度青領域に含まれることであり、条件（５Ｌ）は、前記放射角度領域の一部の第１領域に照射された第１光が前記定義された高彩度黄領域に含まれ、かつ、前記第１領域と異なる前記放射角度領域の一部の第２領域に照射された第２光が前記定義された低彩度青領域、高彩度青領域および高彩度青緑領域の各領域のいずれかに含まれることである。
【００８３】
また、人に入眠し易い光で放射角度領域をグラデーション照明するためには、照明装置ＬＤａの制御部２は、前記放射角度領域の一部の第１領域に照射される第１光、および、前記第１領域と異なる前記放射角度領域の一部の第２領域に照射される第２光が、ＣＩＥ１９７６ｕ’ｖ’色度図において、前記第１色度領域に含まれる下記（６Ａ）ないし（６Ｎ）のいずれかの条件を満たすように、第１および第２ＬＥＤ光源１０−１、１０−２を制御すればよい。このような照明装置ＬＤａは、照明光の環境下に居る人に、眠気という心理効果を好適に与えることができる。
【００８４】
条件（６Ａ）は、前記放射角度領域の一部の第１領域に照射された第１光が下記によって定義される白色領域に含まれ、かつ、前記第１領域と異なる前記放射角度領域の一部の第２領域に照射された第２光が下記によって定義される低彩度緑領域、低彩度黄領域、低彩度橙領域、低彩度赤領域、低彩度紫領域、高彩度青緑領域および高彩度黄領域の各領域のいずれかに含まれることであり、条件（６Ｂ）は、前記放射角度領域の一部の第１領域に照射された第１光が下記によって定義される低彩度青領域に含まれ、かつ、前記第１領域と異なる前記放射角度領域の一部の第２領域に照射された第２光が下記によって定義される白色領域、低彩度青緑領域、低彩度緑領域、低彩度黄領域、低彩度赤領域、低彩度紫領域、高彩度青緑領域、高彩度緑領域、高彩度黄領域、高彩度橙領域および高彩度赤領域の各領域のいずれかに含まれることであり、条件（６Ｃ）は、前記放射角度領域の一部の第１領域に照射された第１光が下記によって定義される低彩度青緑領域に含まれ、かつ、前記第１領域と異なる前記放射角度領域の一部の第２領域に照射された第２光が下記によって定義される低彩度黄領域、低彩度橙領域、低彩度紫領域、高彩度橙領域、高彩度赤領域および高彩度紫領域の各領域のいずれかに含まれることであり、条件（６Ｄ）は、前記放射角度領域の一部の第１領域に照射された第１光が下記によって定義される低彩度緑領域に含まれ、かつ、前記第１領域と異なる前記放射角度領域の一部の第２領域に照射された第２光が下記によって定義される低彩度青緑領域、低彩度橙領域、高彩度青緑領域および高彩度赤領域の各領域のいずれかに含まれることであり、条件（６Ｅ）は、前記放射角度領域の一部の第１領域に照射された第１光が下記によって定義される低彩度黄領域に含まれ、かつ、前記第１領域と異なる前記放射角度領域の一部の第２領域に照射された第２光が下記によって定義される低彩度緑領域、低彩度橙領域、低彩度赤領域、高彩度青領域、高彩度黄領域および高彩度橙領域の各領域のいずれかに含まれることであり、条件（６Ｆ）は、前記放射角度領域の一部の第１領域に照射された第１光が下記によって定義される低彩度橙領域に含まれ、かつ、前記第１領域と異なる前記放射角度領域の一部の第２領域に照射された第２光が下記によって定義される低彩度青領域、低彩度青緑領域、低彩度緑領域、低彩度黄領域、低彩度赤領域、低彩度紫領域、高彩度青領域および高彩度黄領域の各領域のいずれかに含まれることであり、条件（６Ｇ）は、前記放射角度領域の一部の第１領域に照射された第１光が下記によって定義される低彩度赤領域に含まれ、かつ、前記第１領域と異なる前記放射角度領域の一部の第２領域に照射された第２光が下記によって定義される白色領域、低彩度青領域、低彩度青緑領域、低彩度緑領域、低彩度黄領域、低彩度橙領域および高彩度青緑領域の各領域のいずれかに含まれることであり、条件（６Ｈ）は、前記放射角度領域の一部の第１領域に照射された第１光が下記によって定義される低彩度紫領域に含まれ、かつ、前記第１領域と異なる前記放射角度領域の一部の第２領域に照射された第２光が下記によって定義される低彩度青緑領域、低彩度黄領域、低彩度橙領域、低彩度赤領域、高彩度青領域、高彩度黄領域および高彩度赤領域の各領域のいずれかに含まれることであり、条件（６Ｉ）は、前記放射角度領域の一部の第１領域に照射された第１光が下記によって定義される高彩度青領域に含まれ、かつ、前記第１領域と異なる前記放射角度領域の一部の第２領域に照射された第２光が下記によって定義される白色領域、低彩度緑領域、低彩度橙領域および高彩度橙領域の各領域のいずれかに含まれることであり、条件（６Ｊ）は、前記放射角度領域の一部の第１領域に照射された第１光が下記によって定義される高彩度青緑領域に含まれ、かつ、前記第１領域と異なる前記放射角度領域の一部の第２領域に照射された第２光が下記によって定義される低彩度緑域に含まれることであり、条件（６Ｋ）は、前記放射角度領域の一部の第１領域に照射された第１光が下記によって定義される高彩度緑領域に含まれ、かつ、前記第１領域と異なる前記放射角度領域の一部の第２領域に照射された第２光が下記によって定義される高彩度赤領域に含まれることであり、条件（６Ｌ）は、前記放射角度領域の一部の第１領域に照射された第１光が下記によって定義される高彩度黄領域に含まれ、かつ、前記第１領域と異なる前記放射角度領域の一部の第２領域に照射された第２光が下記によって定義される白色領域、低彩度紫領域および高彩度橙領域の各領域のいずれかに含まれることであり、条件（６Ｍ）は、前記放射角度領域の一部の第１領域に照射された第１光が下記によって定義される高彩度橙領域に含まれ、かつ、前記第１領域と異なる前記放射角度領域の一部の第２領域に照射された第２光が下記によって定義される低彩度青領域、低彩度青緑領域、低彩度黄領域および高彩度青領域の各領域のいずれかに含まれることであり、条件（６Ｎ）は、前記放射角度領域の一部の第１領域に照射された第１光が下記によって定義される高彩度紫領域に含まれ、かつ、前記第１領域と異なる前記放射角度領域の一部の第２領域に照射された第２光が下記によって定義される低彩度緑領域に含まれることである。
【００８５】
また、人に眠気を覚ます光で放射角度領域をグラデーション照明するためには、照明装置ＬＤａの制御部２は、放射角度領域の一部の第１領域に照射された第１および第２光と前記第１領域と異なる前記放射角度領域の一部の第２領域に照射された第１および第２光が、ＣＩＥ１９７６ｕ’ｖ’色度図において、下記（７Ａ）ないし（７Ｉ）のいずれかの条件を満たすように、第１および第２ＬＥＤ光源１０−１、１０−２を制御すればよい。このような照明装置ＬＤａは、照明光の環境下に居る人に、眠気を覚ますという心理効果を好適に与えることができる。
【００８６】
条件（７Ａ）は、前記放射角度領域の一部の第１領域に照射された第１光が下記によって定義される白色領域に含まれ、かつ、前記第１領域と異なる前記放射角度領域の一部の第２領域に照射された第２光が下記によって定義される高彩度紫領域に含まれることであり、条件（７Ｂ）は、前記放射角度領域の一部の第１領域に照射された第１光が下記によって定義される低彩度青緑領域に含まれ、かつ、前記第１領域と異なる前記放射角度領域の一部の第２領域に照射された第２光が下記によって定義される高彩度黄領域に含まれることであり、条件（７Ｃ）は、前記放射角度領域の一部の第１領域に照射された第１光が下記によって定義される低彩度赤領域に含まれ、かつ、前記第１領域と異なる前記放射角度領域の一部の第２領域に照射された第２光が下記によって定義される高彩度橙領域に含まれることであり、条件（７Ｄ）は、前記放射角度領域の一部の第１領域に照射された第１光が下記によって定義される低彩度紫領域に含まれ、かつ、前記第１領域と異なる前記放射角度領域の一部の第２領域に照射された第２光が下記によって定義される高彩度紫領域に含まれることであり、条件（７Ｅ）は、前記放射角度領域の一部の第１領域に照射された第１光が下記によって定義される高彩度緑領域に含まれ、かつ、前記第１領域と異なる前記放射角度領域の一部の第２領域に照射された第２光が下記によって定義される低彩度黄領域、低彩度赤領域、高彩度黄領域および高彩度橙領域の各領域のいずれかに含まれることであり、条件（７Ｆ）は、前記放射角度領域の一部の第１領域に照射された第１光が下記によって定義される高彩度黄領域に含まれ、かつ、前記第１領域と異なる前記放射角度領域の一部の第２領域に照射された第２光が下記によって定義される高彩度緑領域および高彩度赤領域の各領域のいずれかに含まれることであり、条件（７Ｇ）は、前記放射角度領域の一部の第１領域に照射された第１光が下記によって定義される高彩度橙領域に含まれ、かつ、前記第１領域と異なる前記放射角度領域の一部の第２領域に照射された第２光が下記によって定義される低彩度紫領域、高彩度赤および高彩度紫領域の各領域のいずれかに含まれることであり、条件（７Ｈ）は、前記放射角度領域の一部の第１領域に照射された第１光が下記によって定義される高彩度赤領域に含まれ、かつ、前記第１領域と異なる前記放射角度領域の一部の第２領域に照射された第２光が下記によって定義される低彩度橙領域、高彩度青領域、高彩度緑領域、高彩度黄領域および高彩度橙領域の各領域のいずれかに含まれることであり、条件（７Ｉ）は、前記放射角度領域の一部の第１領域に照射された第１光が下記によって定義される高彩度紫領域に含まれ、かつ、前記第１領域と異なる前記放射角度領域の一部の第２領域に照射された第２光が下記によって定義される低彩度青領域、低彩度青緑領域、低彩度黄領域、低彩度紫領域、高彩度青領域、高彩度黄領域、高彩度橙領域および高彩度赤領域の各領域のいずれかに含まれることである。
【００８７】
なお、上述において、各領域は、次のように定義される。図１８において、白色領域は、（ｕ’，ｖ’）の座標点Ｒ＿１（０．２６８、０．４８２）、Ｒ−ＯＲ＿１（０．２６２、０．４８５）、ＯＲ＿１（０．２５７、０．４８９）、ＯＲ−Ｙ＿１（０．２３３、０．４９２）、Ｙ＿１（０．２１７、０．４９４）、Ｙ−Ｇ＿１（０．２０９、０．４９５）、Ｇ＿１（０．１７９、０．４９７）、Ｇ−ＢＧ＿１（０．１８２、０．４７６）、ＢＧ＿１（０．１８６、０．４５５）、ＢＧ−Ｂ＿１（０．１８８、０．４４５）、Ｂ＿１（０．２０１、０．３９７）、Ｂ−Ｐ＿１（０．２１９、０．４１３）、Ｐ＿１（０．２３７、０．４２８）、Ｐ−Ｒ＿１（０．２５２、０．４５５）の各点を結ぶ閉ループ線によって囲まれる内側領域である。
【００８８】
低彩度赤領域は、（ｕ’，ｖ’）の座標点Ｒ−ＯＲ＿３（０．３６７、０．５０９）、Ｒ＿３（０．３８２、０．４９８）、Ｐ−Ｒ＿３（０．３３６、０．４１７）、Ｐ−Ｒ＿１（０．２５２、０．４５５）、Ｒ＿１（０．２６８、０．４８２）、Ｒ−ＯＲ＿１（０．２６２、０．４８５）の各点を結ぶ閉ループ線によって囲まれる内側領域である。
【００８９】
低彩度橙領域は、（ｕ’，ｖ’）の座標点ＯＲ−Ｙ＿３（０．２７９、０．５３０）、ＯＲ＿３（０．３５１、０．５２１）、Ｒ−ＯＲ＿３（０．３６７、０．５０９）、Ｒ−ＯＲ＿１（０．２６２、０．４８５）、ＯＲ＿１（０．２５７、０．４８９）、ＯＲ−Ｙ＿１（０．２３３、０．４９２）の各点を結ぶ閉ループ線によって囲まれる内側領域である。
【００９０】
低彩度黄領域は、（ｕ’，ｖ’）の座標点Ｙ−Ｇ＿３（０．２０６、０．５３８）、Ｙ＿３（０．２３１、０．５３６）、ＯＲ−Ｙ＿３（０．２７９、０．５３０）、ＯＲ−Ｙ＿１（０．２３３、０．４９２）、Ｙ＿１（０．２１７、０．４９４）、Ｙ−Ｇ＿１（０．２０９、０．４９５）の各点を結ぶ閉ループ線によって囲まれる内側領域である。
【００９１】
低彩度緑領域は、（ｕ’，ｖ’）の座標点Ｇ−ＢＧ＿３（０．１２６、０．４８１）、Ｇ＿３（０．１１６、０．５４４）、Ｙ−Ｇ＿３（０．２０６、０．５３８）、Ｙ−Ｇ＿１（０．２０９、０．４９５）、Ｇ＿１（０．１７９、０．４９７）、Ｇ−ＢＧ＿１（０．１８２、０．４７６）の各点を結ぶ閉ループ線によって囲まれる内側領域である。
【００９２】
低彩度青緑領域は、（ｕ’，ｖ’）の座標点ＢＧ−Ｂ＿３（０．１４４、０．３８９）、ＢＧ＿３（０．１３６、０．４１７）、Ｇ−ＢＧ＿３（０．１２６、０．４８１）、Ｇ−ＢＧ＿１（０．１８２、０．４７６）、ＢＧ＿１（０．１８６、０．４５５）、ＢＧ−Ｂ＿１（０．１８８、０．４４５）の各点を結ぶ閉ループ線によって囲まれる内側領域である。
【００９３】
低彩度青領域は、（ｕ’，ｖ’）の座標点Ｂ−Ｐ＿３（０．２３６、０．２９１）、Ｂ＿３（０．１８２、０．２４５）、ＢＧ−Ｂ＿３（０．１４４、０．３８９）、ＢＧ−Ｂ＿１（０．１８８、０．４４５）、Ｂ＿１（０．２０１、０．３９７）、Ｂ−Ｐ＿１（０．２１９、０．４１３）の各点を結ぶ閉ループ線によって囲まれる内側領域である。
【００９４】
低彩度紫領域は、（ｕ’，ｖ’）の座標点Ｐ−Ｒ＿３（０．３３６、０．４１７）、Ｐ＿３（０．２９１、０．３３６）、Ｂ−Ｐ＿３（０．２３６、０．２９１）、Ｂ−Ｐ＿１（０．２１９、０．４１３）、Ｐ＿１（０．２３７、０．４２８）、Ｐ−Ｒ＿１（０．２５２、０．４５５）の各点を結ぶ閉ループ線によって囲まれる内側領域である。
【００９５】
高彩度赤領域は、（ｕ’，ｖ’）の座標点Ｒ−ＯＲ＿４（０．４１９、０．５２１）、Ｒ＿４（０．４４０、０．５０６）、Ｐ−Ｒ＿４（０．３７９、０．３９８）、Ｐ−Ｒ＿３（０．３３６、０．４１７）、Ｒ＿３（０．３８２、０．４９８）、Ｒ−ＯＲ＿３（０．３６７、０．５０９）の各点を結ぶ閉ループ線によって囲まれる内側領域である。
【００９６】
高彩度橙領域は、（ｕ’，ｖ’）の座標点ＯＲ−Ｙ＿４（０．３０２、０．５４９）、ＯＲ＿４（０．３９８、０．５３７）、Ｒ−ＯＲ＿４（０．４１９、０．５２１）、Ｒ−ＯＲ＿３（０．３６７、０．５０９）、ＯＲ＿３（０．３５１、０．５２１）、ＯＲ−Ｙ＿３（０．２７９、０．５３０）の各点を結ぶ閉ループ線によって囲まれる内側領域である。
【００９７】
高彩度黄領域は、（ｕ’，ｖ’）の座標点Ｙ−Ｇ＿４（０．２０４、０．５５９）、Ｙ＿４（０．２３７、０．５５７）、ＯＲ−Ｙ＿４（０．３０２、０．５４９）、ＯＲ−Ｙ＿３（０．２７９、０．５３０）、Ｙ＿３（０．２３１、０．５３６）、Ｙ−Ｇ＿３（０．２０６、０．５３８）の各点を結ぶ閉ループ線によって囲まれる内側領域である。
【００９８】
高彩度緑領域は、（ｕ’，ｖ’）の座標点Ｇ−ＢＧ＿４（０．０９８、０．４８３）、Ｇ＿４（０．０８５、０．５６８）、Ｙ−Ｇ＿４（０．２０４、０．５５９）、Ｙ−Ｇ＿３（０．２０６、０．５３８）、Ｇ＿３（０．１１６、０．５４４）、Ｇ−ＢＧ＿３（０．１２６、０．４８１）の各点を結ぶ閉ループ線によって囲まれる内側領域である。
【００９９】
高彩度青緑領域は、（ｕ’，ｖ’）の座標点ＢＧ−Ｂ＿４（０．１２２、０．３６１）、ＢＧ＿４（０．１１２、０．３９８）、Ｇ−ＢＧ＿４（０．０９８、０．４８３）、Ｇ−ＢＧ＿３（０．１２６、０．４８１）、ＢＧ＿３（０．１３６、０．４１７）、ＢＧ−Ｂ＿３（０．１４４、０．３８９）の各点を結ぶ閉ループ線によって囲まれる内側領域である。
【０１００】
高彩度青領域は、（ｕ’，ｖ’）の座標点Ｂ−Ｐ＿４（０．２４５、０．２３０）、Ｂ＿４（０．１７３、０．１６９）、ＢＧ−Ｂ＿４（０．１２２、０．３６１）、ＢＧ−Ｂ＿３（０．１４４、０．３８９）、Ｂ＿３（０．１８２、０．２４５）、Ｂ−Ｐ＿３（０．２３６、０．２９１）の各点を結ぶ閉ループ線によって囲まれる内側領域である。
【０１０１】
高彩度紫領域は、（ｕ’，ｖ’）の座標点Ｐ−Ｒ＿４（０．３７９、０．３９８）、Ｐ＿４（０．３１７、０．２９１）、Ｂ−Ｐ＿４（０．２４５、０．２３０）、Ｂ−Ｐ＿３（０．２３６、０．２９１）、Ｐ＿３（０．２９１、０．３３６）、Ｐ−Ｒ＿３（０．３３６、０．４１７）の各点を結ぶ閉ループ線によって囲まれる内側領域である。
【０１０２】
（第２および第３態様の照明装置）
上述の実施形態では、所定の心理効果を与えるグラデーション照明を実現する照明装置ＬＤとして、図１ないし図８に示す第１態様の照明装置ＬＤａが用いられたが、次の第２および第３態様の照明装置ＬＤｂ、ＬＤｃが用いられてもよい。
【０１０３】
まず、第２態様の照明装置ＬＤｂについて説明する。図１９は、実施形態における第２態様の照明装置の外観を示す斜視図である。図２０は、図１９に示す切断線ＣＰにおける、前記第２態様の照明装置の構成を示す断面斜視図である。図２１は、前記第２態様の照明装置の構成を示す一部断面図である。図２２は、前記第２態様の照明装置を居室に適用した場合の一例を説明するための図である。
【０１０４】
この第２態様の照明装置ＬＤｂは、卓上設置型の照明装置ＬＤである。図１９ないし図２１において、この第２態様の照明装置ＬＤｂは、卓上を照明するための第１照明部ＬＰ１と、所定の心理効果を与えるグラデーション照明を行うための第２照明部ＬＰ２との２個の照明部を有している。照明装置ＬＤｂは、上壁部１００ａと下壁部１００ｂとこれら上壁部１００ａおよび下壁部１００ｂとを連結する左右一対の側壁部１００ｃ、１００ｄを持つ断面矩形形状の筒状体から成るフレーム１００を備える。
【０１０５】
下壁部１００ｂにおけるフレーム１００の内側を臨む内側面上には、中空の略三角柱形状の台座部１３０を備える。台座部１３０の内部には、第１および第２照明部ＬＰ１、ＬＰを制御する図略の制御部が配置され、その主表面板１３１には、入力部として３個のスイッチ素子ＳＷ１〜ＳＷ３が配設されている。スイッチ素子ＳＷ１は、第１照明部ＬＰ１の点消灯を行うものであり、スイッチ素子ＳＷ２は、第２照明部ＬＰ２の点消灯を行うものであり、スイッチ素子ＳＷ３は、照明装置ＬＤｂの電源スイッチである。前記図略の制御部は、予め設定された所定の心理効果を与えるように、第２照明部ＬＰ２のグラデーション照明を制御する。
【０１０６】
そして、上壁部１００ａにおけるフレーム１００の内側を臨む内側面上には、前方側に第１照明部ＬＰ１が配置され、後方側に第２照明部ＬＰ２が配置されている。第１照明部ＬＰ１は、前記前方側から前記後方側に延び、前記前方側で上壁部１００ａに近接し後方側に行くに従って上壁部１００ａから徐々に離れるように傾斜配置された反射板１０４を備える。反射板１０４上には、導光板１０３が配置され、導光板１０３における後方側の一方端には、導光板１０３の側面から白色光を入射させるように、ＬＥＤ基板１０２に配設された白色ＬＥＤ１０１が配置されている。そして、導光板１０３の全面には、所定の空間を空けてカバー部材１０５が配設されている。このような第１照明部ＬＰ１では、白色ＬＥＤ１０１から放射された白色光は、導光板１０３を導光しつつ反射板１０４によって反射され、この反射光は、カバー部材１０５を介して外部に放射され、図２２に示すように、卓上を照明する。第２照明部ＬＰ２は、第１態様の照明装置ＬＤａにおける光源部１と同様に構成されている。
【０１０７】
すなわち、第２照明部ＬＰ２は、一方向に長尺な略角柱形状の第２照明部本体１７ｂを備える。第２照明部本体１７ｂには、一側面から内部に向けて形成された、前記一方向に沿って長尺な第１凹所１７１ｂ−１が形成され、前記一側面に隣接する他側面から内部に向けて形成された、前記一方向に沿って長尺な第２凹所１７１ｂ−２が形成されている。第１凹所１７１ｂ−１の両側面は、それぞれ、第１凹所１７１ｂ−１の中央から外側に向けて膨らむ曲面形状であり、その第１底面には、例えばアルミニウム製の放熱板１５−１を介して第１ＬＥＤ基板１４−１が配設されている。第１ＬＥＤ基板１４−１上には、上述した複数の昼白色ＬＥＤ１１−１、複数の電球色ＬＥＤ１２−１および複数のＲＧＢＬＥＤ１３−１が前記一方向に沿って並設されている。すなわち、第１凹所１７１ｂ−１の第１底面には、第１ＬＥＤ光源１０−１が配設されている。同様に、第２凹所１７１ｂ−２の両側面は、それぞれ、第２凹所１７１ｂ−２の中央から外側に向けて膨らむ曲面形状であり、その第２底面には、例えばアルミニウム製の放熱板１５−２を介して第２ＬＥＤ基板１４−２が配設されている。第２ＬＥＤ基板１４−２上には、上述した複数の昼白色ＬＥＤ１１−２、複数の電球色ＬＥＤ１２−２および複数のＲＧＢＬＥＤ１３−２が前記一方向に沿って並設されている。すなわち、第２凹所１７１ｂ−２の第２底面には、第２ＬＥＤ光源１０−２が配設されている。これら第１ＬＥＤ光源１０−１と第２ＬＥＤ光源１０−２とは、第１ＬＥＤ光源１０−１の第１光軸ＡＸ１と第２ＬＥＤ光源１０−２の第２光軸ＡＸ２とが互いに交差するように、第１および第２凹所１７１ｂ−１、１７１ｂ−２それぞれに配置されている。例えば、第１凹所１７１ｂ−１の第１底面と第２凹所１７１ｂ−２の第２底面とは、それらの各延長面で互いに交差するように、形成されている。このように第１光軸ＡＸ１と第２光軸ＡＸ２とを互いに交差させることで、光源部１から所定の距離だけ離れた放射角度領域では、第１光の一部と第２光の一部とが互いに重なり、被照射面でグラデーション照明が実現される。そして、第２照明部本体１７ｂにおける第１および第２凹所１７１ｂ−１、１７１ｂ−２の各開口近傍を閉塞するように、前記一方向に長尺に延び断面Ｌ字形状の板状のカバー部材１６ｂが配設されている。カバー部材１６ｂは、第１ＬＥＤ光源１０−１から放射される第１光および第２ＬＥＤ光源１０−２から放射される第２光に対し、透光性を有する材料で形成されている。このような第２照明部ＬＰ２では、第１および第２ＬＥＤ光源１０−１、１０−２から放射された第１および第２光は、図２２に示すように、それら各一部が放射角度領域の壁面で互いに重なるように放射されるので、第１光による色相Ａの領域から、色相Ａと色相Ｂとの中間色の中間領域を経て、第２光による色相Ｂの領域に至るグラデーション照明で壁を照明できる。
【０１０８】
次に、第３態様の照明装置ＬＤｃについて説明する。図２３は、実施形態における第３態様の照明装置の外観を示す斜視図である。図２４は、前記第３態様の照明装置の構成を示す側面図である。図２４Ａは、全体側面図であり、図２４Ｂは、一部側面図である。
【０１０９】
この第３態様の照明装置ＬＤｃは、天井設置型（放射投影型）の照明装置ＬＤである。図２３および図２４において、この第３態様の照明装置ＬＤｃは、室内を照明するための第１照明部ＬＰ３と、所定の心理効果を与えるグラデーション照明を行うための第２照明部ＬＰ４との２個の照明部を有している。照明装置ＬＤｃは、互いに径の異なる短高の第１および第２筒状部２０１ｂ、２０１ｄと、第１筒状部２０１ｂの一方開口を閉塞する円板状の天板部２０１ａと、第１筒状部２０１ｂの他方開口の周縁部と第２筒状部２０１ｄの一方開口の周縁部とを連結する円環板状の連結部２０１ｃと、第２筒状部２０１ｄの他方開口の周縁部から径方向外側に所定長延びるフランジ部２０１ｅとを持つフレーム２０１を備える。天板部２０１ａには、その略中央位置にいわゆる引っ掛けシーリングプラグ部２０２が配設されている。天板部２０１ａの内側面上および連結部２０１ｄの内側面上には、第１照明部ＬＰ３としての複数の白色ＬＥＤが周方向に沿って並設されている。フランジ部２０１ｅには、第２筒状部２０１ｄの他方開口を閉塞するようにカバー部材２０３が設けられている。天板部２０１ａの内側面上には、予め設定された所定の心理効果を与えるように、第２照明部ＬＰ４のグラデーション照明を制御する図略の制御部が配設されている。
【０１１０】
そして、連結部２０１ｃと第２筒状部２０１ｄの一方開口部の周縁部との連結部分外面は、傾斜面となっている。この傾斜面には、任意の色を発光可能な複数のＲＧＢＬＥＤが第２照明部ＰＬ４の第１ＬＥＤ光源１８Ｐとして周方向に沿って配設されている。第２筒状部２０１ｄの外周側面には、任意の色を発光可能な複数のＲＧＢＬＥＤが第２照明部ＰＬ４の第２ＬＥＤ光源１８Ｂとして周方向に沿って配設されている。このような第２照明部ＬＰ４では、第１および第２ＬＥＤ光源１８Ｐ、１８Ｂから放射された第１および第２光は、照明装置ＬＤｃの中央位置から所定の距離だけ離れた天井面では、図２４に示すように、それら各一部が重なり、第１光による色相Ａの領域から、色相Ａと色相Ｂとの中間色の中間領域を経て、第２光による色相Ｂの領域に至るグラデーション照明で天井を照明できる。
【０１１１】
本明細書は、上記のように様々な態様の技術を開示しているが、そのうち主な技術を以下に纏める。
【０１１２】
一態様にかかる照明装置は、複数の色の光を放射可能な第１および第２ＬＥＤ光源を有し、前記第１ＬＥＤ光源から放射される第１光の一部と前記第２ＬＥＤ光源から放射される第２光の一部とが放射角度領域で互いに重なるように前記第１および第２光を放射する光源部と、互いに異なる色で前記第１および第２光を放射するように前記第１および第２ＬＥＤ光源を制御する制御部とを備える。そして、前記制御部は、前記放射角度領域に照射された第１および第２光の最大彩度の光の色度域が、ＣＩＥ１９７６ｕ’ｖ’色度図において、（ｕ’，ｖ’）の座標点Ｒ＿４（０．４４０、０．５０６）、Ｒ−ＯＲ＿４（０．４１９、０．５２１）、ＯＲ＿４（０．３９８、０．５３７）、ＯＲ−Ｙ＿４（０．３０２、０．５４９）、Ｙ＿４（０．２３７，０．５５７）、Ｙ−Ｇ＿４（０．２０４、０．５５９）、Ｇ＿４（０．０８５、０．５６８）、Ｇ−ＢＧ＿４（０．０９８、０．４８３）、ＢＧ＿４（０．１１２、０．３９８）、ＢＧ−Ｂ＿４（０．１２２、０．３６１）、Ｂ＿４（０．１７３、０．１６９）、Ｂ−Ｐ＿４（０．２４５、０．２３０）、Ｐ＿４（０．３１７、０．２９１）、Ｐ−Ｒ＿４（０．３７９、０．３９８）の各点を結ぶことによって得られる上限境界閉ループ線と、（ｕ’，ｖ’）の座標点Ｒ＿１（０．２６８、０．４８２）、Ｒ−ＯＲ＿１（０．２６２、０．４８５）、ＯＲ＿１（０．２５７、０．４８９）、ＯＲ−Ｙ＿１（０．２３３、０．４９２）、Ｙ＿１（０．２１７、０．４９４）、Ｙ−Ｇ＿１（０．２０９、０．４９５）、Ｇ＿１（０．１７９、０．４９７）、Ｇ−ＢＧ＿１（０．１８２、０．４７６）、ＢＧ＿１（０．１８６、０．４５５）、ＢＧ−Ｂ＿１（０．１８８、０．４４５）、Ｂ＿１（０．２０１、０．３９７）、Ｂ−Ｐ＿１（０．２１９、０．４１３）、Ｐ＿１（０．２３７、０．４２８）、Ｐ−Ｒ＿１（０．２５２、０．４５５）の各点を結ぶことによって得られる下限境界閉ループ線との間の第１色度領域に含まれるように、前記第１および第２ＬＥＤ光源を制御する。
【０１１３】
このような照明装置では、互いに異なる色で第１および第２ＬＥＤ光源から放射された第１および第２光は、それら各一部が放射角度領域で互いに重なるように放射されるので、上記照明装置は、前記放射角度領域をグラデーション照明できる。上記照明装置は、前記放射角度領域に照射された第１および第２光が上記第１色度領域に含まれるので、人に受け入れられる光で前記放射角度領域をグラデーション照明できる。したがって、上記照明装置は、照明光の環境下に居る人に、任意に所望の色相組合せを選択した場合も、心理的に受け入れられる好適な照明を提供できる。
【０１１４】
他の一態様では、上述の照明装置において、前記制御部は、前記放射角度領域の一部の第１領域に照射される第１光、および、前記第１領域と異なる前記放射角度領域の一部の第２領域に照射される第２光が、ＣＩＥ１９７６ｕ’ｖ’色度図において、前記第１色度領域に含まれる下記（２Ａ）ないし（２Ｍ）のいずれかの条件を満たすように、前記第１および第２ＬＥＤ光源を制御する。
【０１１５】
条件（２Ａ）は、前記第１領域に照射される第１光が下記によって定義される白色領域に含まれ、かつ、前記第２領域に照射される第２光が下記によって定義される低彩度青領域、低彩度青緑領域、低彩度緑領域、低彩度黄領域、低彩度橙領域、低彩度赤領域、低彩度紫領域、高彩度青領域、高彩度青緑領域、高彩度緑領域、高彩度黄領域、高彩度橙領域、高彩度赤領域および高彩度紫領域の各領域のいずれかに含まれることである。条件（２Ｂ）は、前記第１領域に照射される第１光が下記によって定義される低彩度青領域に含まれ、かつ、前記第２領域に照射される第２光が下記によって定義される白色領域、低彩度青緑領域、低彩度緑領域、低彩度黄領域、低彩度橙領域、低彩度赤領域、低彩度紫領域、高彩度青領域、高彩度青緑領域、高彩度緑領域、高彩度黄領域、高彩度橙領域、高彩度赤領域および高彩度紫領域の各領域のいずれかに含まれることである。条件（２Ｃ）は、前記第１領域に照射される第１光が下記によって定義される低彩度青緑領域に含まれ、かつ、前記第２領域に照射される第２光が下記によって定義される白色領域、低彩度青領域、低彩度緑領域、低彩度黄領域、低彩度橙領域、低彩度赤領域、低彩度紫領域、高彩度青領域、高彩度青緑領域、高彩度緑領域、高彩度黄領域、高彩度橙領域、高彩度赤領域および高彩度紫領域の各領域のいずれかに含まれることである。条件（２Ｄ）は、前記第１領域に照射される第１光が下記によって定義される低彩度緑領域に含まれ、かつ、前記第２領域に照射される第２光が下記によって定義される白色領域、低彩度青領域、低彩度青緑領域、低彩度黄領域、低彩度橙領域、低彩度赤領域、低彩度紫領域、高彩度青領域、高彩度青緑領域、高彩度緑領域、高彩度黄領域、高彩度橙領域、高彩度赤領域および高彩度紫領域の各領域のいずれかに含まれることである。条件（２Ｅ）は、前記第１領域に照射される第１光が下記によって定義される低彩度黄領域に含まれ、かつ、前記第２領域に照射される第２光が下記によって定義される白色領域、低彩度青領域、低彩度青緑領域、低彩度緑領域、低彩度橙領域、低彩度赤領域、低彩度紫領域、高彩度青領域、高彩度青緑領域、高彩度緑領域、高彩度黄領域、高彩度橙領域、高彩度赤領域および高彩度紫領域の各領域のいずれかに含まれることである。条件（２Ｆ）は、前記第１領域に照射される第１光が下記によって定義される低彩度橙領域に含まれ、かつ、前記第２領域に照射される第２光が下記によって定義される白色領域、低彩度青領域、低彩度青緑領域、低彩度緑領域、低彩度黄領域、低彩度赤領域、低彩度紫領域、高彩度青領域、高彩度青緑領域、高彩度緑領域、高彩度黄領域、高彩度橙領域、高彩度赤領域および高彩度紫領域の各領域のいずれかに含まれることである。条件（２Ｇ）は、前記第１領域に照射される第１光が下記によって定義される低彩度赤領域に含まれ、かつ、前記第２領域に照射される第２光が下記によって定義される白色領域、低彩度青領域、低彩度青緑領域、低彩度緑領域、低彩度黄領域、低彩度橙領域、低彩度紫領域、高彩度青領域、高彩度青緑領域、高彩度緑領域、高彩度黄領域、高彩度橙領域、高彩度赤領域および高彩度紫領域の各領域のいずれかに含まれることである。条件（２Ｈ）は、前記第１領域に照射される第１光が下記によって定義される低彩度紫領域に含まれ、かつ、前記第２領域に照射される第２光が下記によって定義される白色領域、低彩度青領域、低彩度青緑領域、低彩度緑領域、低彩度黄領域、低彩度橙領域、低彩度赤領域、高彩度青領域、高彩度青緑領域、高彩度緑領域、高彩度黄領域、高彩度橙領域、高彩度赤領域および高彩度紫領域の各領域のいずれかに含まれることである。条件（２Ｉ）は、前記第１領域に照射される第１光が下記によって定義される高彩度青領域に含まれ、かつ、前記第２領域に照射される第２光が下記によって定義される白色領域、低彩度青領域、低彩度青緑領域、低彩度緑領域、低彩度黄領域、低彩度橙領域、低彩度赤領域、低彩度紫領域、高彩度青緑領域、高彩度緑領域、高彩度黄領域、高彩度橙領域、高彩度赤領域および高彩度紫領域の各領域のいずれかに含まれることである。条件（２Ｊ）は、前記第１領域に照射される第１光が下記によって定義される高彩度青緑領域に含まれ、かつ、前記第２領域に照射される第２光が下記によって定義される白色領域、低彩度青領域、低彩度青緑領域、低彩度緑領域、低彩度黄領域、低彩度橙領域、低彩度赤領域、低彩度紫領域、高彩度青領域、高彩度緑領域、高彩度黄領域、高彩度橙領域、高彩度赤領域および高彩度紫領域の各領域のいずれかに含まれることである。条件（２Ｋ）は、前記第１領域に照射される第１光が下記によって定義される高彩度緑領域に含まれ、かつ、前記第２領域に照射される第２光が下記によって定義される白色領域、低彩度青領域、低彩度青緑領域、低彩度緑領域、低彩度黄領域、低彩度橙領域、低彩度赤領域、低彩度紫領域、高彩度青領域、高彩度青緑領域、高彩度黄領域、高彩度橙領域、高彩度赤領域および高彩度紫領域の各領域のいずれかに含まれることである。条件（２Ｌ）は、前記第１領域に照射される第１光が下記によって定義される高彩度黄領域に含まれ、かつ、前記第２領域に照射される第２光が下記によって定義される白色領域、低彩度青領域、低彩度青緑領域、低彩度緑領域、低彩度黄領域、低彩度橙領域、低彩度赤領域、低彩度紫領域、高彩度青領域、高彩度青緑領域、高彩度緑領域、高彩度橙領域、高彩度赤領域および高彩度紫領域の各領域のいずれかに含まれることである。条件（２Ｍ）は、前記第１領域に照射される第１光が下記によって定義される高彩度橙領域に含まれ、かつ、前記第２領域に照射される第２光が下記によって定義される白色領域、低彩度青領域、低彩度青緑領域、低彩度緑領域、低彩度黄領域、低彩度橙領域、低彩度赤領域、低彩度紫領域、高彩度青領域、高彩度青緑領域、高彩度緑領域、高彩度黄領域、高彩度赤領域および高彩度紫領域の各領域のいずれかに含まれることである。
【０１１６】
このような照明装置は、前記第１および第２光が上記（２Ａ）ないし（２Ｍ）のいずれかの条件を満たすので、人に快適感を与える光で前記放射角度領域をグラデーション照明でき、人が長時間過ごす場合でも快適な照明環境を提供できる。したがって、上記照明装置は、照明光の環境下に居る人に、快適感という心理効果を好適に与えることができる。
【０１１７】
他の一態様では、上述の照明装置において、前記制御部は、前記放射角度領域の一部の第１領域に照射される第１光、および、前記第１領域と異なる前記放射角度領域の一部の第２領域に照射される第２光が、ＣＩＥ１９７６ｕ’ｖ’色度図において、前記第１色度領域に含まれる下記（３Ａ）ないし（３Ｍ）のいずれかの条件を満たすように、前記第１および第２ＬＥＤ光源を制御する。
【０１１８】
条件（３Ａ）は、前記放射角度領域の一部の第１領域に照射された第１光が下記によって定義される白色領域に含まれ、かつ、前記第１領域と異なる前記放射角度領域の一部の第２領域に照射された第２光が下記によって定義される低彩度青領域、低彩度青緑領域、低彩度緑領域、低彩度赤領域、低彩度紫領域、高彩度青領域、高彩度青緑領域、高彩度緑領域および高彩度黄領域の各領域のいずれかに含まれることである。条件（３Ｂ）は、前記放射角度領域の一部の第１領域に照射された第１光が下記によって定義される低彩度青領域に含まれ、かつ、前記第１領域と異なる前記放射角度領域の一部の第２領域に照射された第２光が下記によって定義される低彩度青緑領域、低彩度橙領域、低彩度赤領域、高彩度青領域、高彩度緑領域および高彩度黄領域の各領域のいずれかに含まれることである。条件（３Ｃ）は、前記放射角度領域の一部の第１領域に照射された第１光が下記によって定義される低彩度青緑領域に含まれ、かつ、前記第１領域と異なる前記放射角度領域の一部の第２領域に照射された第２光が下記によって定義される白色領域、低彩度青領域、低彩度緑領域、低彩度黄領域、低彩度橙領域、低彩度赤領域、低彩度紫領域、高彩度青領域、高彩度青緑領域、高彩度緑領域、高彩度黄領域および高彩度橙領域の各領域のいずれかに含まれることである。条件（３Ｄ）は、前記放射角度領域の一部の第１領域に照射された第１光が下記によって定義される低彩度緑領域に含まれ、かつ、前記第１領域と異なる前記放射角度領域の一部の第２領域に照射された第２光が下記によって定義される白色領域、低彩度青領域、低彩度青緑領域、低彩度黄領域、低彩度橙領域、低彩度赤領域、高彩度青領域、高彩度青緑領域および高彩度黄領域の各領域のいずれかに含まれることである。条件（３Ｅ）は、前記放射角度領域の一部の第１領域に照射された第１光が下記によって定義される低彩度黄領域に含まれ、かつ、前記第１領域と異なる前記放射角度領域の一部の第２領域に照射された第２光が下記によって定義される白色領域、低彩度青領域、低彩度青緑領域、低彩度緑領域、低彩度橙領域、低彩度紫領域、高彩度青領域、高彩度青緑領域、高彩度緑領域、高彩度橙領域および高彩度紫領域の各領域のいずれかに含まれることである。条件（３Ｆ）は、前記放射角度領域の一部の第１領域に照射された第１光が下記によって定義される低彩度橙領域に含まれ、かつ、前記第１領域と異なる前記放射角度領域の一部の第２領域に照射された第２光が下記によって定義される白色領域、低彩度青領域、低彩度青緑領域、低彩度赤領域、低彩度紫領域、高彩度青領域、高彩度青緑領域および高彩度緑領域の各領域のいずれかに含まれることである。条件（３Ｇ）は、前記放射角度領域の一部の第１領域に照射された第１光が下記によって定義される低彩度赤領域に含まれ、かつ、前記第１領域と異なる前記放射角度領域の一部の第２領域に照射された第２光が下記によって定義される白色領域、低彩度青領域、低彩度青緑領域、低彩度黄領域、低彩度橙領域、高彩度青緑領域、高彩度緑領域および高彩度黄領域の各領域のいずれかに含まれることである。条件（３Ｈ）は、前記放射角度領域の一部の第１領域に照射された第１光が下記によって定義される低彩度紫領域に含まれ、かつ、前記第１領域と異なる前記放射角度領域の一部の第２領域に照射された第２光が下記によって定義される低彩度青領域、低彩度青緑領域、低彩度赤領域および高彩度黄領域の各領域のいずれかに含まれることである。条件（３Ｉ）は、前記放射角度領域の一部の第１領域に照射された第１光が下記によって定義される高彩度青領域に含まれ、かつ、前記第１領域と異なる前記放射角度領域の一部の第２領域に照射された第２光が下記によって定義される白色領域および高彩度緑領域の各領域のいずれかに含まれることである。条件（３Ｊ）は、前記放射角度領域の一部の第１領域に照射された第１光が下記によって定義される高彩度青緑領域に含まれ、かつ、前記第１領域と異なる前記放射角度領域の一部の第２領域に照射された第２光が下記によって定義される白色領域、低彩度青領域、低彩度緑領域、低彩度黄領域、低彩度橙領域、低彩度赤領域、低彩度紫領域、高彩度青領域、高彩度緑領域および高彩度黄領域の各領域のいずれかに含まれることである。条件（３Ｋ）は、前記放射角度領域の一部の第１領域に照射された第１光が下記によって定義される高彩度緑領域に含まれ、かつ、前記第１領域と異なる前記放射角度領域の一部の第２領域に照射された第２光が下記によって定義される低彩度青領域および高彩度青領域の各領域のいずれかに含まれることである。条件（３Ｌ）は、前記放射角度領域の一部の第１領域に照射された第１光が下記によって定義される高彩度黄領域に含まれ、かつ、前記第１領域と異なる前記放射角度領域の一部の第２領域に照射された第２光が下記によって定義される低彩度青領域、低彩度青緑領域、高彩度青領域および高彩度橙領域の各領域のいずれかに含まれることである。条件（３Ｍ）は、前記放射角度領域の一部の第１領域に照射された第１光が下記によって定義される高彩度橙領域に含まれ、かつ、前記第１領域と異なる前記放射角度領域の一部の第２領域に照射された第２光が下記によって定義される低彩度青領域に含まれることである。
【０１１９】
このような照明装置は、前記第１および第２光が上記（３Ａ）ないし（３Ｍ）のいずれかの条件を満たすので、人にくつろぎ感（リラックス感）を与える光で前記放射角度領域をグラデーション照明でき、人がよりくつろげる照明環境を提供できる。したがって、上記照明装置は、照明光の環境下に居る人に、くつろぎ感という心理効果を好適に与えることができる。
【０１２０】
他の一態様では、上述の照明装置において、前記制御部は、前記放射角度領域の一部の第１領域に照射される第１光、および、前記第１領域と異なる前記放射角度領域の一部の第２領域に照射される第２光が、ＣＩＥ１９７６ｕ’ｖ’色度図において、前記第１色度領域に含まれる下記（４Ａ）ないし（４Ｊ）のいずれかの条件を満たすように、前記第１および第２ＬＥＤ光源を制御する。
【０１２１】
条件（４Ａ）は、前記放射角度領域の一部の第１領域に照射された第１光が前記定義された白色領域に含まれ、かつ、前記第１領域と異なる前記放射角度領域の一部の第２領域に照射された第２光が前記定義された低彩度青領域、高彩度青領域、高彩度青緑領域、高彩度緑領域および高彩度紫領域の各領域のいずれかに含まれることである。条件（４Ｂ）は、前記放射角度領域の一部の第１領域に照射された第１光が前記定義された低彩度青領域に含まれ、かつ、前記第１領域と異なる前記放射角度領域の一部の第２領域に照射された第２光が前記定義された低彩度青緑領域、高彩度青領域、高彩度青緑領域および高彩度黄領域の各領域のいずれかに含まれることである。条件（４Ｃ）は、前記放射角度領域の一部の第１領域に照射された第１光が前記定義された低彩度青緑領域に含まれ、かつ、前記第１領域と異なる前記放射角度領域の一部の第２領域に照射された第２光が前記定義された白色領域、低彩度青領域、低彩度緑領域、低彩度黄領域、低彩度紫領域、高彩度青領域、高彩度青緑領域、高彩度緑領域および高彩度黄領域の各領域のいずれかに含まれることである。条件（４Ｄ）は、前記放射角度領域の一部の第１領域に照射された第１光が前記定義された低彩度緑領域に含まれ、かつ、前記第１領域と異なる前記放射角度領域の一部の第２領域に照射された第２光が前記定義された白色領域、低彩度青領域、高彩度青領域、高彩度青緑領域および高彩度紫領域の各領域のいずれかに含まれることである。条件（４Ｅ）は、前記放射角度領域の一部の第１領域に照射された第１光が前記定義された低彩度黄領域に含まれ、かつ、前記第１領域と異なる前記放射角度領域の一部の第２領域に照射された第２光が前記定義された低彩度青領域、低彩度青緑領域、低彩度緑領域、低彩度紫領域、高彩度青領域、高彩度青緑領域および高彩度緑領域の各領域のいずれかに含まれることである。条件（４Ｆ）は、前記放射角度領域の一部の第１領域に照射された第１光が前記定義された低彩度紫領域に含まれ、かつ、前記第１領域と異なる前記放射角度領域の一部の第２領域に照射された第２光が前記定義された低彩度青領域、および低彩度青緑領域の各領域のいずれかに含まれることである。条件（４Ｇ）は、前記放射角度領域の一部の第１領域に照射された第１光が前記定義された高彩度青領域に含まれ、かつ、前記第１領域と異なる前記放射角度領域の一部の第２領域に照射された第２光が前記定義された低彩度緑領域および高彩度緑領域の各領域のいずれかに含まれることである。条件（４Ｈ）は、前記放射角度領域の一部の第１領域に照射された第１光が前記定義された高彩度青緑領域に含まれ、かつ、前記第１領域と異なる前記放射角度領域の一部の第２領域に照射された第２光が前記定義された白色領域、低彩度青領域、低彩度青緑領域、低彩度緑領域、低彩度黄領域、低彩度橙領域、低彩度赤領域、低彩度紫領域、高彩度緑領域、高彩度橙領域および高彩度赤領域の各領域のいずれかに含まれることである。条件（４Ｉ）は、前記放射角度領域の一部の第１領域に照射された第１光が前記定義された高彩度緑領域に含まれ、かつ、前記第１領域と異なる前記放射角度領域の一部の第２領域に照射された第２光が前記定義された低彩度青領域、高彩度青領域、高彩度青緑領域および高彩度紫領域の各領域のいずれかに含まれることである。条件（４Ｊ）は、前記放射角度領域の一部の第１領域に照射された第１光が前記定義された高彩度黄領域に含まれ、かつ、前記第１領域と異なる前記放射角度領域の一部の第２領域に照射された第２光が前記定義された白色領域、低彩度青領域、低彩度青緑領域、低彩度緑領域、高彩度青領域、高彩度青緑領域および高彩度橙領域の各領域のいずれかに含まれることである。
【０１２２】
このような照明装置は、前記第１および第２光が上記（４Ａ）ないし（４Ｊ）のいずれかの条件を満たすので、人にすっきり感を与える光で前記放射角度領域をグラデーション照明でき、人がよりすっきりした気分でリフレッシュできる照明環境を提供できる。したがって、上記照明装置は、照明光の環境下に居る人に、すっきり感という心理効果を好適に与えることができる。
【０１２３】
他の一態様では、上述の照明装置において、前記制御部は、前記放射角度領域の一部の第１領域に照射される第１光、および、前記第１領域と異なる前記放射角度領域の一部の第２領域に照射される第２光が、ＣＩＥ１９７６ｕ’ｖ’色度図において、前記第１色度領域に含まれる下記（５Ａ）ないし（５Ｌ）のいずれかの条件を満たすように、前記第１および第２ＬＥＤ光源を制御する。
【０１２４】
条件（５Ａ）は、前記放射角度領域の一部の第１領域に照射された第１光が前記定義された白色領域に含まれ、かつ、前記第１領域と異なる前記放射角度領域の一部の第２領域に照射された第２光が前記定義された低彩度青領域、低彩度青緑領域、低彩度緑領域、低彩度黄領域、高彩度青領域、高彩度青緑領域、高彩度緑領域および高彩度黄領域の各領域のいずれかに含まれることである。条件（５Ｂ）は、前記放射角度領域の一部の第１領域に照射された第１光が前記定義された低彩度青領域に含まれ、かつ、前記第１領域と異なる前記放射角度領域の一部の第２領域に照射された第２光が前記定義された白色領域、低彩度青緑領域、低彩度緑領域、低彩度黄領域、低彩度橙領域、低彩度赤領域、高彩度青領域、高彩度青緑領域、高彩度緑領域および高彩度黄領域の各領域のいずれかに含まれることである。条件（５Ｃ）は、前記放射角度領域の一部の第１領域に照射された第１光が前記定義された低彩度青緑領域に含まれ、かつ、前記第１領域と異なる前記放射角度領域の一部の第２領域に照射された第２光が前記定義された白色領域、低彩度青領域、低彩度緑領域、低彩度黄領域、低彩度紫領域、高彩度青領域、高彩度青緑領域、高彩度緑領域、高彩度黄領域および高彩度紫領域の各領域のいずれかに含まれることである。条件（５Ｄ）は、前記放射角度領域の一部の第１領域に照射された第１光が前記定義された低彩度緑領域に含まれ、かつ、前記第１領域と異なる前記放射角度領域の一部の第２領域に照射された第２光が前記定義された白色領域、低彩度青領域、高彩度青領域および高彩度青緑領域の各領域のいずれかに含まれることである。条件（５Ｅ）は、前記放射角度領域の一部の第１領域に照射された第１光が前記定義された低彩度黄領域に含まれ、かつ、前記第１領域と異なる前記放射角度領域の一部の第２領域に照射された第２光が前記定義された白色領域、低彩度青領域、低彩度青緑領域、低彩度赤領域、高彩度青領域、高彩度青緑領域、高彩度緑領域および高彩度赤領域の各領域のいずれかに含まれることである。条件（５Ｆ）は、前記放射角度領域の一部の第１領域に照射された第１光が前記定義された低彩度橙領域に含まれ、かつ、前記第１領域と異なる前記放射角度領域の一部の第２領域に照射された第２光が前記定義された低彩度青領域、高彩度青領域、高彩度青緑領域および高彩度黄領域の各領域のいずれかに含まれることである。条件（５Ｇ）は、前記放射角度領域の一部の第１領域に照射された第１光が前記定義された低彩度赤領域に含まれ、かつ、前記第１領域と異なる前記放射角度領域の一部の第２領域に照射された第２光が前記定義された白色領域および高彩度黄領域の各領域のいずれかに含まれることである。条件（５Ｈ）は、前記放射角度領域の一部の第１領域に照射された第１光が前記定義された低彩度紫領域に含まれ、かつ、前記第１領域と異なる前記放射角度領域の一部の第２領域に照射された第２光が前記定義された高彩度青領域に含まれることである。条件（５Ｉ）は、前記放射角度領域の一部の第１領域に照射された第１光が前記定義された高彩度青領域に含まれ、かつ、前記第１領域と異なる前記放射角度領域の一部の第２領域に照射された第２光が前記定義された白色領域、低彩度緑領域、低彩度黄領域、低彩度橙領域および高彩度黄領域の各領域のいずれかに含まれることである。条件（５Ｊ）は、前記放射角度領域の一部の第１領域に照射された第１光が前記定義された高彩度青緑領域に含まれ、かつ、前記第１領域と異なる前記放射角度領域の一部の第２領域に照射された第２光が前記定義された白色領域、低彩度青領域、低彩度緑領域、低彩度緑領域、低彩度黄領域、低彩度橙領域、低彩度紫領域、高彩度青領域および高彩度黄領域の各領域のいずれかに含まれることである。条件（５Ｋ）は、前記放射角度領域の一部の第１領域に照射された第１光が前記定義された高彩度緑領域に含まれ、かつ、前記第１領域と異なる前記放射角度領域の一部の第２領域に照射された第２光が前記定義された高彩度青領域に含まれることである。条件（５Ｌ）は、前記放射角度領域の一部の第１領域に照射された第１光が前記定義された高彩度黄領域に含まれ、かつ、前記第１領域と異なる前記放射角度領域の一部の第２領域に照射された第２光が前記定義された低彩度青領域、高彩度青領域および高彩度青緑領域の各領域のいずれかに含まれることである。
【０１２５】
このような照明装置は、前記第１および第２光が上記（５Ａ）ないし（５Ｌ）のいずれかの条件を満たすので、気の散らない光で前記放射角度領域をグラデーション照明でき、人がより集中できる照明環境を提供できる。したがって、上記照明装置は、照明光の環境下に居る人に、気の散らない、集中できるという心理効果を好適に与えることができる。
【０１２６】
他の一態様では、上述の照明装置において、前記制御部は、前記放射角度領域の一部の第１領域に照射される第１光、および、前記第１領域と異なる前記放射角度領域の一部の第２領域に照射される第２光が、ＣＩＥ１９７６ｕ’ｖ’色度図において、前記第１色度領域に含まれる下記（６Ａ）ないし（６Ｎ）のいずれかの条件を満たすように、前記第１および第２ＬＥＤ光源を制御する。
【０１２７】
条件（６Ａ）は、前記放射角度領域の一部の第１領域に照射された第１光が下記によって定義される白色領域に含まれ、かつ、前記第１領域と異なる前記放射角度領域の一部の第２領域に照射された第２光が下記によって定義される低彩度緑領域、低彩度黄領域、低彩度橙領域、低彩度赤領域、低彩度紫領域、高彩度青緑領域および高彩度黄領域の各領域のいずれかに含まれることである。条件（６Ｂ）は、前記放射角度領域の一部の第１領域に照射された第１光が下記によって定義される低彩度青領域に含まれ、かつ、前記第１領域と異なる前記放射角度領域の一部の第２領域に照射された第２光が下記によって定義される白色領域、低彩度青緑領域、低彩度緑領域、低彩度黄領域、低彩度赤領域、低彩度紫領域、高彩度青緑領域、高彩度緑領域、高彩度黄領域、高彩度橙領域および高彩度赤領域の各領域のいずれかに含まれることである。条件（６Ｃ）は、前記放射角度領域の一部の第１領域に照射された第１光が下記によって定義される低彩度青緑領域に含まれ、かつ、前記第１領域と異なる前記放射角度領域の一部の第２領域に照射された第２光が下記によって定義される低彩度黄領域、低彩度橙領域、低彩度紫領域、高彩度橙領域、高彩度赤領域および高彩度紫領域の各領域のいずれかに含まれることである。条件（６Ｄ）は、前記放射角度領域の一部の第１領域に照射された第１光が下記によって定義される低彩度緑領域に含まれ、かつ、前記第１領域と異なる前記放射角度領域の一部の第２領域に照射された第２光が下記によって定義される低彩度青緑領域、低彩度橙領域、高彩度青緑領域および高彩度赤領域の各領域のいずれかに含まれることである。条件（６Ｅ）は、前記放射角度領域の一部の第１領域に照射された第１光が下記によって定義される低彩度黄領域に含まれ、かつ、前記第１領域と異なる前記放射角度領域の一部の第２領域に照射された第２光が下記によって定義される低彩度緑領域、低彩度橙領域、低彩度赤領域、高彩度青領域、高彩度黄領域および高彩度橙領域の各領域のいずれかに含まれることである。条件（６Ｆ）は、前記放射角度領域の一部の第１領域に照射された第１光が下記によって定義される低彩度橙領域に含まれ、かつ、前記第１領域と異なる前記放射角度領域の一部の第２領域に照射された第２光が下記によって定義される低彩度青領域、低彩度青緑領域、低彩度緑領域、低彩度黄領域、低彩度赤領域、低彩度紫領域、高彩度青領域および高彩度黄領域の各領域のいずれかに含まれることである。条件（６Ｇ）は、前記放射角度領域の一部の第１領域に照射された第１光が下記によって定義される低彩度赤領域に含まれ、かつ、前記第１領域と異なる前記放射角度領域の一部の第２領域に照射された第２光が下記によって定義される白色領域、低彩度青領域、低彩度青緑領域、低彩度緑領域、低彩度黄領域、低彩度橙領域および高彩度青緑領域の各領域のいずれかに含まれることである。条件（６Ｈ）は、前記放射角度領域の一部の第１領域に照射された第１光が下記によって定義される低彩度紫領域に含まれ、かつ、前記第１領域と異なる前記放射角度領域の一部の第２領域に照射された第２光が下記によって定義される低彩度青緑領域、低彩度黄領域、低彩度橙領域、低彩度赤領域、高彩度青領域、高彩度黄領域および高彩度赤領域の各領域のいずれかに含まれることである。条件（６Ｉ）は、前記放射角度領域の一部の第１領域に照射された第１光が下記によって定義される高彩度青領域に含まれ、かつ、前記第１領域と異なる前記放射角度領域の一部の第２領域に照射された第２光が下記によって定義される白色領域、低彩度緑領域、低彩度橙領域および高彩度橙領域の各領域のいずれかに含まれることである。条件（６Ｊ）は、前記放射角度領域の一部の第１領域に照射された第１光が下記によって定義される高彩度青緑領域に含まれ、かつ、前記第１領域と異なる前記放射角度領域の一部の第２領域に照射された第２光が下記によって定義される低彩度緑域に含まれることである。条件（６Ｋ）は、前記放射角度領域の一部の第１領域に照射された第１光が下記によって定義される高彩度緑領域に含まれ、かつ、前記第１領域と異なる前記放射角度領域の一部の第２領域に照射された第２光が下記によって定義される高彩度赤領域に含まれることである。条件（６Ｌ）は、前記放射角度領域の一部の第１領域に照射された第１光が下記によって定義される高彩度黄領域に含まれ、かつ、前記第１領域と異なる前記放射角度領域の一部の第２領域に照射された第２光が下記によって定義される白色領域、低彩度紫領域および高彩度橙領域の各領域のいずれかに含まれることである。条件（６Ｍ）は、前記放射角度領域の一部の第１領域に照射された第１光が下記によって定義される高彩度橙領域に含まれ、かつ、前記第１領域と異なる前記放射角度領域の一部の第２領域に照射された第２光が下記によって定義される低彩度青領域、低彩度青緑領域、低彩度黄領域および高彩度青領域の各領域のいずれかに含まれることである。条件（６Ｎ）は、前記放射角度領域の一部の第１領域に照射された第１光が下記によって定義される高彩度紫領域に含まれ、かつ、前記第１領域と異なる前記放射角度領域の一部の第２領域に照射された第２光が下記によって定義される低彩度緑領域に含まれることである。
【０１２８】
このような照明装置は、前記第１および第２光が上記（６Ａ）ないし（６Ｎ）のいずれかの条件を満たすので、眠気を誘う光で前記放射角度領域をグラデーション照明でき、人がより入眠し易い照明環境を提供できる。したがって、上記照明装置は、照明光の環境下に居る人に、眠気という心理効果を好適に与えることができる。
【０１２９】
他の一態様では、上述の照明装置において、前記制御部は、前記放射角度領域の一部の第１領域に照射される第１光、および、前記第１領域と異なる前記放射角度領域の一部の第２領域に照射される第２光が、ＣＩＥ１９７６ｕ’ｖ’色度図において、前記第１色度領域に含まれる下記（７Ａ）ないし（７Ｉ）のいずれかの条件を満たすように、前記第１および第２ＬＥＤ光源を制御する。
【０１３０】
条件（７Ａ）は、前記放射角度領域の一部の第１領域に照射された第１光が下記によって定義される白色領域に含まれ、かつ、前記第１領域と異なる前記放射角度領域の一部の第２領域に照射された第２光が下記によって定義される高彩度紫領域に含まれることである。条件（７Ｂ）は、前記放射角度領域の一部の第１領域に照射された第１光が下記によって定義される低彩度青緑領域に含まれ、かつ、前記第１領域と異なる前記放射角度領域の一部の第２領域に照射された第２光が下記によって定義される高彩度黄領域に含まれることである。条件（７Ｃ）は、前記放射角度領域の一部の第１領域に照射された第１光が下記によって定義される低彩度赤領域に含まれ、かつ、前記第１領域と異なる前記放射角度領域の一部の第２領域に照射された第２光が下記によって定義される高彩度橙領域に含まれることである。条件（７Ｄ）は、前記放射角度領域の一部の第１領域に照射された第１光が下記によって定義される低彩度紫領域に含まれ、かつ、前記第１領域と異なる前記放射角度領域の一部の第２領域に照射された第２光が下記によって定義される高彩度紫領域に含まれることである。条件（７Ｅ）は、前記放射角度領域の一部の第１領域に照射された第１光が下記によって定義される高彩度緑領域に含まれ、かつ、前記第１領域と異なる前記放射角度領域の一部の第２領域に照射された第２光が下記によって定義される低彩度黄領域、低彩度赤領域、高彩度黄領域および高彩度橙領域の各領域のいずれかに含まれることである。条件（７Ｆ）は、前記放射角度領域の一部の第１領域に照射された第１光が下記によって定義される高彩度黄領域に含まれ、かつ、前記第１領域と異なる前記放射角度領域の一部の第２領域に照射された第２光が下記によって定義される高彩度緑領域および高彩度赤領域の各領域のいずれかに含まれることである。条件（７Ｇ）は、前記放射角度領域の一部の第１領域に照射された第１光が下記によって定義される高彩度橙領域に含まれ、かつ、前記第１領域と異なる前記放射角度領域の一部の第２領域に照射された第２光が下記によって定義される低彩度紫領域、高彩度赤および高彩度紫領域の各領域のいずれかに含まれることである。条件（７Ｈ）は、前記放射角度領域の一部の第１領域に照射された第１光が下記によって定義される高彩度赤領域に含まれ、かつ、前記第１領域と異なる前記放射角度領域の一部の第２領域に照射された第２光が下記によって定義される低彩度橙領域、高彩度青領域、高彩度緑領域、高彩度黄領域および高彩度橙領域の各領域のいずれかに含まれることである。条件（７Ｉ）は、前記放射角度領域の一部の第１領域に照射された第１光が下記によって定義される高彩度紫領域に含まれ、かつ、前記第１領域と異なる前記放射角度領域の一部の第２領域に照射された第２光が下記によって定義される低彩度青領域、低彩度青緑領域、低彩度黄領域、低彩度紫領域、高彩度青領域、高彩度黄領域、高彩度橙領域および高彩度赤領域の各領域のいずれかに含まれることである。
【０１３１】
このような照明装置は、前記第１および第２光が上記（７Ａ）ないし（７Ｉ）のいずれかの条件を満たすので、眠気を覚ます光で前記放射角度領域をグラデーション照明でき、人の眠気を覚ましてすっきりと目覚めることができる照明環境を提供できる。したがって、上記照明装置は、照明光の環境下に居る人に、眠気を覚ますという心理効果を好適に与えることができる。
【０１３２】
なお、上述において、各領域は、次のように定義される。
【０１３３】
白色領域は、（ｕ’，ｖ’）の座標点Ｒ＿１（０．２６８、０．４８２）、Ｒ−ＯＲ＿１（０．２６２、０．４８５）、ＯＲ＿１（０．２５７、０．４８９）、ＯＲ−Ｙ＿１（０．２３３、０．４９２）、Ｙ＿１（０．２１７、０．４９４）、Ｙ−Ｇ＿１（０．２０９、０．４９５）、Ｇ＿１（０．１７９、０．４９７）、Ｇ−ＢＧ＿１（０．１８２、０．４７６）、ＢＧ＿１（０．１８６、０．４５５）、ＢＧ−Ｂ＿１（０．１８８、０．４４５）、Ｂ＿１（０．２０１、０．３９７）、Ｂ−Ｐ＿１（０．２１９、０．４１３）、Ｐ＿１（０．２３７、０．４２８）、Ｐ−Ｒ＿１（０．２５２、０．４５５）の各点を結ぶ閉ループ線によって囲まれる内側領域である。
【０１３４】
低彩度赤領域は、（ｕ’，ｖ’）の座標点Ｒ−ＯＲ＿３（０．３６７、０．５０９）、Ｒ＿３（０．３８２、０．４９８）、Ｐ−Ｒ＿３（０．３３６、０．４１７）、Ｐ−Ｒ＿１（０．２５２、０．４５５）、Ｒ＿１（０．２６８、０．４８２）、Ｒ−ＯＲ＿１（０．２６２、０．４８５）の各点を結ぶ閉ループ線によって囲まれる内側領域である。
【０１３５】
低彩度橙領域は、（ｕ’，ｖ’）の座標点ＯＲ−Ｙ＿３（０．２７９、０．５３０）、ＯＲ＿３（０．３５１、０．５２１）、Ｒ−ＯＲ＿３（０．３６７、０．５０９）、Ｒ−ＯＲ＿１（０．２６２、０．４８５）、ＯＲ＿１（０．２５７、０．４８９）、ＯＲ−Ｙ＿１（０．２３３、０．４９２）の各点を結ぶ閉ループ線によって囲まれる内側領域である。
【０１３６】
低彩度黄領域は、（ｕ’，ｖ’）の座標点Ｙ−Ｇ＿３（０．２０６、０．５３８）、Ｙ＿３（０．２３１、０．５３６）、ＯＲ−Ｙ＿３（０．２７９、０．５３０）、ＯＲ−Ｙ＿１（０．２３３、０．４９２）、Ｙ＿１（０．２１７、０．４９４）、Ｙ−Ｇ＿１（０．２０９、０．４９５）の各点を結ぶ閉ループ線によって囲まれる内側領域である。
【０１３７】
低彩度緑領域は、（ｕ’，ｖ’）の座標点Ｇ−ＢＧ＿３（０．１２６、０．４８１）、Ｇ＿３（０．１１６、０．５４４）、Ｙ−Ｇ＿３（０．２０６、０．５３８）、Ｙ−Ｇ＿１（０．２０９、０．４９５）、Ｇ＿１（０．１７９、０．４９７）、Ｇ−ＢＧ＿１（０．１８２、０．４７６）の各点を結ぶ閉ループ線によって囲まれる内側領域である。
【０１３８】
低彩度青緑領域は、（ｕ’，ｖ’）の座標点ＢＧ−Ｂ＿３（０．１４４、０．３８９）、ＢＧ＿３（０．１３６、０．４１７）、Ｇ−ＢＧ＿３（０．１２６、０．４８１）、Ｇ−ＢＧ＿１（０．１８２、０．４７６）、ＢＧ＿１（０．１８６、０．４５５）、ＢＧ−Ｂ＿１（０．１８８、０．４４５）の各点を結ぶ閉ループ線によって囲まれる内側領域である。
【０１３９】
低彩度青領域は、（ｕ’，ｖ’）の座標点Ｂ−Ｐ＿３（０．２３６、０．２９１）、Ｂ＿３（０．１８２、０．２４５）、ＢＧ−Ｂ＿３（０．１４４、０．３８９）、ＢＧ−Ｂ＿１（０．１８８、０．４４５）、Ｂ＿１（０．２０１、０．３９７）、Ｂ−Ｐ＿１（０．２１９、０．４１３）の各点を結ぶ閉ループ線によって囲まれる内側領域である。
【０１４０】
低彩度紫領域は、（ｕ’，ｖ’）の座標点Ｐ−Ｒ＿３（０．３３６、０．４１７）、Ｐ＿３（０．２９１、０．３３６）、Ｂ−Ｐ＿３（０．２３６、０．２９１）、Ｂ−Ｐ＿１（０．２１９、０．４１３）、Ｐ＿１（０．２３７、０．４２８）、Ｐ−Ｒ＿１（０．２５２、０．４５５）の各点を結ぶ閉ループ線によって囲まれる内側領域である。
【０１４１】
高彩度赤領域は、（ｕ’，ｖ’）の座標点Ｒ−ＯＲ＿４（０．４１９、０．５２１）、Ｒ＿４（０．４４０、０．５０６）、Ｐ−Ｒ＿４（０．３７９、０．３９８）、Ｐ−Ｒ＿３（０．３３６、０．４１７）、Ｒ＿３（０．３８２、０．４９８）、Ｒ−ＯＲ＿３（０．３６７、０．５０９）の各点を結ぶ閉ループ線によって囲まれる内側領域である。
【０１４２】
高彩度橙領域は、（ｕ’，ｖ’）の座標点ＯＲ−Ｙ＿４（０．３０２、０．５４９）、ＯＲ＿４（０．３９８、０．５３７）、Ｒ−ＯＲ＿４（０．４１９、０．５２１）、Ｒ−ＯＲ＿３（０．３６７、０．５０９）、ＯＲ＿３（０．３５１、０．５２１）、ＯＲ−Ｙ＿３（０．２７９、０．５３０）の各点を結ぶ閉ループ線によって囲まれる内側領域である。
【０１４３】
高彩度黄領域は、（ｕ’，ｖ’）の座標点Ｙ−Ｇ＿４（０．２０４、０．５５９）、Ｙ＿４（０．２３７、０．５５７）、ＯＲ−Ｙ＿４（０．３０２、０．５４９）、ＯＲ−Ｙ＿３（０．２７９、０．５３０）、Ｙ＿３（０．２３１、０．５３６）、Ｙ−Ｇ＿３（０．２０６、０．５３８）の各点を結ぶ閉ループ線によって囲まれる内側領域である。
【０１４４】
高彩度緑領域は、（ｕ’，ｖ’）の座標点Ｇ−ＢＧ＿４（０．０９８、０．４８３）、Ｇ＿４（０．０８５、０．５６８）、Ｙ−Ｇ＿４（０．２０４、０．５５９）、Ｙ−Ｇ＿３（０．２０６、０．５３８）、Ｇ＿３（０．１１６、０．５４４）、Ｇ−ＢＧ＿３（０．１２６、０．４８１）の各点を結ぶ閉ループ線によって囲まれる内側領域である。
【０１４５】
高彩度青緑領域は、（ｕ’，ｖ’）の座標点ＢＧ−Ｂ＿４（０．１２２、０．３６１）、ＢＧ＿４（０．１１２、０．３９８）、Ｇ−ＢＧ＿４（０．０９８、０．４８３）、Ｇ−ＢＧ＿３（０．１２６、０．４８１）、ＢＧ＿３（０．１３６、０．４１７）、ＢＧ−Ｂ＿３（０．１４４、０．３８９）の各点を結ぶ閉ループ線によって囲まれる内側領域である。
【０１４６】
高彩度青領域は、（ｕ’，ｖ’）の座標点Ｂ−Ｐ＿４（０．２４５、０．２３０）、Ｂ＿４（０．１７３、０．１６９）、ＢＧ−Ｂ＿４（０．１２２、０．３６１）、ＢＧ−Ｂ＿３（０．１４４、０．３８９）、Ｂ＿３（０．１８２、０．２４５）、Ｂ−Ｐ＿３（０．２３６、０．２９１）の各点を結ぶ閉ループ線によって囲まれる内側領域である。
【０１４７】
高彩度紫領域は、（ｕ’，ｖ’）の座標点Ｐ−Ｒ＿４（０．３７９、０．３９８）、Ｐ＿４（０．３１７、０．２９１）、Ｂ−Ｐ＿４（０．２４５、０．２３０）、Ｂ−Ｐ＿３（０．２３６、０．２９１）、Ｐ＿３（０．２９１、０．３３６）、Ｐ−Ｒ＿３（０．３３６、０．４１７）の各点を結ぶ閉ループ線によって囲まれる内側領域である。
【０１４８】
そして、他の一態様にかかる照明方法は、複数の色の光を放射可能な第１および第２ＬＥＤ光源それぞれを、互いに異なる色の第１および第２光であって前記第１光の一部と前記第２項の一部とを放射角度領域で互いに重なるように放射させる照明方法であって、前記放射角度領域に照射された第１および第２光が、ＣＩＥ１９７６ｕ’ｖ’色度図において、（ｕ’，ｖ’）の座標点Ｒ＿４（０．４４０、０．５０６）、Ｒ−ＯＲ＿４（０．４１９、０．５２１）、ＯＲ＿４（０．３９８、０．５３７）、ＯＲ−Ｙ＿４（０．３０２、０．５４９）、Ｙ＿４（０．２３７，０．５５７）、Ｙ−Ｇ＿４（０．２０４、０．５５９）、Ｇ＿４（０．０８５、０．５６８）、Ｇ−ＢＧ＿４（０．０９８、０．４８３）、ＢＧ＿４（０．１１２、０．３９８）、ＢＧ−Ｂ＿４（０．１２２、０．３６１）、Ｂ＿４（０．１７３、０．１６９）、Ｂ−Ｐ＿４（０．２４５、０．２３０）、Ｐ＿４（０．３１７、０．２９１）、Ｐ−Ｒ＿４（０．３７９、０．３９８）の各点を結ぶことによって得られる上限境界閉ループ線と、（ｕ’，ｖ’）の座標点Ｒ＿１（０．２６８、０．４８２）、Ｒ−ＯＲ＿１（０．２６２、０．４８５）、ＯＲ＿１（０．２５７、０．４８９）、ＯＲ−Ｙ＿１（０．２３３、０．４９２）、Ｙ＿１（０．２１７、０．４９４）、Ｙ−Ｇ＿１（０．２０９、０．４９５）、Ｇ＿１（０．１７９、０．４９７）、Ｇ−ＢＧ＿１（０．１８２、０．４７６）、ＢＧ＿１（０．１８６、０．４５５）、ＢＧ−Ｂ＿１（０．１８８、０．４４５）、Ｂ＿１（０．２０１、０．３９７）、Ｂ−Ｐ＿１（０．２１９、０．４１３）、Ｐ＿１（０．２３７、０．４２８）、Ｐ−Ｒ＿１（０．２５２、０．４５５）の各点を結ぶことによって得られる下限境界閉ループ線との間の第１色度領域に含まれるように、前記第１および第２ＬＥＤ光源を放射させる。
【０１４９】
さらに、他の一態様にかかる照明方法は、複数の色の光を放射可能な第１および第２ＬＥＤ光源それぞれを、互いに異なる色の第１および第２光を放射するように制御する制御工程と、前記第１ＬＥＤ光源から放射された第１光の一部と前記第２ＬＥＤ光源から放射された第２光の一部とを放射角度領域で互いに重ねるオーバラップ工程とを備える。そして、前記制御工程は、前記放射角度領域に照射される第１および第２光の最大彩度となる光の色度領域が、ＣＩＥ１９７６ｕ’ｖ’色度図において、（ｕ’，ｖ’）の座標点Ｒ＿４（０．４４０、０．５０６）、Ｒ−ＯＲ＿４（０．４１９、０．５２１）、ＯＲ＿４（０．３９８、０．５３７）、ＯＲ−Ｙ＿４（０．３０２、０．５４９）、Ｙ＿４（０．２３７，０．５５７）、Ｙ−Ｇ＿４（０．２０４、０．５５９）、Ｇ＿４（０．０８５、０．５６８）、Ｇ−ＢＧ＿４（０．０９８、０．４８３）、ＢＧ＿４（０．１１２、０．３９８）、ＢＧ−Ｂ＿４（０．１２２、０．３６１）、Ｂ＿４（０．１７３、０．１６９）、Ｂ−Ｐ＿４（０．２４５、０．２３０）、Ｐ＿４（０．３１７、０．２９１）、Ｐ−Ｒ＿４（０．３７９、０．３９８）の各点を結ぶことによって得られる上限境界閉ループ線と、（ｕ’，ｖ’）の座標点Ｒ＿１（０．２６８、０．４８２）、Ｒ−ＯＲ＿１（０．２６２、０．４８５）、ＯＲ＿１（０．２５７、０．４８９）、ＯＲ−Ｙ＿１（０．２３３、０．４９２）、Ｙ＿１（０．２１７、０．４９４）、Ｙ−Ｇ＿１（０．２０９、０．４９５）、Ｇ＿１（０．１７９、０．４９７）、Ｇ−ＢＧ＿１（０．１８２、０．４７６）、ＢＧ＿１（０．１８６、０．４５５）、ＢＧ−Ｂ＿１（０．１８８、０．４４５）、Ｂ＿１（０．２０１、０．３９７）、Ｂ−Ｐ＿１（０．２１９、０．４１３）、Ｐ＿１（０．２３７、０．４２８）、Ｐ−Ｒ＿１（０．２５２、０．４５５）の各点を結ぶことによって得られる下限境界閉ループ線との間の第１色度領域に含まれるように、前記第１および第２ＬＥＤ光源を制御する。
【０１５０】
このような照明方法では、互いに異なる色で第１および第２ＬＥＤ光源から放射された第１および第２光は、それら各一部が放射角度領域で互いに重なるように放射されるので、上記照明方法は、前記放射角度領域をグラデーション照明できる。そして、上記照明方法は、前記放射角度領域に照射された第１および第２光が上記第１色度領域に含まれるので、人に受け入れられる光で前記放射角度領域をグラデーション照明できる。したがって、上記照明方法は、照明光の環境下に居る人に、任意に所望の色相組合せを選択した場合も、心理的に受け入れられる好適な照明を提供できる。
【０１５１】
この出願は、２０１４年２月１９日に出願された日本国特許出願特願２０１４−２９７９１を基礎とするものであり、その内容は、本願に含まれるものである。
【０１５２】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０１５３】
本発明によれば、照明装置および照明方法を提供できる。
【図１】
0006466404.tif 000004
【図２】
0006466404.tif 000005
【図３】
0006466404.tif 000006
【図４】
0006466404.tif 000007
【図５】
0006466404.tif 000008
【図６】
0006466404.tif 000009
【図７】
0006466404.tif 000010
【図８】
0006466404.tif 000011
【図９】
0006466404.tif 000012
【図１０】
0006466404.tif 000013
【図１１】
0006466404.tif 000014
【図１２】
0006466404.tif 000015
【図１３】
0006466404.tif 000016
【図１４】
0006466404.tif 000017
【図１５】
0006466404.tif 000018
【図１６】
0006466404.tif 000019
【図１７】
0006466404.tif 000020
【図１８】
0006466404.tif 000021
【図１９】
0006466404.tif 000022
【図２０】
0006466404.tif 000023
【図２１】
0006466404.tif 000024
【図２２】
0006466404.tif 000025
【図２３】
0006466404.tif 000026
【図２４】
0006466404.tif 000027